(57)【要約】【課題】シェーディング方法を提供すること。【解決手段】本発明は、少なくとも１種の染料が共有結合によって結合しているフタロシアニンを含む組成物を使用することによって特徴付けられるシェーディング方法、シェーディング組成物、それらのシェーディング組成物に使用する新規な化合物、及びそれら新しい化合物の製造に関する。【選択図】なし【特許請求の範囲】
【請求項１】
少なくとも１種の染料が共有結合によって結合しているところの少なくとも１種のＺｎ−、Ｃａ−、Ｍｇ−、Ｎａ−、Ｋ−、Ａｌ−、Ｓｉ−、Ｔｉ−、Ｇｅ−、Ｇａ−、Ｚｒ−、Ｉｎ−又はＳｎ−フタロシアニンを含む組成物で布地繊維材料を処理することを特徴とする布地繊維材料のためのシェーディング方法。
【請求項２】
前記布地を、少なくとも１種の式（１ａ）で表される化合物及び／又は式（１ａ）で表される化合物を含む組成物で処理するところの請求項１記載のシェーディング方法。
【化１】
2008511764.tif 000189
[式中、ＰＣは、フタロシアニン環系を表し、
Ｍｅは、Ｚｎ；Ｃａ；Ｍｇ；Ｎａ；Ｋ；Ａｌ−Ｚ1；Ｓｉ（ＩＶ）−（Ｚ1）2；Ｔｉ（Ｉ
Ｖ）−（Ｚ1）2；Ｇｅ（ＩＶ）−（Ｚ1）2；Ｇａ（ＩＩＩ）−Ｚ1；Ｚｒ（ＩＶ）−（Ｚ1）2；Ｉｎ（ＩＩＩ）−Ｚ1又はＳｎ（ＩＶ）−（Ｚ1）2を表し、
Ｚ1は、アルカノレートイオン；ヒドロキシルイオン；Ｒ0ＣＯＯ-；ＣｌＯ4-；ＢＦ4-；
ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭
素原子数１ないし１８のアルキル基；又はヒドロキシル基、シアノ基、カルボキシル基、−ＳＯ3Ｈ，−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシ基、シアノ基、カルボキシル基、ＳＯ3Ｈ，−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）を表し、
ｒは、０；１；２；３又は４を表し、
ｒ’は、１；２；３又は４を表し、
各々のＱ1は、各々互いに独立して、スルホ基又はカルボキシル基又は式
−ＳＯ2Ｘ2−Ｒ1−Ｘ3+；−Ｏ−Ｒ1−Ｘ3+又は−（ＣＨ2）t−Ｙ1+
[式中、Ｒ1は枝分かれした又は枝分かれしてない炭素原子数１ないし８のアルキレン基；１，３−フェニレン基又は１，４−フェニレン基を表し、
Ｘ2は、−ＮＨ−又は−Ｎ（炭素原子数１ないし５のアルキル）−を表し、
Ｘ3+は、式
【化２】
2008511764.tif 000190
で表される基、
又は、Ｒ1＝炭素原子数１ないし８のアルキレン基である場合、また式
【化３】
2008511764.tif 000191
で表される基を表し、
Ｙ1+は、式
【化４】
2008511764.tif 000192
で表される基を表し、
ｔは、０又は１を表し、
（上記式中、
Ｒ2及びＲ3は、互いに独立して、炭素原子数１ないし６のアルキル基を表し、
Ｒ4は、炭素原子数１ないし６のアルキル基；炭素原子数５ないし７のシクロアルキル基
又はＮＲ7Ｒ8を表し、
Ｒ5及びＲ6は、互いに独立して、炭素原子数１ないし５のアルキル基を表し、
Ｒ7及びＲ8は、互いに独立して、水素原子又は炭素原子数１ないし５のアルキル基を表し、
Ｒ9及びＲ10は、互いに独立して、未置換の炭素原子数１ないし６のアルキル基又はヒド
ロキシル基、シアノ基、カルボキシル基、−ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし６のアルキル基を表し、
ｕは、１ないし６を表し、
Ａ1は、適切ならば環員として１個又は２個の更なる窒素原子も含有し得る芳香族５−な
いし７−員環窒素複素環を完成する単位を表し、
Ｂ1は、適切ならば環員として１個又は２個の窒素原子、酸素原子及び／又は硫黄原子も
含有し得る飽和５−ないし７−員環窒素複素環を完成する単位を表す。）]で表される基
を表し、
各々のＱ’は、各々互いに独立して、式−Ｌ−Ｄ（式中、Ｌは直接結合又は架橋基を表し、及びＤは染料の基を表す。）で表される部分を表し、
各々のＱ2は、各々互いに独立して、ヒドロキシル基；炭素原子数１ないし２２のアルキ
ル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化５】
2008511764.tif 000193
で表される基；式
【化６】
2008511764.tif 000194
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし３０のアルキル基；炭
素原子数１ないし３０のアルコキシ基；−ＣＯ2Ｈ；−ＣＨ2ＣＯＯＨ；
−ＳＯ3-Ｍ1；−ＯＳＯ3-Ｍ1；−ＰＯ32-Ｍ1；−ＯＰＯ32-Ｍ1；及びそれらの混合物を表し、
Ｂ3は、水素原子；ヒドロキシル基：−ＣＯＯＨ；−ＳＯ3-Ｍ1；−ＯＳＯ3-Ｍ1又は炭素
原子数１ないし６のアルコキシ基を表し、
Ｍ1は、水溶性カチオンを表し、
Ｔ1は、−O−又は−NH−を表し、
Ｘ1及びＸ4は、互いに独立して、−Ｏ−；−ＮＨ−又は−Ｎ（炭素原子数１ないし５のアルキル）−を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つがスルホ基もしくはカルボキシル基又はその塩であり、
Ｙ2は、−Ｏ−；−Ｓ−；−ＮＨ−又は−Ｎ（炭素原子数１ないし５のアルキル基）−を
表し、
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ基又はハロ−炭素原子数１ないし６のアルキル基；未置換のフェニル基又はハロゲン原子、炭素原子数１ないし４のアルキル基、炭素原子数１ないし４のアルコキシ基、スルホ基からなる群から選ばれた少なくとも１個の置換基によって又はカルボキシ基によって置換されたフェニル基を表し；又はＲ18及びＲ19は、それらが結合する窒素原子と一緒になって、加えて環員として更なる窒素原子又は酸素原子を含有し得る飽和５−又は６−員複素環を形成し、
Ｒ15及びＲ16は、互いに独立して、炭素原子数１ないし６のアルキル基、又はアリール−炭素原子数１ないし６のアルキル基を表し、
Ｒ17は、水素原子；未置換の炭素原子数１ないし６のアルキル基又はハロゲン原子、ヒドロキシル基、シアノ基、ＳＯ3Ｈ、−ＮＨ2、フェニル基、カルボキシル基、カルボ−炭素原子数１ないし６のアルコキシ基及び炭素原子数１ないし６のアルコキシ基からなる群から選ばれた少なくとも１個の置換基によって置換された炭素原子数１ないし６のアルキル基を表し、
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表し、
Ｍは、水素原子；又はアルカリ金属イオン又はアンモニウムイオンを表し、
Ｚ2は、アルカノレートイオン；ヒドロキシルイオン；Ｒ0ＣＯＯ-；ＣｌＯ4-；  ＢＦ4-
；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオンを表し（ここで、Ｒ0は水素原子；又は未置
換の炭素原子数１ないし１８のアルキル基；又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）、
ａは、０又は１を表し、
ｂは、０ないし６を表し、
ｃは、０ないし１００を表し、
ｄは、０又は１を表し、
ｅは、０ないし２２を表し、
ｖは、２ないし１２の整数を表し、
ｗは、０又は１を表し、及び
Ａ-は、有機又は無機アニオンを表し、及び
ｓは、一価のアニオンＡ-の場合、ｒと等しく、及び多価アニオンの場合、ｒ以下であり
、Ａs-は正の電荷を補う必要があり；ｒ≠１の場合、基
Ｑ1は同一又は異なり得、
及びフタロシアニン環系は更なる可溶化基をも含み得る。]
【請求項３】
前記Ｄが、アゾ染料；ジアゾ染料；トリスアゾ染料；ポリアゾ染料；アゾメチン染料；メチン染料；アントラチノ（ａｎｔｈｒａｃｈｉｎｏ）染料；ジオキサジン染料；フェナジン染料；ジフェニルメタン染料；トリフェニルメタン染料；カルボニル染料；キサンテン染料；酸染料又はチオキサンテン染料の基を表す、請求項２記載の方法。
【請求項４】
少なくとも１種の式（１ａ）で表される化合物及び／又は式（１ｂ）で表される化合物を含む組成物が、２２０ないし３２０°の相対色相角をもたらし、及び式（１ａ）で表される化合物及び式（１ｂ）で表される化合物が光安定ではない、請求項１、請求項２又は請求項３記載の方法
【請求項５】
式（１ａ）で表される化合物／又は式（１ｂ）で表される化合物の減少率が、前記組成物が（太陽）光に暴露されたとき、２時間につき少なくとも１％、好ましくは少なくとも２％である、請求項４記載の方法。
【請求項６】
前記Ｄが、下記の式（Ｉ）ないし（ＸＸＸＩＩ）で表される基を表す、請求項２記載の方法
【化７】
2008511764.tif 000195
【化８】
2008511764.tif 000196
【化９】
2008511764.tif 000197
【化１０】
2008511764.tif 000198
【化１１】
2008511764.tif 000199
【化１２】
2008511764.tif 000200
【化１３】
2008511764.tif 000201
【化１４】
2008511764.tif 000202
【化１５】
2008511764.tif 000203
【化１６】
2008511764.tif 000204
【化１７】
2008511764.tif 000205
【化１８】
2008511764.tif 000206
【化１９】
2008511764.tif 000207
[式中、＊は、架橋基Ｌへの結合の印であり、
Ｘ及びＹは、互いに独立して、水素原子；ＳＯ3Ｍ；線状の又は枝分かれした、未置換の
炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＮＨＣＯＯＨ；ＮＨＣＯＯ（炭素原子数１ないし４のアルキル）基；ＣＯＯＨ又はＣＯＯ（炭素原子数１ないし４のアルキル）基を表し、
Ｕは、式
【化２０】
2008511764.tif 000208
で表される部分を表し、
Ｒαは、水素原子；線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
未置換のアリール基又は
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換されたアリール基を表し、
各々のＲβは、互いに独立して、水素原子；ＳＯ3Ｍ；線状の又は枝分かれした、未置換
の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基を表し、
Ｚは、線状の又は枝分かれした、未置換の炭素原子数１ないし４のアルキル基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ；ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ及びＣＯＯＨからなる群から選ばれた少なくとも１つの置換基によって置換され得る。）；Ｎ（炭素原子数１ないし４のアルキル）炭素原子数１ないし４のアルキル基（ここで、該アルキル基は、各々互いに独立して、ＯＨ、ＮＨ2、炭素原子
数１ないし４のアルキル基、ＣＮ及びＣＯＯＨからなる群から選ばれた少なくとも１つの置換基によって置換され得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子
数１ないし４のアルコキシ基からなる群から選ばれた少なくとも１つの置換基によって置換される。）；ＮＨＣＯ（炭素原子数１ないし４のアルキル）基及びＮＨＣＯＯ（炭素原子数１ないし４のアルキル）基を表し、
Ｚ’は、ＳＯ3Ｍ；線状の又は枝分かれした、未置換の炭素原子数１ないし４のアルキル
基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ又はＣＯＯＨからなる群から選ばれた少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数
１ないし４のアルキル基、ＣＮ及びＣＯＯＨからなる群から選ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｚ1は、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ及びＣＯＯＨからなる群から選ばれた少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数
１ないし４のアルキル基、ＣＮ及びＣＯＯＨからなる群から選ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｚ2、Ｚ3、Ｚ4、Ｚ5及びＺ6は、各々互いに独立して、水素原子；線状の又は枝分かれし
た、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＳＯ2
ＣＨ2ＣＨ2ＳＯ3Ｈ；ＮＯ2；ＣＯＯＨ；ＣＯＯ（炭素原子数１ないし４のアルキル）基；ＮＨ2；ＮＨ（炭素原子数１ないし４のアルキル）基（ここで、該アルキル基は、ＯＨ、
ＮＨ2、炭素原子数１ないし４のアルキル基、ＣＮ及びＣＯＯＨからなる群から選ばれた
少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数１ないし４のアルキル基、ＣＮ及びＣＯＯＨからなる群から選
ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基；又は−ＣＯ−アリーレン基を表し；
ｎは、０；１；２又は３を表し、
ｎ’は、０；１又は２を表し、
ｎ’’は、０又は１を表し、
ｍは、０；１又は２を表し、
ｍ１は、０；１又は２を表し、
各々のＭは、各々互いに独立して、水素原子；アルカリ金属イオン又はアンモニウムイオンを表す。]。
【請求項７】
前記Ｄが、下記の式（Ｉ’）−（ＸＸＸＩＩ’）で表される基を表す、請求項２記載の方法。
【化２１】
2008511764.tif 000209
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ハロゲン原子；ＯＨ；ＮＯ2；ＣＯＯＨ又はＣＯＯ（炭素原子数１ないし４のアルキル）基を表し、
Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【化２２】
2008511764.tif 000210
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原
子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１又は２のアルキル）基を表し、Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【化２３】
2008511764.tif 000211
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１ないし４のアルキル）基を表し、
Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたア
リーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【化２４】
2008511764.tif 000212
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１又は２のアルキル）基を表し、Ｇは、直接結合又はＣＯＯ（炭素原子数１又は２のアルキレン）基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【化２５】
2008511764.tif 000213
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｇは、直接結合又はＣＯＯ（炭素原子数１又は２のアルキレン）基を表し、
ｎは、０；１又は２を表し、
ｎ’’は、０又は１を表し、
ｍは、０又は１を表し、
各々のＭは、各々互いに独立して、水素原子；Ｎａ+又はＫ+を表す。）；
【化２６】
2008511764.tif 000214
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｇは、直接結合又はＣＯＯ（炭素原子数１又は２のアルキレン）基を表し、
ｎは、０；１又は２を表し、
ｎ’’は、０又は１を表し、
ｍは、０又は１を表し、
各々のＭは、各々互いに独立して、水素原子；Ｎａ+又はＫ+を表す。）；
【化２７】
2008511764.tif 000215
（式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2又はＮＨＣＯＯ（炭素原子数１ないし４のアルキル）基を表し、
Ｚ1は、ＯＨ又はＮＨＣＯ（炭素原子数１ないし４のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１又は２のアルキレン基を表し、
ｎは、０；１又は２を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。）；
【化２８】
2008511764.tif 000216
（式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2又はＮＨＣＯＯ（炭素原子数１ないし４のアルキル）基を表し、
Ｚ1は、ＯＨ又はＮＨＣＯ（炭素原子数１ないし４のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。）；
【化２９】
2008511764.tif 000217
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨ−アリール基又はＮＨ−アリール基（ここで、該アリール基は、ＳＯ3Ｈ、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３０】
2008511764.tif 000218
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨ−アリール基又はＮＨ−アリール基（ここで、該アリール基は、ＳＯ3Ｈ、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３１】
2008511764.tif 000219
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
mは、０又は１を表し、
ｍ１は、０又は１を表し、
各々のＭは、各々互いに独立して、水素原子；Ｎａ+又はＫ+を表す。]；
【化３２】
2008511764.tif 000220
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３３】
2008511764.tif 000221
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｍは、０又は１を表し、
ｍ１は、０又は１を表し、
各々のＭは、各々互いに独立して、水素原子；Ｎａ+又はＫ+を表す。]；
【化３４】
2008511764.tif 000222
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｍは、０又は１を表し、
ｍ１は、０又は１を表し、
各々のＭは、各々互いに独立して、水素原子；Ｎａ+又はＫ+を表す。]；
【化３５】
2008511764.tif 000223
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１
ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３６】
2008511764.tif 000224
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３７】
2008511764.tif 000225
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１
ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【化３８】
2008511764.tif 000226
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【化３９】
2008511764.tif 000227
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基
；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【化４０】
2008511764.tif 000228
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【化４１】
2008511764.tif 000229
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；又は
【化４２】
2008511764.tif 000230
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]、
【化４３】
2008511764.tif 000231
[式中、*は、架橋基Ｌへの結合の印であり、
Ｚ2は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基又はＯＨを表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１
又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ5は、水素原子；線状の又は枝分かれした、未置換の炭素原子数１又は２のアルキル基
又は
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、０；１又は２を表し、
ｎ’は、０又は１を表し、
各々のＭは、各々互いに独立して、水素原子；Ｎａ+又はＫ+を表す。]；
【化４４】
2008511764.tif 000232
[式中、*は、架橋基Ｌへの結合の印であり、
Ｚ2は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基又はＯＨを表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ5は、水素原子；線状の又は枝分かれした、未置換の炭素原子数１又は２のアルキル基
又は
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
各々のＭは、各々互いに独立して、水素原子；Ｎａ+又はＫ+を表す。]；
【化４５】
2008511764.tif 000233
[式中、*は、架橋基Ｌへの結合の印であり、
Ｚ2は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ5は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１又は２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
各々のｎは、各々互いに独立して、１；２又は３を表し、
各々のＭは、各々互いに独立して、水素原子；Ｎａ+又はＫ+を表す。]；
【化４６】
2008511764.tif 000234
[式中、*は、架橋基Ｌへの結合の印であり、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基
及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ4は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＳＯ2ＣＨ2ＣＨ2ＳＯ3Ｈ；又はＮＯ2を表し、
Ｚ5は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ6は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１又は２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１又は２を表し、
ｎ’は、０又は１を表し、
各々のＭは、各々互いに独立して、水素原子；Ｎａ+又はＫ+を表す。]、
【化４７】
2008511764.tif 000235
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ2は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又
は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｍは、０又は１を表し、
ｍ１は、０又は１を表し、
ｎは、０又は１を表し、
各々のｎ’は、各々互いに独立して、０；１又は２を表し、
各々のＭは、各々互いに独立して、水素原子；Ｎａ+又はＫ+を表す。]、
【化４８】
2008511764.tif 000236
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化４９】
2008511764.tif 000237
（式中、Ｚ2及びＺ3は、上記で定義した通りの意味を有する。）で表される部分を表し、ｍは、０又は１を表し、
ｍ１は、０又は１を表し、
ｎは、０又は１を表し、
ｎ’は、０；１又は２を表し、
各々のＭは、各々互いに独立して、水素原子；Ｎａ+又はＫ+を表す。]、
【化５０】
2008511764.tif 000238
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１
ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化５１】
2008511764.tif 000239
（式中、Ｚ2及びＺ3は、上記で定義した通りの意味を有する。）で表される部分を表し、ｍは、０又は１を表し、
ｍ１は、０又は１を表し、
各々のｎは、各々互いに独立して、０；１又は２を表し、
各々のＭは、各々互いに独立して、水素原子；Ｎａ+又はＫ+を表す。]、
【化５２】
2008511764.tif 000240
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；ＮＨ2又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化５３】
2008511764.tif 000241
（式中、Ｚ2及びＺ3は、上記で定義した通りの意味を有する。）で表される部分を表し、ｍは、０又は１を表し、
ｍ１は、０又は１を表し、
ｎは、１；２又は３を表し、
ｎ’は、０；１又は２を表し、
各々のＭは、各々互いに独立して、水素原子；Ｎａ+又はＫ+を表す。]、
【化５４】
2008511764.tif 000242
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；ＮＨ2又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及
びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化５５】
2008511764.tif 000243
（式中、Ｚ2及びＺ3は、上記で定義した通りの意味を有する。）で表される部分を表し、ｍは、０又は１を表し、
ｍ１は、０又は１を表し、
ｎは、１；２又は３を表し、
ｎ’は、０；１又は２を表し、
各々のＭは、各々互いに独立して、水素原子；Ｎａ+又はＫ+を表す。]。
【請求項８】
前記Ｄが、下記の式（ＸＸＸＩＩＩ）ないし（ＸＸＸＶ）
【化５６】
2008511764.tif 000244
（式中、*は、架橋基への結合の印である。）で表される基を表す、請求項２記載の方法
。
【請求項９】
少なくとも１種の下記の式（８）で表される化合物及び／又は式（９）で表される化合物を含む請求項２記載の方法。
【化５７】
2008511764.tif 000245
[式中、Ｍｅは、Ｚｎ、ＡｌＺ1、Ｓｉ（ＩＶ）−（Ｚ1）2又はＴｉ（ＩＶ）−（Ｚ1）2（式中、Ｚ1は、塩素原子、フッ素原子、臭素原子又はヒドロキシル基を表す。）を表し、
各々のＱ1は、各々互いに独立して、スルホ基又はカルボキシル基；又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし４のアルキレン基；１，３−フェニレン基又は１，４−フェニレン基を表し、
Ｘ2は、−ＮＨ−又は−Ｎ（炭素原子数１ないし４のアルキル）基を表し、
Ｘ3+は、式
【化５８】
2008511764.tif 000246
で表される基、又はＲ1＝炭素原子数１ないし４のアルキレン基の場合、また式
【化５９】
2008511764.tif 000247
で表される基を表し、
Ｙ1+は、式
【化６０】
2008511764.tif 000248
で表される基を表し、
ｔは、０又は１を表し、
（上記式中、
Ｒ2及びＲ3は、互いに独立して、炭素原子数１ないし６のアルキル基を表し、
Ｒ4は、炭素原子数１ないし４のアルキル基；ペンチル基；ヘキシル基又はＮＲ7Ｒ8を表
し、
Ｒ5及びＲ6は、互いに独立して、炭素原子数１ないし４のアルキル基を表し、
Ｒ7及びＲ8は、互いに独立して、水素原子又は炭素原子数１ないし４のアルキル基を表し、
Ｒ9及びＲ10は、互いに独立して、未置換の炭素原子数１ないし４のアルキル基、又はヒ
ドロキシル基、シアノ基、カルボキシル基、ＳＯ3Ｈ、−ＮＨ2、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし４のアルキル基を表し、
ｕは、１ないし６を表し、
Ａ1は、ピロール環；イミダゾール環；ピリジン環；ピラジン環；ピリミジン環；ピリダ
ジン環を完成する単位を表し、及び
Ｂ1は、モルホリノ環；ピロリジン環；ピペラジン環又はピペリジン環を完成する単位を
表す。）]で表される基を表し、
各々のＱ2は、各々互いに独立して、ヒドロキシル基；炭素原子数１ないし１０のアルキ
ル基；枝分かれした炭素原子数３ないし１０のアルキル基；炭素原子数２ないし１０のアルケニル基；枝分かれした３ないし１０のアルケニル基及びそれらの混合物；炭素原子数１ないし１０のアルコキシ基；スルホ基又はカルボキシル基；式
【化６１】
2008511764.tif 000249
【化６２】
2008511764.tif 000250
で表される基；式
【化６３】
2008511764.tif 000251
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし１８のアルキル基；炭
素原子数１ないし１８のアルコキシ基；−ＣＯ2Ｈ；−ＣＨ2ＣＯＯＨ；−ＳＯ3-Ｍ1；−
ＯＳＯ3-Ｍ1；−ＰＯ32-Ｍ1；−ＯＰＯ32-Ｍ1；及びそれらの混合物を表し、
Ｂ3は、水素原子；ヒドロキシル基；−ＣＯＯＨ；−ＳＯ3-Ｍ1；−ＯＳＯ3-Ｍ1又は炭素
原子数１ないし４のアルコキシ基を表し、
Ｍ1は、水素原子；アルカリ金属イオン又はアンモニウムイオンを表し；
Ｔ1は、−Ｏ−又は−ＮＨ−を表し、
Ｘ1及びＸ4は、互いに独立して、−Ｏ−；−ＮＨ−又は−Ｎ（炭素原子数１ないし４のアルキル）基を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つは、スルホ基又はカルボキシル基又はそれらの塩を表し、
Ｙ2は、−Ｏ−；−Ｓ−；−ＮＨ−又は−Ｎ（炭素原子数１ないし４のアルキル）−を表
し、
Ｒ13及びＲ14は、互いに独立して、水素原子；炭素原子数１ないし４のアルキル基；ヒドロキシ−炭素原子数１ないし４のアルキル基；シアノ−炭素原子数１ないし４のアルキル基；スルホ−炭素原子数１ないし４のアルキル基；カルボキシ基又はハロゲン−炭素原子数１ないし４のアルキル基；未置換のフェニル基又はハロゲン原子、炭素原子数１ないし４のアルキル基及び炭素原子数１ないし４のアルコキシ基からなる群から選ばれた少なくとも１つの置換基によって置換されたフェニル基；スルホ基又はカルボキシル基を表すか、又はＲ13及びＲ14は、それらが結合する窒素原子と一緒になってモルホリノ環、ピペラジン環又はピペリジン環を形成し、
Ｒ15及びＲ16は、互いに独立して、炭素原子数１ないし４のアルキル基又はアリール−炭素原子数１ないし４のアルキル基を表し、
Ｒ17は、水素原子；未置換の炭素原子数１ないし４のアルキル基又はハロゲン原子、ヒドロキシル基、シアノ基、ＳＯ3Ｈ、−ＮＨ2、フェニル基、カルボキシル基、カルボ−炭素原子数１ないし４のアルコキシ基又は炭素原子数１ないし６のアルコキシ基からなる群から選ばれた少なくとも１つの置換基によって置換された炭素原子数１ないし４のアルキル基を表し、
Ｒ18は、炭素原子数１ないし１０のアルキル基；枝分かれした炭素原子数３ないし１０のアルキル基；炭素原子数１ないし１０のアルケニル基又は枝分かれした炭素原子数３ないし１０のアルケニル基；炭素原子数３ないし２２のグリコール基；炭素原子数１ないし１０のアルコキシ基；枝分かれした炭素原子数３ないし１０のアルコキシ基；及びそれらの混合物を表し、
Ｍは、水素原子；Ｎａ+；Ｋ+又はアンモニウムイオンを表し、
Ｚ2-は、アルカノレート；ヒドロキシルイオン；Ｒ0ＣＯＯ-；ＣｌＯ4-；ＢＦ4-；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭素原子
数１ないし１８のアルキル基；又はヒドロキシル基、シアノ基、カルボキシル基、ＳＯ3
Ｈ、−ＮＨ2、カルボ−炭素原子数１ないし６のアルコキシ基、炭素原子数１ないし６の
アルコキシ基、フェニル基、ナフチル基及びピリジル基からなる群から選ばれた少なくとも１つの置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１つの置換基によって置換されたアリール基を表す。）を表し、
ａは、０又は１を表し、
ｂは、０ないし６を表し、
ｃは、０ないし１００を表し、
ｄは、０；又は１を表し、
ｅは、０ないし２２を表し、
ｖは、２ないし１２の整数を表し、
ｗは、０又は１を表し、及び
Ａ-は、有機又は無機アニオンを表し、及び
ｓは、１価のアニオンＡ-の場合、ｒ2、ｒ3、ｒ4及びｒ5と等しく、及び多価アニオンの
場合、ｒ2、ｒ3、ｒ4及びｒ5以下であり、ＡS-は正の電荷を補う必要があり；ここでｒ2
、ｒ3、ｒ4及びｒ5≠１である場合、基Ｑ1は、同一又は異なり得、
各々のＬは、各々互いに独立して、直接結合；−ＳＯ2−；−Ｏ−；−ＯＲ19−；−ＯＲ19Ｏ−；−ＯＲ19Ｎ（Ｒ20）−；−Ｎ（Ｒ20）−；−（ＣＨ2ＣＨ2Ｏ−）n−；−Ｃ（Ｏ）−；−Ｃ（Ｏ）Ｎ（Ｒ20）−；−Ｎ（Ｒ20）Ｃ（Ｏ）−；−ＯＣ（Ｏ）−；−Ｃ（Ｏ）Ｏ−；−Ｓ−；未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；未置換の炭素原子数５ないし１８のアリーレン基；ヒドロキシル基、シアノ基、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、ここで、Ｒ19は、未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし１８のアルキレン基；未置換の炭素原子数５ないし１８のアリーレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ない���４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、
Ｒ20は、未置換の、線状の又は枝分かれした炭素原子数１ないし１８のアルキル基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキル基；未置換の炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリール基；未置換の、線状の又は枝分かれした炭素原子数１ないし１８のアルコキシ基又はヒドロキシル基、シアノ基、ＳＯ3Ｈ、−Ｎ
Ｈ2、カルボキシル基、カルボ−炭素原子数１ないし４のアルコキシ基、炭素原子数１な
いし４のアルキル基、フェニル基、ナフチル基及びピリジル基からなる群から選ばれた少なくとも１つの置換基によって置換された線状の又は枝分かれした炭素原子数１ないし１８のアルコキシ基を表し、
ｎは、１；２；３又は４を表し、
各々のＤは、各々互いに独立して、式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、（ＸＩ）、（ＸＩＩ）、（ＸＩＩＩ）、（ＸＩＶ）、（ＸＶ）、（ＸＶＩ）、（ＸＶＩＩ）、（ＸＶＩＩＩ）、（ＸＩＸ）、（ＸＸ）、（ＸＸＩ）、（ＸＸＩＩ）、（ＸＸＩＩＩ）、（ＸＸＩＶ）、（ＸＸＶ）、（ＸＸＶＩ）、（ＸＸＶＩＩａ）、（ＸＸＶＩＩｂ）、（ＸＸＶＩＩｃ）、（ＸＸＶＩＩｄ）、（ＸＸＶＩＩＩ）、（ＸＸＩＸ）、（ＸＸＸ）、（ＸＸＸＩ）、（ＸＸＸＩＩ）、（ＸＸＸＩＩＩ）、（ＸＸＸＩＶ）、（ＸＸＸＶ）、（Ｉ’）、（ＩＩ’）、（ＩＩＩ’）、（ＩＶ’）、（Ｖ’）、（ＶＩ’）、（ＶＩＩａ’）、（ＶＩＩｂ’）、（ＶＩＩＩ’）、（ＩＸ’）、（Ｘ’）、（ＸＩ’）、（ＸＩＩ’）、（ＸＩＩＩ’）、（ＸＩＶ’）、（ＸＶ’）、（ＸＶＩ’）、（ＸＶＩＩ’）、（ＸＶＩＩＩ’）、（ＸＩＸ’）、（ＸＸ’）、（ＸＸＩ’）、（ＸＸＶＩＩａ’）、（ＸＸＶＩＩｂ’）、（ＸＸＶＩＩｃ’）、（ＸＸＶＩＩｄ’）、（ＸＸＶＩＩＩ’）、（ＸＸＩＸ’）、（ＸＸＸ’）、（ＸＸＸＩ’）、（ＸＸＸＩＩ’）で表される染料基を表し、
ｒ2は、０又は１を表し、
ｒ3は、０又は１を表し、及び
ｒ4は、０又は１を表す。]。
【請求項１０】
前記シェーディング方法が、洗濯洗浄プロセスの一部であることを特徴とする、請求項１ないし請求項９のいずれか１項に記載のシェーディング方法。
【請求項１１】
少なくとも１種の請求項２に記載の式（１ａ）で表される化合物及び／又は式（１ｂ）で表される化合物を含むシェーディング組成物（Ａ）。
【請求項１２】
少なくとも１種の請求項８に記載の式（８）で表される化合物及び／又は式（９）で表される化合物を含む、請求項１１記載のシェーディング組成物（Ａ’’）。
【請求項１３】
粒質物の形態にある請求項１１又は請求項１２記載のシェーディング組成物であって、
ａ）該粒質物の総質量に基づき、２ないし７５質量％の請求項１１及び請求項１２に定義された少なくとも１種のシェーディング組成物（Ａ）及び／又は（Ａ’’）、
ｂ）該粒質物の総質量に基づき、１０ないし９５質量％の少なくとも１種の更なる添加物、及び
ｃ）該粒質物の総質量に基づき、０ないし１５質量％の水
を含む組成物。
【請求項１４】
液体形態にある請求項１１又は請求項１２に記載のシェーディング組成物であって、
（ａ）該液体配合物の総質量に基づき、０．０１ないし９５質量％、好ましくは１ないし８０質量％、より好ましくは５ないし７０質量の請求項１１及び請求項１２に定義された少なくとも１種のシェーディング組成物（Ａ）及び／又は（Ａ’’）、
（ｂ）該液体配合物の総質量に基づき、５ないし９９．９９質量％、好ましくは２０ないし９９質量％、より好ましくは３０ないし９５質量％の少なくとも１種の有機溶媒、及び（ｃ）該液体配合物の総質量に基づき、０ないし１０質量％、好ましくは０ないし５質量％、より好ましくは０ないし２質量％の少なくとも１種の更なる添加剤
を含む組成物。
【請求項１５】
洗浄用配合物（ＷＡＦ）であって、
Ｉ）該洗浄用配合物の総質量に基づき、５ないし７０質量％の、Ａ）少なくとも１種のアニオン性界面活性剤及び／又はＢ）少なくとも１種の非イオン性界面活性剤、
ＩＩ）該洗浄用配合物の総質量に基づき、５ないし６０質量％の、Ｃ）少なくとも１種のビルダー物質、
ＩＩＩ）該洗浄用配合物の総質量に基づき、０ないし３０質量％の、Ｄ）少なくとも１種の過酸化物及び、所望により少なくとも１種の活性化剤及び／又は少なくとも１種の触媒、
ＩＶ）該洗浄用配合物の総質量に基づき、０．００１ないし１質量％の、Ｅ）請求項１３において定義される粒質物、
Ｖ）該洗浄用配合物の総質量に基づき、０ないし６０質量％の、Ｆ）少なくとも１種の更なる添加剤、及び
ＶＩ）該洗浄用配合物の総質量に基づき、０ないし５質量％の、Ｇ）水
を含む洗浄用配合物。
【請求項１６】
織物柔軟剤配合物（ＦＳＦ）であって、
（ａ）請求項１１及び請求項１２に記載の少なくとも１種のシェーディング組成物（Ａ）及び／又は（Ａ’’）、及び
（ｂ）少なくとも１種の織物柔軟剤
を含む織物柔軟剤配合物。
【請求項１７】
少なくとも１種の染料が、共有結合によって結合されているＺｎ−、Ｃａ−、Ｍｇ−、Ｎａ−、Ｋ−、Ａｌ−、Ｓｉ−、Ｔｉ−、Ｇｅ−、Ｇａ−、Ｚｒ−、Ｉｎ−又はＳｎ−フタロシアニン化合物。
【請求項１８】
下記の式（１ａ）で表される化合物及び／又は式（１ｂ）で表される化合物である請求項１７記載の化合物。
【化６４】
2008511764.tif 000252
[式中、ＰＣは、フタロシアニン環系を表し、
Ｍｅは、Ｚｎ；Ｃａ；Ｍｇ；Ｎａ；Ｋ；Ａｌ−Ｚ1；Ｓｉ（ＩＶ）−（Ｚ1）2；Ｔｉ（Ｉ
Ｖ）−（Ｚ1）2；Ｇｅ（ＩＶ）−（Ｚ1）2；Ｇａ（ＩＩＩ）−Ｚ1；Ｚｒ（ＩＶ）−（Ｚ1）2；Ｉｎ（ＩＩＩ）−Ｚ1又はＳｎ（ＩＶ）−（Ｚ1）2）を表し、
Ｚ1は、アルカノレートイオン；ヒドロキシルイオン；Ｒ0ＣＯＯ-；ＣｌＯ4-；ＢＦ4-；
ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭
素原子数１ないし１８のアルキル基；又はヒドロキシル基、シアノ基、カルボキシル基、−ＳＯ3Ｈ，−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシ基、シアノ基、カルボキシル基、−ＳＯ3Ｈ，−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）を表し、
ｒは、０；１；２；３又は４を表し、
ｒ’は、１；２；３又は４を表し、
各々のＱ1は、各々互いに独立して、スルホ基又はカルボキシル基又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし８のアルキレン基；１，３−フェニレン基又は１，４−フェニレン基を表し、
Ｘ2は、−ＮＨ−又は−Ｎ（炭素原子数１ないし５のアルキル）−を表し、
Ｘ3+は、式
【化６５】
2008511764.tif 000253
で表される基、
又は、Ｒ1＝炭素原子数１ないし８のアルキレン基である場合、また式
【化６６】
2008511764.tif 000254
で表される基を表し、
Ｙ1+は、式
【化６７】
2008511764.tif 000255
で表される基を表し、
ｔは、０又は１を表し、
上記式中、
Ｒ2及びＲ3は、互いに独立して、炭素原子数１ないし６のアルキル基を表し、
Ｒ4は、炭素原子数１ないし６のアルキル基；炭素原子数５ないし７のシクロアルキル基
又はＮＲ7Ｒ8を表し、
Ｒ5及びＲ6は、互いに独立して、炭素原子数１ないし５のアルキル基を表し、
Ｒ7及びＲ8は、互いに独立して、水素原子又は炭素原子数１ないし５のアルキル基を表し、
Ｒ9及びＲ10は、互いに独立して、未置換の炭素原子数１ないし６のアルキル基又はヒド
ロキシル基、シアノ基、カルボキシル基、−ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし６のアルキル基を表し、
ｕは、１ないし６を表し、
Ａ1は、適切ならば環員として１個又は２個の更なる窒素原子も含有し得る芳香族５−な
いし７−員環窒素複素環を完成する単位を表し、
Ｂ1は、適切ならば環員として１個又は２個の窒素原子、酸素原子及び／又は硫黄原子も
含有し得る飽和５−ないし７−員環窒素複素環を完成する単位を表す。]で表される基を
表し、
各々のＱ’は、各々互いに独立して、式−Ｌ−Ｄ（式中、Ｌは直接結合又は架橋基を表し、及びＤは染料の基を表す。）で表される部分を表し、
各々のＱ2は、各々互いに独立して、ヒドロキシル基；炭素原子数１ないし２２のアルキ
ル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化６８】
2008511764.tif 000256
で表される基；式
【化６９】
2008511764.tif 000257
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし３０のアルキル基；炭
素原子数１ないし３０のアルコキシ基；−ＣＯ2Ｈ；−ＣＨ2ＣＯＯＨ；
−ＳＯ3-Ｍ1；−ＯＳＯ3-Ｍ1；−ＰＯ32-Ｍ1；−ＯＰＯ32-Ｍ1；及びそれらの混合物を表し、
Ｂ3は、水素原子；ヒドロキシル基：−ＣＯＯＨ；−ＳＯ3-Ｍ1；−ＯＳＯ3-Ｍ1又は炭素
原子数１ないし６のアルコキシ基を表し、
Ｍ1は、水溶性カチオンを表し、
Ｔ1は、−Ｏ−又は−ＮＨ−を表し、
Ｘ1及びＸ4は、互いに独立して、−Ｏ−；−ＮＨ−又は−Ｎ（炭素原子数１ないし５のアルキル）−を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つがスルホ基もしくはカルボキシル基又はその塩であり、
Ｙ2は、−Ｏ−；−Ｓ−；−ＮＨ−又は−Ｎ（炭素原子数１ないし５のアルキル）−を表
し、
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ基又はハロ−炭素原子数１ないし６のアルキル基；未置換のフェニル基又はハロゲン原子、炭素原子数１ないし４のアルキル基、炭素原子数１ないし４のアルコキシ基、スルホ基からなる群から選ばれた少なくとも１個の置換基によって又はカルボキシ基によって置換されたフェニル基を表し；又はＲ18及びＲ19は、それらが結合する窒素原子と一緒になって、加えて環員として更なる窒素原子又は酸素原子を含有し得る飽和５−又は６−員複素環を形成し、
Ｒ15及びＲ16は、互いに独立して、炭素原子数１ないし６のアルキル基、又はアリール−炭素原子数１ないし６のアルキル基を表し、
Ｒ17は、水素原子；未置換の炭素原子数１ないし６のアルキル基又はハロゲン原子、ヒドロキシル基、シアノ基、ＳＯ3Ｈ、−ＮＨ2、フェニル基、カルボキシル基、カルボ−炭素原子数１ないし６のアルコキシ基及び炭素原子数１ないし６のアルコキシ基からなる群から選ばれた少なくとも１個の置換基によって置換された炭素原子数１ないし６のアルキル基を表し、
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表し、
Ｍは、水素原子；又はアルカリ金属イオン又はアンモニウムイオンを表し、
Ｚ2は、アルカノレートイオン；ヒドロキシルイオン；Ｒ0ＣＯＯ-；ＣｌＯ4-；  ＢＦ4-
；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオンを表し（ここで、Ｒ0は水素原子；又は未置
換の炭素原子数１ないし１８のアルキル基；又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）、
ａは、０又は１を表し、
ｂは、０ないし６を表し、
ｃは、０ないし１００を表し、
ｄは、０又は１を表し、
ｅは、０ないし２２を表し、
ｖは、２ないし１２の整数を表し、
ｗは、０又は１を表し、及び
Ａ-は、有機又は無機アニオンを表し、及び
ｓは、一価のアニオンＡ-の場合、ｒと等しく、及び多価アニオンの場合、ｒ以下であり
、Ａs-は正の電荷を補う必要があり；ｒ≠１の場合、基Ｑ1は同一又は異なり、
及びフタロシアニン環系は更なる可溶化基をも含み得る。]。
【請求項１９】
下記の式（８）で表される化合物及び式（９）で表される化合物である請求項１７記載の化合物。
【化７０】
2008511764.tif 000258
[式中、Ｍｅは、Ｚｎ、ＡｌＺ1、Ｓｉ（ＩＶ）−（Ｚ1）2又はＴｉ（ＩＶ）−（Ｚ1）2（式中、Ｚ1は、塩素原子、フッ素原子、臭素原子又はヒドロキシル基を表す。）を表し、
各々のＱ1は、各々互いに独立して、スルホ基又はカルボキシル基；又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし４のアルキレン基；１，３−フェニレン基又は１，４−フェニレン基を表し、
Ｘ2は、−ＮＨ−又は−Ｎ（炭素原子数１ないし４のアルキル）−を表し、
Ｘ3+は、式
【化７１】
2008511764.tif 000259
で表される基、又はＲ1＝炭素原子数１ないし４のアルキレン基の場合、また式
【化７２】
2008511764.tif 000260
で表される基を表し、
Ｙ1+は、式
【化７３】
2008511764.tif 000261
で表される基を表し、
ｔは、０又は１を表し、
上記式中、
Ｒ2及びＲ3は、互いに独立して、炭素原子数１ないし６のアルキル基を表し、
Ｒ4は、炭素原子数１ないし４のアルキル基；ペンチル基；ヘキシル基又はＮＲ7Ｒ8を表
し、
Ｒ5及びＲ6は、互いに独立して、炭素原子数１ないし４のアルキル基を表し、
Ｒ7及びＲ8は、互いに独立して、水素原子又は炭素原子数１ないし４のアルキル基を表し、
Ｒ9及びＲ10は、互いに独立して、未置換の炭素原子数１ないし４のアルキル基、又はヒ
ドロキシル基、シアノ基、カルボキシル基、ＳＯ3Ｈ、−ＮＨ2、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし４のアルキル基を表し、
ｕは、１ないし６を表し、
Ａ1は、ピロール環；イミダゾール環；ピリジン環；ピラジン環；ピリミジン環；ピリダ
ジン環を完成する単位を表し、及び
Ｂ1は、モルホリノ環；ピロリジン環；ピペラジン環又はピペリジン環を完成する単位を
表す。]で表される基を表し、
各々のＱ2は、各々互いに独立して、ヒドロキシル基；炭素原子数１ないし１０のアルキ
ル基；枝分かれした炭素原子数３ないし１０のアルキル基；炭素原子数２ないし１０のアルケニル基；枝分かれした３ないし１０のアルケニル基及びそれらの混合物；炭素原子数１ないし１０のアルコキシ基；スルホ基又はカルボキシル基；式
【化７４】
2008511764.tif 000262
【化７５】
2008511764.tif 000263
で表される基；式
【化７６】
2008511764.tif 000264
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし１８のアルキル基；炭
素原子数１ないし１８のアルコキシ基；−ＣＯ2Ｈ；−ＣＨ2ＣＯＯＨ；−ＳＯ3-Ｍ1；−
ＯＳＯ3-Ｍ1；−ＰＯ32-Ｍ1；−ＯＰＯ32-Ｍ1；及びそれらの混合物を表し、
Ｂ3は、水素原子；ヒドロキシル基；−ＣＯＯＨ；−ＳＯ3-Ｍ1；−ＯＳＯ3-Ｍ1又は炭素
原子数１ないし４のアルコキシ基を表し、
Ｍ1は、水素原子；アルカリ金属イオン又はアンモニウムイオンを表し；
Ｔ1は、−Ｏ−又は−ＮＨ−を表し、
Ｘ1及びＸ4は、互いに独立して、−Ｏ−；−ＮＨ−又は−Ｎ（炭素原子数１ないし４のアルキル）−を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つは、スルホ基又はカルボキシル基又はそれらの塩を表し、
Ｙ2は、−Ｏ−；−Ｓ−；−ＮＨ−又は−Ｎ（炭素原子数１ないし４のアルキル）基を表
し、
Ｒ13及びＲ14は、互いに独立して、水素原子；炭素原子数１ないし４のアルキル基；ヒドロキシ−炭素原子数１ないし４のアルキル基；シアノ−炭素原子数１ないし４のアルキル基；スルホ−炭素原子数１ないし４のアルキル基；カルボキシ基又はハロゲン−炭素原子数１ないし４のアルキル基；未置換のフェニル基又はハロゲン原子、炭素原子数１ないし４のアルキル基及び炭素原子数１ないし４のアルコキシ基からなる群から選ばれた少なくとも１つの置換基によって置換されたフェニル基；スルホ基又はカルボキシル基を表すか、又はＲ13及びＲ14は、それらが結合する窒素原子と一緒になってモルホリノ環、ピペラジン環又はピペリジン環を形成し、
Ｒ15及びＲ16は、互いに独立して、炭素原子数１ないし４のアルキル基又はアリール−炭素原子数１ないし４のアルキル基を表し、
Ｒ17は、水素原子；未置換の炭素原子数１ないし４のアルキル基又はハロゲン原子、ヒドロキシル基、シアノ基、ＳＯ3Ｈ、−ＮＨ2、フェニル基、カルボキシル基、カルボ−炭素原子数１ないし４のアルコキシ基又は炭素原子数１ないし６のアルコキシ基からなる群から選ばれた少なくとも１つの置換基によって置換された炭素原子数１ないし４のアルキル基を表し、
Ｒ18は、炭素原子数１ないし１０のアルキル基；枝分かれした炭素原子数３ないし１０のアルキル基；炭素原子数１ないし１０のアルケニル基又は枝分かれした炭素原子数３ないし１０のアルケニル基；炭素原子数３ないし２２のグリコール基；炭素原子数１ないし１０のアルコキシ基；枝分かれした炭素原子数３ないし１０のアルコキシ基；及びそれらの混合物を表し、
Ｍは、水素原子；Ｎａ+；Ｋ+又はアンモニウムイオンを表し、
Ｚ2-は、アルカノレート；ヒドロキシル基；Ｒ0ＣＯＯ-；ＣｌＯ4-；ＢＦ4-；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭素原子数１
ないし１８のアルキル基；又はヒドロキシル基、シアノ基、カルボキシル基、ＳＯ3Ｈ、
−ＮＨ2、カルボ−炭素原子数１ないし６のアルコキシ基、炭素原子数１ないし６のアル
コキシ基、フェニル基、ナフチル基及びピリジル基からなる群から選ばれた少なくとも１つの置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１つの置換基によって置換されたアリール基を表す。）を表し、
ａは、０又は１を表し、
ｂは、０ないし６を表し、
ｃは、０ないし１００を表し、
ｄは、０；又は１を表し、
ｅは、０ないし２２を表し、
ｖは、２ないし１２の整数を表し、
ｗは、０又は１を表し、及び
Ａ-は、有機又は無機アニオンを表し、及び
ｓは、１価のアニオンＡ-の場合、ｒ2、ｒ3、ｒ4及びｒ5と等しく、及び多価アニオンの
場合、ｒ2、ｒ3、ｒ4及びｒ5以下であり、ＡS-は正の電荷を補う必要があり；ここでｒ2
、ｒ3、ｒ4及びｒ5≠１である場合、基Ｑ1は、同一又は異なり得、
各々のＬは、各々互いに独立して、直接結合；−ＳＯ2−；−Ｏ−；−ＯＲ19−；−ＯＲ19Ｏ−；−ＯＲ19Ｎ（Ｒ20）−；−Ｎ（Ｒ20）−；−（ＣＨ2ＣＨ2Ｏ−）n−；−Ｃ（Ｏ）−；−Ｃ（Ｏ）Ｎ（Ｒ20）−；−Ｎ（Ｒ20）Ｃ（Ｏ）−；−ＯＣ（Ｏ）−；−Ｃ（Ｏ）Ｏ−；−Ｓ−；未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；未置換の炭素原子数５ないし１８のアリーレン基；ヒドロキシル基、シアノ基、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、ここで、Ｒ19は、未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし１８のアルキレン基；未置換の炭素原子数５ないし１８のアリーレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ない���４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、カルボキシル基、カルボ−炭素原子数１ないし４の
アルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、
Ｒ20は、未置換の、線状の又は枝分かれした炭素原子数１ないし１８のアルキル基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキル基；未置換の炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリール基；未置換の、線状の又は枝分かれした炭素原子数１ないし１８のアルコキシ基又はヒドロキシル基、シアノ基、ＳＯ3Ｈ、−Ｎ
Ｈ2、カルボキシル基、カルボ−炭素原子数１ないし４のアルコキシ基、炭素原子数１な
いし４のアルキル基、フェニル基、ナフチル基及びピリジル基からなる群から選ばれた少なくとも１つの置換基によって置換された線状の又は枝分かれした炭素原子数１ないし１８のアルコキシ基を表し、
ｎは、１；２；３又は４を表し、
各々のＤは、各々互いに独立して、式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、（ＸＩ）、（ＸＩＩ）、（ＸＩＩＩ）、（ＸＩＶ）、（ＸＶ）、（ＸＶＩ）、（ＸＶＩＩ）、（ＸＶＩＩＩ）、（ＸＩＸ）、（ＸＸ）、（ＸＸＩ）、（ＸＸＩＩ）、（ＸＸＩＩＩ）、（ＸＸＩＶ）、（ＸＸＶ）、（ＸＸＶＩ）、（ＸＸＶＩＩａ）、（ＸＸＶＩＩｂ）、（ＸＸＶＩＩｃ）、（ＸＸＶＩＩｄ）、（ＸＸＶＩＩＩ）、（ＸＸＩＸ）、（ＸＸＸ）、（ＸＸＸＩ）、（ＸＸＸＩＩ）、（ＸＸＸＩＩＩ）、（ＸＸＸＩＶ）、（ＸＸＸＶ）、（Ｉ’）、（ＩＩ’）、（ＩＩＩ’）、（ＩＶ’）、（Ｖ’）、（ＶＩ’）、（ＶＩＩａ’）、（ＶＩＩｂ’）、（ＶＩＩＩ’）、（ＩＸ’）、（Ｘ’）、（ＸＩ’）、（ＸＩＩ’）、（ＸＩＩＩ’）、（ＸＩＶ’）、（ＸＶ’）、（ＸＶＩ’）、（ＸＶＩＩ’）、（ＸＶＩＩＩ’）、（ＸＩＸ’）、（ＸＸ’）、（ＸＸＩ’）、（ＸＸＶＩＩａ’）、（ＸＸＶＩＩｂ’）、（ＸＸＶＩＩｃ’）、（ＸＸＶＩＩｄ’）、（ＸＸＶＩＩＩ’）、（ＸＸＩＸ’）、（ＸＸＸ’）、（ＸＸＸＩ’）、（ＸＸＸＩＩ’）で表される染料基を表し、
ｒ2は、０又は１を表し、
ｒ3は、０又は１を表し、及び
ｒ4は、０又は１を表す。]。
【請求項２０】
請求項１７記載の化合物を製造する方法
【化７７】
2008511764.tif 000265
（式中、Ｘ及びＸ’は、脱離基を表し、及び
全ての他の置換基は、請求項１７に定義された通りの意味を有する。）。              
【発明の詳細な説明】
【技術分野】
【０００１】
本発明は、シェーディング方法、シェーディング組成物、それらシェーディング組成物において使用される新しい化合物及びそれらの新しい化合物の製造に関する。
【背景技術】
【０００２】
漂白及び白化において頻繁に用いられる方法は、漂白及び白化効果を改善するためにスミレ色又は青色染料を同時に使用することである。そのような染料を蛍光増白剤と一緒に使用する場合、これは２つの異なる目的を果たし得る。一方では、織物の黄色を補正することによって白色度の増加を達成することを試みることが可能であり、その場合、織物上で蛍光増白剤によって生じた白色の大部分が保持される。他方では、織物上に蛍光増白剤で生じた白色効果の色合いをくだんの染料を使用して変えることが目的であり得、その場合においてもまた、白色度の増加を達成する付加的な試みがなされる。従って、望ましい白色効果の色合いを調整することが可能である。
紙及び織布のような物質のシェーディング方法は、例えば特許文献１で既知である。
【特許文献１】独国特許第３１２５４９５号明細書
【発明の開示】
【発明が解決しようとする課題】
【０００３】
それら開示されたシェーディング方法は、光触媒及び染料の混合物を使用する。光触媒及び染料のそれら開示された混合物は、染料が使用毎に蓄積され、及び数回使用した後に織物が着色されるために洗剤又は柔軟剤配合物におけるような、常用に適してない。本発明において使用されるシェーディング化合物は、たとえ布地繊維材料を本発明のシェーディング組成物で繰り返し処理しても布地繊維材料を着色しない（又はごく僅かしか着色しない）。
加えて、２成分の混合物の使用は、常に２成分の適切な割合を必要とする。
さらに、少なくとも１種の染料がフタロシアニンへの共有結合によって結合されるところの化合物を使用する新しいシェーディング方法は、また、露光の際、織物への改善した染着性、織物への改善した色彩直接性、及び改善した色彩調和性も有する。さらに新しい混合物は、付加的な光吸収及び分子のフタロシアニン部分へのエネルギー転移によってより効果的な光触媒である。
【課題を解決するための手段】
【０００４】
それ故に、本発明は布地繊維材料のためのシェーディング方法に関するものであって、該布地繊維材料を、少なくとも１種の染料が共有結合によって結合している少なくとも１種のＺｎ−、Ｃａ−、Ｍｇ−、Ｎａ−、Ｋ−、Ａｌ−、Ｓｉ−、Ｔｉ−、Ｇｅ−、Ｇａ−、Ｚｒ−、Ｉｎ−又はＳｎ−フタロシアニンを含む組成物で処理する方法である。
【発明を実施するための最良の形態】
【０００５】
本発明の好ましい態様は、布地繊維材料のためのシェーディング方法であって、該布地繊維材料を少なくとも１種の式（１ａ）で表される化合物及び／又は式（１ａ）で表される化合物を含む組成物で処理する方法に関する
【化１】
2008511764.tif 000002
[式中、ＰＣは、フタロシアニン環系を表し、
Ｍｅは、Ｚｎ；Ｃａ；Ｍｇ；Ｎａ；Ｋ；Ａｌ−Ｚ1；Ｓｉ（ＩＶ）−（Ｚ1）2；Ｔｉ（Ｉ
Ｖ）−（Ｚ1）2；Ｇｅ（ＩＶ）−（Ｚ1）2；Ｇａ（ＩＩＩ）−Ｚ1；Ｚｒ（ＩＶ）−（Ｚ1）2；Ｉｎ（ＩＩＩ）−Ｚ1又はＳｎ（ＩＶ）−（Ｚ1）2を表し、
Ｚ1は、アルカノレートイオン；ヒドロキシルイオン；Ｒ0ＣＯＯ-；ＣｌＯ4-；ＢＦ4-；
ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭
素原子数１ないし１８のアルキル基；又はヒドロキシル基、シアノ基、カルボキシル基、−ＳＯ3Ｈ，−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシ基、シアノ基、カルボキシル基、−ＳＯ3Ｈ，−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）を表し、
ｒは、０；１；２；３又は４を表し、
ｒ’は、１；２；３又は４を表し、
各々のＱ1は、各々互いに独立して、スルホ基又はカルボキシル基又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし８のアルキレン基；１，３−フェニレン基又は１，４−フェニレン基を表し、
Ｘ2は、−ＮＨ−又は−Ｎ（炭素原子数１ないし５のアルキル）−を表し、
Ｘ3+は、式
【化２】
2008511764.tif 000003
で表される基、
又は、Ｒ1＝炭素原子数１ないし８のアルキレン基である場合、また式
【化３】
2008511764.tif 000004
で表される基を表し、
Ｙ1+は、式
【化４】
2008511764.tif 000005
で表される基を表し、
ｔは、０又は１を表し、
上記式中、
Ｒ2及びＲ3は、互いに独立して、炭素原子数１ないし６のアルキル基を表し、
Ｒ4は、炭素原子数１ないし６のアルキル基；炭素原子数５ないし７のシクロアルキル基
又はＮＲ7Ｒ8を表し、
Ｒ5及びＲ6は、互いに独立して、炭素原子数１ないし５のアルキル基を表し、
Ｒ7及びＲ8は、互いに独立して、水素原子又は炭素原子数１ないし５のアルキル基を表し、
Ｒ9及びＲ10は、互いに独立して、未置換の炭素原子数１ないし６のアルキル基又はヒド
ロキシル基、シアノ基、カルボキシル基、−ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし６のアルキル基を表し、
ｕは、１ないし６を表し、
Ａ1は、適切ならば環員として１個又は２個の更なる窒素原子も含有し得る芳香族５−な
いし７−員環窒素複素環を完成する単位を表し、
Ｂ1は、適切ならば環員として１個又は２個の窒素原子、酸素原子及び／又は硫黄原子も
含有し得る飽和５−ないし７−員環窒素複素環を完成する単位を表す。]で表される基を
表し、
各々のＱ’は、各々互いに独立して、式−Ｌ−Ｄ（式中、Ｌは直接結合又は架橋基を表し、及びＤは染料の基を表す。）で表される部分を表し、
各々のＱ2は、各々互いに独立して、ヒドロキシル基；炭素原子数１ないし２２のアルキ
ル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化５】
2008511764.tif 000006
で表される基；式
【化６】
2008511764.tif 000007
【化７】
2008511764.tif 000008
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし３０のアルキル基；炭
素原子数１ないし３０のアルコキシ基；−ＣＯ2Ｈ；−ＣＨ2ＣＯＯＨ；
−ＳＯ3-Ｍ1；−ＯＳＯ3-Ｍ1；−ＰＯ32-Ｍ1；−ＯＰＯ32-Ｍ1；及びそれらの混合物を表し、
Ｂ3は、水素原子；ヒドロキシル基：−ＣＯＯＨ；−ＳＯ3-Ｍ1；−ＯＳＯ3-Ｍ1又は炭素
原子数１ないし６のアルコキシ基を表し、
Ｍ1は、水溶性カチオンを表し、
Ｔ1は、−O−又は−NH−を表し、
Ｘ1及びＸ4は、互いに独立して、−Ｏ−；−ＮＨ−又は−Ｎ（炭素原子数１ないし５のアルキル）−を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つがスルホ基もしくはカルボキシル基又はその塩であり、
Ｙ2は、−Ｏ−；−Ｓ−；−ＮＨ−又は−Ｎ（炭素原子数１ないし５のアルキル基）−を
表し、
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ基又はハロ−炭素原子数１ないし６のアルキル基；未置換のフェニル基又はハロゲン原子、炭素原子数１ないし４のアルキル基、炭素原子数１ないし４のアルコキシ基、スルホ基からなる群から選ばれた少なくとも１個の置換基によって又はカルボキシ基によって置換されたフェニル基を表し；又はＲ18及びＲ19は、それらが結合する窒素原子と一緒になって、加えて環員として更なる窒素原子又は酸素原子を含有し得る飽和５−又は６−員複素環を形成し、
Ｒ15及びＲ16は、互いに独立して、炭素原子数１ないし６のアルキル基、又はアリール−炭素原子数１ないし６のアルキル基を表し、
Ｒ17は、水素原子；未置換の炭素原子数１ないし６のアルキル基又はハロゲン原子、ヒドロキシル基、シアノ基、ＳＯ3Ｈ、−ＮＨ2、フェニル基、カルボキシル基、カルボ−炭素原子数１ないし６のアルコキシ基及び炭素原子数１ないし６のアルコキシ基からなる群から選ばれた少なくとも１個の置換基によって置換された炭素原子数１ないし６のアルキル基を表し、
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表し、
Ｍは、水素原子；又はアルカリ金属イオン又はアンモニウムイオンを表し、
Ｚ2は、アルカノレートイオン；ヒドロキシルイオン；Ｒ0ＣＯＯ-；ＣｌＯ4-；  ＢＦ4-
；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオンを表し（ここで、Ｒ0は水素原子；又は未置
換の炭素原子数１ないし１８のアルキル基；又はヒドロキシル基、シアノ基、カルボキシ
ル基、ＳＯ3Ｈ、−ＮＨ2、カルボ−炭素原子数１ないし６のアルコキシ基、炭素原子数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシル基、シアノ基、カルボキシル基、−ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１個の置換基によって置換されたアリール基を表す。）、
ａは、０又は１を表し、
ｂは、０ないし６を表し、
ｃは、０ないし１００を表し、
ｄは、０又は１を表し、
ｅは、０ないし２２を表し、
ｖは、２ないし１２の整数を表し、
ｗは、０又は１を表し、及び
Ａ-は、有機又は無機アニオンを表し、及び
ｓは、一価のアニオンＡ-の場合、ｒと等しく、及び多価アニオンの場合、ｒ以下であり
、Ａs-は正の電荷を補う必要があり；ｒ≠１の場合、基
Ｑ1は同一又は異なり得、
及びフタロシアニン環系は更なる可溶化基をも含み得る。]。
【０００６】
少なくとも１種の式（１ａ）で表される化合物及び／又は式（１ｂ）で表される化合物を含む組成物は、２２０ないし３２０°の相対色相角をもたらし、及び式（１ａ）で表される化合物及び式（１ｂ）で表される化合物は光安定ではない。それは、シェーディング組成物の式（１ａ）で表される化合物及び／又は式（１ｂ）で表される化合物が光によって破壊されることを意味する。用語“光”は、可視光（４００ないし８００ｎｍ）を意味する。好ましくは、太陽光である。
【０００７】
色座標及び色差は、試料の識別番号とともに、国際的に標準化されたＣＩＥＬＡＢ三刺激値：
ａ*＝赤色−緑色（＋，−）
ｂ*＝黄色−青色（＋，−）
Ｌ*＝明度（光＝１００）
Ｃ*＝彩度
Ｈ*＝色相（角度０°＝赤色、９０°＝黄色、１８０°＝緑色、２７０°＝青色）、及び
色差ΔＥ*、ΔＨ*、ΔＣ*、ΔＬ*、Δａ*及びΔｂ*を用いて示される。
この国際的に認められたシステムは、ＣＩＥ（“国際照明委員会”）によって生み出されている。それは例えばＤＩＮ６１７４：１９７９−０１及びＤＩＮ５０３３−３：１９９２−０７の部分である。
【０００８】
少なくとも１種の式（１ａ）で表される化合物及び／又は式（１ｂ）で表される化合物を含む組成物は、２２０ないし３２０°の相対色相角をもたらし、また式（１ａ）で表される化合物及び／又は式（１ｂ）で表される化合物は、組成物が太陽光に暴露された場合劣化する。好ましくは、式（１ａ）で表される化合物及び式（１ｂ）で表される化合物は、それらが布地繊維材料上に適用された場合、光、好ましくは太陽光によって破壊される。
少なくとも１種の式（１ａ）で表される化合物及び／又は式（１ｂ）で表される化合物を含む組成物は、２２０ないし３２０°の相対色相角をもたらし、また式（１ａ）で表される化合物／又は式（１ｂ）で表される化合物の減少率は、組成物が（太陽）光に暴露された場合、２時間につき少なくとも１％、好ましくは少なくとも２％である。好ましくは、式（１ａ）及び（１ｂ）で表される化合物は、それらが布地繊維材料上に適用された場
合、光、好ましくは太陽光によって破壊され、また式（１ａ）で表される化合物及び／又は式（１ｂ）で表される化合物の減少率は、２時間につき少なくとも１％、好ましくは少なくとも２％である。
例えば、成分劣化は分光測定で測定され得る。
好ましくは、式（１ａ）で表される化合物及び式（１ｂ）で表される化合物の劣化は、布地繊維材料上に適用された場合、たとえ布地繊維材料がそれらの化合物で繰り返し処理されても、布地繊維材料の色は変化しない。
【０００９】
適した布地繊維材料の例は、絹、ウール、ポリアミド、アクリル又はポリウレタンで作られる物質、及び特にセルロース系繊維物質及び全種類のブレンドである。そのような繊維物質は、例えば、綿、リネン、ジュート及び大麻のような天然セルロース繊維、及び再生セルロースである。好ましくは、綿から作られる布地繊維材料である。また適するのは、混紡織物、例えば綿とポリエステル繊維又はポリアミド繊維との混合物に存在するヒドロキシル基含有繊維である。
ハロゲン原子は、フッ素原子、臭素原子又は、特に塩素原子を意味する。
【００１０】
式（１ａ）及び式（１ｂ）において特に適する基
【化８】
2008511764.tif 000009
は、
【化９】
2008511764.tif 000010
等である。
好ましくは基
【化１０】
2008511764.tif 000011
である。
基
【化１１】
2008511764.tif 000012
において適する複素環は、同様に上記に記載した基であり、他の置換基への結合は単に炭素原子による。
それらの置換基全てにおいて、フェニル基、ナフチル基及び芳香族複素環は、１個又は２個の更なる基、例えば炭素原子数１ないし６のアルキル基、炭素原子数１ないし６のアルコキシ基、ハロゲン原子、カルボキシル基、カルボ−炭素原子数１ないし６のアルコキシ基、ヒドロキシル基、アミノ基、シアノ基、スルホ基、スルホンアミド基等によって置換され得る。
炭素原子数１ないし６のアルキル基、炭素原子数１ないし６のアルコキシ基、ハロゲン原子、カルボキシル基、カルボ−炭素原子数１ないし６のアルコキシ基又はヒドロキシル基からの置換基が好ましい。
【００１１】
特に適する基
【化１２】
2008511764.tif 000013
は、
【化１３】
2008511764.tif 000014
（式中、Ｂ1及びＲ6は上記で定義された同じ意味を有する。）
である。
前述の窒素複素環の全ては、環における炭素原子上又は他の窒素原子上でアルキル基によってもまた置換され得る。前記アルキル基は、好ましくはメチル基である。
【００１２】
式（１ａ）におけるＡ-sは、残りの分子上の正電荷に対する対イオンとして、あらゆるアニオンを表す。一般に、それは調製プロセス（四級化）によって導入される。それはその場合好ましくはアルカノレートイオン；ヒドロキシルイオン；Ｒ0ＣＯＯ-；ＣｌＯ4-；ＢＦ4-；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未
置換の炭素原子数１ないし１８のアルキル基；又はヒドロキシル基、シアノ基、カルボキシル基、−ＳＯ3Ｈ，−ＮＨ2、カルボ−炭素原子数１ないし６のアルコキシ基、炭素原子
数１ないし６のアルコキシ基、フェニル基、ナフチル基及びピリジル基からなる群から選ばれた少なくとも１個の置換基によって置換された炭素原子数１ないし１８のアルキル基；未置換のアリール基又はヒドロキシル基、シアノ基、カルボキシル基、−ＳＯ3Ｈ，−
ＮＨ2、カルボ−炭素原子数１ないし６のアルコキシ基、炭素原子数１ないし６のアルコ
キシ基及び炭素原子数１ないし４のアルキル基からなる群から選ばれた少なくとも１個の置換基によって置換されたアリール基を表す。）である。記載され得るアリールスルフェートイオンは、フェニルスルホネート、ｐ−トリルスルホネート及びｐ−クロロフェニルスルホネートイオンである。しかしながら、アニオンは既知の方法で容易に交換され得るから上記アニオンはまたあらゆる他のアニオンであり得；Ａ-sは、従って、スルフェート、スルフィット、カルボネート、ホスフェート、ニトレート（ｎｉｔｒａｔｅ）、アセテート、オキサレート、シトレート、ラクテートイオン又は有機カルボン酸の他のアニオンでもあり得る。指数ｓは、一価のアニオンに対しｒと同じである。多価アニオンに対し、ｓはｒ以下の値を有し、その場合、それが正確に残りの分子上の正電荷と平衡となるような条件従い選ばれなければならない。
【００１３】
炭素原子数１ないし６のアルキル基及び炭素原子数１ないし６のアルコキシ基は、例えばメチル基、エチル基、ｎ−プロピル基、イソプロピル基、ｎ−ブチル基、第二ブチル基、第三ブチル基、アミル基、イソアミル基、第三アミル基、もしくはヘキシル基、又はメトキシ基、エトキシ基、ｎ−プロポキシ基、イソプロポキシ基、ｎ−ブトキシ基、第二ブトキシ基、第三ブトキシ基、アミルオキシ基、イソアミルオキシ基、第三アミルオキシ基もしくはヘキシルオキシ基のような直鎖もしくは枝分かれしたアルキル基又はアルコキシ基である。
炭素原子数２ないし２２のアルケニル基は、例えばアリル基、メタリル基、イソプロペニル基、２−ブテニル基、３−ブテニル基、イソブテニル基、ｎ−ペンタ−２,４−ジエ
ニル基、３−メチル−ブテ−２−ニル基、ｎ−オクテ−２−ニル基、ｎ−ドデセ−２−ニル基、イソ−ドデセニル基、ｎ−ドデセ−２−エニル基又はｎ−オクタデセ−４−エニル基である。
【００１４】
好ましくは、ＭｅはＺｎ、ＡｌＺ1、Ｓｉ（ＩＶ）−（Ｚ1）2又はＴｉ（ＩＶ）−（Ｚ1）2（ここで、Ｚ1は上記で定義された通りの意味を有する。）である。
より好ましくは、ＭｅはＺｎ、ＡｌＺ1、Ｓｉ（ＩＶ）−（Ｚ1）2又はＴｉ（ＩＶ）−（
Ｚ1）2（ここで、Ｚ1は塩素原子、フッ素原子、臭素原子又はヒドロキシル基を表す。）
を表す。
好ましくは、ｒとｒ’の合計は、２ないし６であり、より好ましくはその合計は４である。
好ましくは、Ｒ1は、枝分かれした又は枝分かれしてない炭素原子数１ないし４のアルキ
レン基；又は１，３−もしくは１，４−フェニレン基を表す。
好ましくは、Ｘ2は−ＮＨ−又は−Ｎ（炭素原子数１ないし４のアルキル）―を表す。
好ましくは、Ｒ2及びＲ3は、互いに独立して、炭素原子数１ないし４のアルキル基を表す。
好ましくは、Ｒ4は、炭素原子数１ないし４のアルキル基、；フェニル基；ヘキシル基又
はＮＲ7Ｒ8を表す。
好ましくは、Ｒ5及びＲ6は、互いに独立して、炭素原子数１ないし４のアルキル基を表す。
好ましくは、Ｒ7及びＲ8は、互いに独立して、水素原子又は炭素原子数１ないし４のアルキル基を表す。
好ましくは、Ｒ9及びＲ10は、互いに独立して、未置換の炭素原子数１ないし４のアルキ
ル基、又はヒドロキシ基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換
された炭素原子数１ないし４のアルキル基を表す。
好ましくは、ｕは、１；２；３又は４を表す。
好ましくは、Ａ1は、ピロール環；イミダゾール環；ピリジン環；ピラジン環；ピリミジ
ン環又はピリダジン環を完成する単位を表す。
好ましくは、Ｂ1は、モルホリノ環；ピロリジン環；ピペラジン環又はピペリジン環を完
成する単位を表す。
【００１５】
好ましくは、Ｌは直接結合；−ＳＯ2−；−（ＣＨ2）1-4−ＳＯ2−；−Ｏ−；  −（ＣＨ2）1-4−Ｏ−；−ＯＲ19−；−（ＣＨ2）1-4−ＯＲ19−；−ＯＲ19Ｏ−；−（ＣＨ2）1-4−ＯＲ19Ｏ−；−ＯＲ19Ｎ（Ｒ20）−；−（ＣＨ2）1-4−ＯＲ19Ｎ（Ｒ20）−；−Ｎ（Ｒ20）−；−（ＣＨ2）1-4−Ｎ（Ｒ20）−（ＣＨ2ＣＨ2Ｏ−）n−；−Ｃ（Ｏ）−  ；−（
ＣＨ2）1-4−Ｃ（Ｏ）−；−Ｃ（Ｏ）Ｎ（Ｒ20）−；−（ＣＨ2）1-4−Ｃ（Ｏ）Ｎ（Ｒ20）−；−Ｎ（Ｒ20）Ｃ（Ｏ）−；−（ＣＨ2）1-4−Ｎ（Ｒ20）Ｃ（Ｏ）−；  −ＯＣ（Ｏ）−；  −（ＣＨ2）1-4−ＯＣ（Ｏ）−；−Ｃ（Ｏ）Ｏ−；−（ＣＨ2）1-4−Ｃ（Ｏ）Ｏ−；−Ｓ−；−（ＣＨ2）1-4−Ｓ−；未置換の、線状の又は枝分かれした炭素原子数１ないし１８のアルキレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；
未置換の炭素原子数５ないし１８のアリーレン基；
ヒドロキシル基、シアノ基、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；
未置換の、線状の又は枝分かれした炭素原子数１ないし１８のアルキレン−炭素原子数５ないし１８のアリール基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；
未置換の、線状の又は枝分かれした炭素原子数５ないし１８のアリーレン−炭素原子数１ないし１８のアルキル基又は
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、
ここで、Ｒ19は、未置換の、線状の又は枝分かれした炭素原子数１ないし１８のアルキレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；
未置換の炭素原子数５ないし１８のアリーレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；
未置換の、線状の又は枝分かれした炭素原子数１ないし１８のアルキレン−炭素原子数５ないし１８のアリール基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；
未置換の、線状の又は枝分かれした炭素原子数５ないし１８のアリーレン−炭素原子数１ないし１８のアルキル基又は
ヒドロキシル基、シアノ基、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状のもしくは枝分かれした炭素原子数５ないし１８のアリーレン−炭素原子数１ないし１８のアルキル基を表し、
Ｒ20は、未置換の、線状の又は枝分かれした炭素原子数１ないし１８のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキル基；
未置換の炭素原子数５ないし１８のアリール基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリール基；
未置換の、線状の又は枝分かれした炭素原子数１ないし１８のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルコキシ基を表し、
ｎは、１；２；３又は４を表す。
【００１６】
好ましくは、Ｄはアゾ染料（例えばアシッドバイオレット染料のような）；ジアゾ染料；トリスアゾ染料；ポリアゾ染料；アゾメチン染料；メチン染料；アントラチノ（ａｎｔｈｒａｃｈｉｎｏ）染料；ジオキサジン染料；フェナジン染料；ジフェニルメタン染料；トリフェニルメタン染料；カルボニル染料；キサンテン染料；酸染料又はチオキサンテン染料の基を表す。
好ましくは、Ｂ2は、水素原子；ヒドロキシル基；炭素原子数１ないし１８のアルキル基
；炭素原子数１ないし１８のアルコキシ基；−ＣＯ2Ｈ；−ＣＨ2ＣＯＯＨ；−ＳＯ3-Ｍ1
；−ＯＳＯ3-Ｍ1；−ＰＯ32-Ｍ1；−ＯＰＯ32-Ｍ1；及びそれらの混合物を表し、ここで
、Ｍ1は上記で定義した通りである。
好ましくは、Ｂ3は、水素原子；ヒドロキシル基；−ＣＯＯＨ；−ＳＯ3-Ｍ1；−ＯＳＯ3-Ｍ1又は炭素原子数１ないし４のアルコキシ基を表す。
好ましくは、Ｍ1は、水素原子；アルカリ金属イオン又はアンモニウムイオンを表す。
好ましくは、Ｘ1及びＸ4は、互いに独立して、−Ｏ−；−ＮＨ−又は−Ｎ（炭素原子数１ないし４のアルキル）−を表す。
好ましくは、Ｙ2は、−Ｏ−；−Ｓ−；−ＮＨ−又は−Ｎ（炭素原子数１ないし４のアル
キル）−を表す。
好ましくは、Ｒ13及びＲ14は、互いに独立して、水素原子；炭素原子数１ないし４のアルキル基；ヒドロキシ−炭素原子数１ないし４のアルキル基；シアノ−炭素原子数１ないし４のアルキル基；スルホ−炭素原子数１ないし４のアルキル基；カルボキシ又はハロゲン
−炭素原子数１ないし４のアルキル基；未置換のフェニル基又はハロゲン原子、炭素原子数１ないし４のアルキル基もしくは炭素原子数１ないし４のアルコキシ基からなる群から選ばれた少なくとも１つの置換基によって置換されたフェニル基を表し；又はＲ13及びＲ14は、それらが結合する炭素原子と一緒になってモルホリノ環、ピペリジン環又はピペリジン環を形成する。
好ましくは、Ｒ15及びＲ16は、互いに独立して、炭素原子数１ないし４のアルキル基又はアリール−炭素原子数１ないし４アルキル基を表す。
好ましくは、Ｒ17は、水素原子；未置換の炭素原子数１ないし４のアルキル基又はハロゲン原子、ヒドロキシル基、シアノ基、−ＳＯ3Ｈ、−ＮＨ2、フェニル基、カルボキシル基、カルボ−炭素原子数１ないし４のアルコキシ基及び炭素原子数１ないし６のアルコキシ基からなる群から選ばれた少なくとも１つの置換基によって置換された炭素原子数１ないし４のアルキル基を表す。
好ましくは、Ｒ18は、炭素原子数１ないし１０のアルキル基；枝分かれした炭素原子数３ないし１０のアルキル基；炭素原子数１ないし１０のアルケニル基
又は枝分かれした炭素原子数３ないし１０のアルケニル基；炭素原子数３ないし２２のグリコール基；炭素原子数１ないし１０のアルコキシ基；枝分かれした炭素原子数３ないし１０のアルコキシ基；及びそれらの混合物を表す。
好ましくは、Ｍは、水素原子；Ｎａ+；Ｋ+又はアンモニウムイオンを表す。
好ましくは、Ｚ2-は塩素原子；臭素原子；アルキルスルフェートイオン又はアラルキルスルフェートイオンを表す。
好ましくは、ａは、０又は１を表す。
好ましくは、ｂは、０ないし６を表す。
好ましくは、ｃは、０ないし１００を表す。
好ましくは、ｄは、０又は１を表す。
好ましくは、ｅは、０ないし２２を表す。
好ましくは、ｖは、２ないし１２の整数を表す。
好ましくは、ｗは、０又は１を表す。
好ましくは、Ａ-は、ハロゲンイオン；アルキルスルフェートイオン；アリールスルフェ
ートイオン；スルフェートイオン、スルフィットイオン、カルボネートイオン、ホスフェートイオン、ニトレートイオン、アセテートイオン、オキサレートイオン、シトレートイオンもしくはラクテートイオン又は有機カルボン酸の他のアニオンを表す。
【００１７】
好ましい染料基Ｄは、下記の式（Ｉ）ないし（ＸＸＸＩＩ）を有する：
【化１４】
2008511764.tif 000015
【化１５】
2008511764.tif 000016
【化１６】
2008511764.tif 000017
【化１７】
2008511764.tif 000018
【化１８】
2008511764.tif 000019
【化１９】
2008511764.tif 000020
【化２０】
2008511764.tif 000021
【化２１】
2008511764.tif 000022
【化２２】
2008511764.tif 000023
【化２３】
2008511764.tif 000024
【化２４】
2008511764.tif 000025
【化２５】
2008511764.tif 000026
【００１８】
[式中、＊は、架橋基Ｌへの結合の印であり、
Ｘ及びＹは、互いに独立して、水素原子；ＳＯ3Ｍ；線状の又は枝分かれした、未置換の
炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＮＨＣＯＯＨ；ＮＨＣＯＯ（炭素原子数１ないし４のアルキル）基；ＣＯＯＨ又はＣＯＯ（炭素原子数１ないし４のアルキル）基を表し、
Ｕは、式
【化２６】
2008511764.tif 000027
で表される部分を表し、
Ｒαは、水素原子；線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
未置換のアリール基又は
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換されたアリール基を表し、
各々のＲβは、互いに独立して、水素原子；ＳＯ3Ｍ；線状の又は枝分かれした、未置換
の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基を表し、
Ｚは、線状の又は枝分かれした、未置換の炭素原子数１ないし４のアルキル基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ；ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ及びＣＯＯＨからなる群から選ばれた少なくとも１つの置換基によって置換され得る。）；Ｎ（炭素原子数１ないし４のアルキル）炭素原子数１ないし４のアルキル基（ここで、該アルキル基は、各々互いに独立して、ＯＨ、ＮＨ2、炭素原子
数１ないし４のアルキル基、ＣＮ及びＣＯＯＨからなる群から選ばれた少なくとも１つの置換基によって置換され得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子
数１ないし４のアルコキシ基からなる群から選ばれた少なくとも１つの置換基によって置換される。）；ＮＨＣＯ（炭素原子数１ないし４のアルキル）基及びＮＨＣＯＯ（炭素原子数１ないし４のアルキル）基を表し、
Ｚ’は、ＳＯ3Ｍ；線状の又は枝分かれした、未置換の炭素原子数１ないし４のアルキル
基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ又はＣＯＯＨからなる群から選ばれた少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数
１ないし４のアルキル基、ＣＮ及びＣＯＯＨからなる群から選ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｚ1は、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＮＯ2
；ＣＯＯＨ；ＣＯＯ（炭素原子数１ないし４のアルキル）基；ＮＨ2；ＮＨ（炭素原子数
１ないし４のアルキル）基（ここで、該アルキル基は、ＯＨ、ＮＨ2、炭素原子数１ない
し４のアルキル基、ＣＮ及びＣＯＯＨからなる群から選ばれた少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数
１ないし４のアルキル基、ＣＮ及びＣＯＯＨからなる群から選ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｚ2、Ｚ3、Ｚ4、Ｚ5及びＺ6は、各々互いに独立して、水素原子；線状の又は枝分かれし
た、未置換の炭素原子数１ないし４のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ハロゲン原子；ＯＨ：ＳＯ2
ＣＨ2ＣＨ2ＳＯ3Ｈ；ＮＯ2；ＣＯＯＨ；ＣＯＯ（炭素原子数１ないし４のアルキル）基；ＮＨ2；ＮＨ（炭素原子数１ないし４のアルキル）基（ここで、該アルキル基は、ＯＨ、
ＮＨ2、炭素原子数１ないし４のアルキル基、ＣＮ及びＣＯＯＨからなる群から選ばれた
少なくとも１つの置換基によって置換し得る。）；Ｎ（炭素原子数１ないし４のアルキル）炭素原子数１ないし４のアルキル基（ここで、該アルキル基は、各々互いに独立して、ＯＨ、ＮＨ2、炭素原子数１ないし４のアルキル基、ＣＮ及びＣＯＯＨからなる群から選
ばれた少なくとも１つの置換基によって置換し得る。）；ＮＨ−アリール基；ＮＨ−アリール基（ここで、該アリール基は、ヒドロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）；ＮＨＣＯ（炭素原子数１ないし４のアルキル）基又はＮＨＣＯＯ（炭素原子数１ないし４のアルキル）基を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基；又は−ＣＯ−アリーレン基を表し；
ｎは、０；１；２又は３を表し、
ｎ’は、０；１又は２を表し、
ｎ’’は、０又は１を表し、
ｍは、０；１又は２を表し、
ｍ１は、０；１又は２を表し、
各々のＭは、各々互いに独立して、水素原子；アルカリ金属イオン又はアンモニウムイオンを表す。]。
【００１９】
より好ましい染料基Ｄは、下記の式（Ｉ’）−（ＸＸＸＩＩ’）を有する：
【化２７】
2008511764.tif 000028
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ハロゲン原子；ＯＨ；ＮＯ2；ＣＯＯＨ又はＣＯＯ（炭素原子数１ないし４のアルキル）基を表し、
Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【００２０】
【化２８】
2008511764.tif 000029
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原
子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１又は２のアルキル）基を表し、Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【００２１】
【化２９】
2008511764.tif 000030
（式中、Ｘ及びＹは、互いに独立して、線状の又は枝分かれした、未置換の炭素原子数１ないし４のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基を表し、
Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１ないし４のアルキル）基を表し、
Ｇは、直接結合；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換されたア
リーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１ないし４のアルキレン基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【００２２】
【化３０】
2008511764.tif 000031
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｚ1は、ＯＨ；ＮＯ2；ＣＯＯＨ又はＣＯＯ（炭素原子数１又は２のアルキル）基を表し、Ｇは、直接結合又はＣＯＯ（炭素原子数１又は２のアルキレン）基を表し、
ｎは、０；１又は２を表し、
ｍは、０又は１を表し、
ｍ１は、０又は１を表し、
各々のＭは、各々互いに独立して、水素原子；Ｎａ+又はＫ+を表す。）；
【００２３】
【化３１】
2008511764.tif 000032
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｇは、直接結合又はＣＯＯ（炭素原子数１又は２のアルキレン）基を表し、
ｎは、０；１又は２を表し、
ｎ’’は、０又は１を表し、
ｍは、０又は１を表し、
各々のＭは、各々互いに独立して、水素原子；Ｎａ+又はＫ+を表す。）；
【００２４】
【化３２】
2008511764.tif 000033
（式中、Ｚは、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された炭素原子数１又は２のアルキル基；
線状の又は枝分かれした、未置換の炭素原子数１ないし４のアルコキシ基；ＯＨ；ＮＯ2
；ＣＯＯＨ；ＣＯＯ（炭素原子数１又は２のアルキル）基を表し、
Ｇは、直接結合又はＣＯＯ（炭素原子数１又は２のアルキレン）基を表し、
ｎは、０；１又は２を表し、
ｎ’’は、０又は１を表し、
ｍは、０又は１を表し、
各々のＭは、各々互いに独立して、水素原子；Ｎａ+又はＫ+を表す。）；
【００２５】
【化３３】
2008511764.tif 000034
（式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基
を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2又はＮＨＣＯＯ（炭素原子数１ないし４のアルキル）基を表し、
Ｚ1は、ＯＨ又はＮＨＣＯ（炭素原子数１ないし４のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１又は２のアルキレン基を表し、
ｎは、０；１又は２を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。）；
【００２６】
【化３４】
2008511764.tif 000035
（式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つ
の置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2又はＮＨＣＯＯ（炭素原子数１ないし４のアルキル）基を表し、
Ｚ1は、ＯＨ又はＮＨＣＯ（炭素原子数１ないし４のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。）；
【００２７】
【化３５】
2008511764.tif 000036
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨ−アリール基又はＮＨ−アリール基（ここで、該アリール基は、ＳＯ3
Ｈ、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００２８】
【化３６】
2008511764.tif 000037
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨ−アリール基又はＮＨ−アリール基（ここで、該アリール基は、ＳＯ3Ｈ、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００２９】
【化３７】
2008511764.tif 000038
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数
１ないし４のアルキル基からなる群から選ばれた少なくとも１つの置換基によって置換された炭素原子数１ないし４のアルキレン基を表し、
ｎは、１；２又は３を表し、
mは、０又は１を表し、
ｍ１は、０又は１を表し、
各々のＭは、各々互いに独立して、水素原子；Ｎａ+又はＫ+を表す。]；
【００３０】
【化３８】
2008511764.tif 000039
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００３１】
【化３９】
2008511764.tif 000040
[式中、*は、架橋基Ｌへの結合の印であり、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｍは、０又は１を表し、
ｍ１は、０又は１を表し、
各々のＭは、各々互いに独立して、水素原子；Ｎａ+又はＫ+を表す。]；
【００３２】
【化４０】
2008511764.tif 000041
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｙは、ＳＯ3Ｍ；線状の又は枝分かれした、未置換の炭素原子数１又は２のアルキル基；
ヒドロキシル基、シアノ基、ＳＯ3Ｈ及び−ＮＨ2からなる群から選ばれた少なくとも１つの置換基によって置換された線状の又は枝分かれした炭素原子数１又は２のアルキル基；線状の又は枝分かれした、未置換の炭素原子数１又は２のアルコキシ基又は
ヒドロキシル基、シアノ基、ＳＯ3Ｈ及び−ＮＨ2からなる群から選ばれた少なくとも１つの置換基によって置換された線状の又は枝分かれした炭素原子数１又は２のアルコキシ基を表し、
Ｚは、ＮＨ2；ＮＨＣＯ（炭素原子数１ないし４のアルキル）基又はＮＨＣＯＯ（炭素原
子数１ないし４のアルキル）基を表し、
Ｚ1は、ＯＨ；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１ないし４のアルコキシ基、炭素原子数１ないし４のアルキル基及び炭素原子数１ないし４のアルコキシ基からなる群から選ばれた少なくとも１つの置換基によって置換される。）を表し、
Ｇは、直接結合；ＣＯＯ（炭素原子数１ないし４のアルキレン）基；未置換のアリーレン基；
ヒドロキシル基、シアノ基、ＮＯ2、ＳＯ3Ｈ、−ＮＨ2、カルボキシル基、カルボ−炭素
原子数１ないし４のアルコキシ基、炭素原数１ないし４のアルコキシ基及び炭素原子数１ないし４のアルキル基からなる群から選ばれた少なくとも１つの置換基によって置換されたアリーレン基；
未置換の炭素原子数１ないし４のアルキレン基又は
ヒドロキシル基、シアノ基、ＮＯ2、ＳＯ3Ｈ、−ＮＨ2、カルボキシル基、カルボ−炭素
原子数１ないし４のアルコキシ基、炭素原子数１ないし４のアルコキシ基及び炭素原子数１ないし４のアルキル基からなる群から選ばれた少なくとも１つの置換基によって置換された炭素原子数１ないし４のアルキレン基を表し、
ｎは、１；２又は３を表し、
ｍは、０又は１を表し、
ｍ１は、０又は１を表し、
各々のＭは、各々互いに独立して、水素原子；Ｎａ+又はＫ+を表す。]；
【００３３】
【化４１】
2008511764.tif 000042
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００３４】
【化４２】
2008511764.tif 000043
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又
は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００３５】
【化４３】
2008511764.tif 000044
[式中、*は、架橋基Ｌへの結合の印であり、
Ｘは、水素原子；ＳＯ3Ｍ；線状の又は枝分かれした、未置換の炭素原子数１又は２のア
ルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｙは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし４のアルキル基；
線状の又は枝分かれした、未置換の炭素原子数１ないし４のアルコキシ基；
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし４のアルコキシ基；ＣＯＯＨ又はＣＯＯ（炭素原子数１又は２のアルキル）基を表し、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ’は、ＳＯ3Ｍ；ＣＯＯＨ又はＣＯＯ（炭素原子数１又は２のアルキル）基を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｎ’’は、０又は１を表し、
ｍは、０又は１を表し、
ｍ１は、０又は１を表し、
各々のＭは、各々互いに独立して、水素原子；Ｎａ+又はＫ+を表す。]；
【００３６】
【化４４】
2008511764.tif 000045
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【００３７】
【化４５】
2008511764.tif 000046
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【００３８】
【化４６】
2008511764.tif 000047
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；
【００３９】
【化４７】
2008511764.tif 000048
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又
は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]；又は
【００４０】
【化４８】
2008511764.tif 000049
[式中、*は、架橋基Ｌへの結合の印であり、
Ｚは、ＮＨ2；ＮＨ−アリール基又はＮＨ−アリール基（ここで、該アリール基は、ヒド
ロキシル基、シアノ基、ＳＯ3Ｈ、−ＮＨ2、カルボキシル基、カルボ−炭素原子数１又は２のアルコキシ基、炭素原子数１又は２のアルキル基及び炭素原子数１又は２のアルコキシ基からなる群から選ばれた少なくとも１つの置換基によって置換される。）を表し、
Ｚ1は、ＯＨ；ＮＨＣＯ（炭素原子数１又は２のアルキル）基又はＮＨＣＯＯ（炭素原子
数１又は２のアルキル）基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
ｍは、０又は１を表し、
ｍ１は、０又は１を表し、
各々のＭは、各々互いに独立して、水素原子；Ｎａ+又はＫ+を表す。]、
【００４１】
【化４９】
2008511764.tif 000050
[式中、*は、架橋基Ｌへの結合の印であり、
Ｚ2は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１ないし２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基又はＯＨを表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣ
ＯＯ（炭素原子数１又は２のアルキル）基を表し、
Ｚ5は、水素原子；線状の又は枝分かれした、未置換の炭素原子数１又は２のアルキル基
又は
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、０；１又は２を表し、
ｎ’は、０又は１を表し、
各々のＭは、各々互いに独立して、水素原子；Ｎａ+又はＫ+を表す。]；
【００４２】
【化５０】
2008511764.tif 000051
[式中、*は、架橋基Ｌへの結合の印であり、
Ｚ2は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基又はＯＨを表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ5は、水素原子；線状の又は枝分かれした、未置換の炭素原子数１又は２のアルキル基
又は
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１；２又は３を表し、
ｎ’は、０又は１を表し、
各々のＭは、各々互いに独立して、水素原子；Ｎａ+又はＫ+を表す。]；
【００４３】
【化５１】
2008511764.tif 000052
[式中、*は、架橋基Ｌへの結合の印であり、
Ｚ2は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１又は２のアルコキシ基、炭素原子数１又は２のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数１又
は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換基によって置換され得る。）；ＮＨＣＯ（炭素原子数１又は２のアルキル）基又はＮＨＣＯＯ（炭素原子数１又は２のアルキル）基を表し、
Ｚ5は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１又は２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又
は２のアルキル基からなる群から選ばれた少なくとも１つの置換基によって置換された炭素原子数１又は２のアルキレン基を表し、
各々のｎは、各々互いに独立して、１；２又は３を表し、
各々のＭは、各々互いに独立して、水素原子；Ｎａ+又はＫ+を表す。]；
【００４４】
【化５２】
2008511764.tif 000053
[式中、*は、架橋基Ｌへの結合の印であり、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ4は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＳＯ2ＣＨ2ＣＨ2ＳＯ3Ｈ；又はＮＯ2を表し、
Ｚ5は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；ＮＯ2；ＮＨ2；ＮＨ（炭素原子数１又は２のアルキル）基（ここで、該アルキル基は、ＯＨ、ＮＨ2、炭素原子数
１又は２のアルキル基、ＣＮ又はＣＯＯＨからなる群から選ばれた少なくとも１つの置換
基によって置換され得る。）；ＮＨＣＯ（炭素原子数１又は２のアルキル）基又はＮＨＣＯＯ（炭素原子数１又は２のアルキル）基を表し、
Ｚ6は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１又は２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｎは、１又は２を表し、
ｎ’は、０又は１を表し、
各々のＭは、各々互いに独立して、水素原子；Ｎａ+又はＫ+を表す。]、
【００４５】
【化５３】
2008511764.tif 000054
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ2は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
ｍは、０又は１を表し、
ｍ１は、０又は１を表し、
ｎは、０又は１を表し、
各々のｎ’は、各々互いに独立して、０；１又は２を表し、
各々のＭは、各々互いに独立して、水素原子；Ｎａ+又はＫ+を表す。]、
【００４６】
【化５４】
2008511764.tif 000055
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及
びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭
素原子数１又は２のアルキレン基を表し、
Ｕは、式
【化５５】
2008511764.tif 000056
（式中、Ｚ2及びＺ3は、上記で定義した通りの意味を有する。）で表される部分を表し、ｍは、０又は１を表し、
ｍ１は、０又は１を表し、
ｎは、０又は１を表し、
ｎ’は、０；１又は２を表し、
各々のＭは、各々互いに独立して、水素原子；Ｎａ+又はＫ+を表す。]、
【００４７】
【化５６】
2008511764.tif 000057
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化５７】
2008511764.tif 000058
（式中、Ｚ2及びＺ3は、上記で定義した通りの意味を有する。）で表される部分を表し、ｍは、０又は１を表し、
ｍ１は、０又は１を表し、
各々のｎは、各々互いに独立して、０；１又は２を表し、
各々のＭは、各々互いに独立して、水素原子；Ｎａ+又はＫ+を表す。]、
【００４８】
【化５８】
2008511764.tif 000059
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；ＮＨ2又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１
ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化５９】
2008511764.tif 000060
（式中、Ｚ2及びＺ3は、上記で定義した通りの意味を有する。）で表される部分を表し、ｍは、０又は１を表し、
ｍ１は、０又は１を表し、
ｎは、１；２又は３を表し、
ｎ’は、０；１又は２を表し、
各々のＭは、各々互いに独立して、水素原子；Ｎａ+又はＫ+を表す。]、
【００４９】
【化６０】
2008511764.tif 000061
[式中、*は、架橋基Ｌへの結合の印であり、
Ｚは、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基
及びピリジル基からなる群から選ばれた少なくとも１つの置換基によって置換された線状の又は枝分かれした炭素原子数１又は２のアルコキシ基；ＳＯ2ＣＨ2ＣＨ2ＳＯ3Ｈ；ＮＨ2又はＮＯ2を表し、
Ｚ1は、線状の又は枝分かれした、未置換の炭素原子数１又は２のアルキル基；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｚ3は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＮＨ2；又はＮＯ2を表し、
Ｚ4は、水素原子；線状の又は枝分かれした、未置換の炭素原子数１又は２のアルキル基
；
ヒドロキシル基、シアノ基、ＳＯ3Ｈ、−ＮＨ2、カルボキシル基、カルボ−炭素原子数１又は２のアルコキシ基、炭素原子数１又は２のアルコキシ基、フェニル基、ナフチル基及びピリジル基からなる群から選ばれた少なくとも１つの置換基によって置換された線状の又は枝分かれした炭素原子数１又は２のアルキル基；
線状の又は枝分かれした、未置換の炭素原子数１又は２のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１又は２のアルコキシ基；ＯＨ；又はＮＯ2を表し、
Ｇは、直接結合；ＣＯＯ（炭素原子数１又は２のアルキレン）基；未置換のアリーレン基；
ヒドロキシル基、シアノ基、ＮＯ2、ＳＯ3Ｈ、−ＮＨ2、カルボキシル基、カルボ−炭素
原子数１又は２のアルコキシ基、炭素原数１ないし２のアルコキシ基及び炭素原子数１又は２のアルキル基からなる群から選ばれた少なくとも１つの置換基によって置換されたアリーレン基；
未置換の炭素原子数１又は２のアルキレン基又は
ヒドロキシル基、シアノ基、ＮＯ2、ＳＯ3Ｈ、−ＮＨ2、カルボキシル基、カルボ−炭素
原子数１又は２のアルコキシ基、炭素原子数１又は２のアルコキシ基及び炭素原子数１又は２のアルキル基からなる群から選ばれた少なくとも１つの置換基によって置換された炭素原子数１又は２のアルキレン基を表し、
Ｕは、式
【化６１】
2008511764.tif 000062
（式中、Ｚ2及びＺ3は、上記で定義した通りの意味を有する。）で表される部分を表し、ｍは、０又は１を表し、
ｍ１は、０又は１を表し、
ｎは、１；２又は３を表し、
ｎ’は、０；１又は２を表し、
各々のＭは、各々互いに独立して、水素原子；Ｎａ+又はＫ+を表す。]。
【００５０】
特に好ましい染料基Ｄは、下記の式（ＸＸＸＩＩＩ）ないし（ＸＸＸＶ）で表されるものである：
【化６２】
2008511764.tif 000063
式（ＸＸＸＩＶ）と（ＸＸＸＶ）の染料の混合物は、ダイレクトバイオレット９９（商標名：ポンタミンブリリアントバイオレット（Ｐｏｎｔａｍｉｎｅ  Ｂｒｉｌｌｉａｎｔ
Ｖｉｏｌｅｔ））として知られている。
【００５１】
下記染料もまた適している：
【化６３】
2008511764.tif 000064
【化６４】
2008511764.tif 000065
【化６５】
2008511764.tif 000066
【化６６】
2008511764.tif 000067
【００５２】
式（１ａ）で表される好ましい光退色剤は、式
【化６７】
2008511764.tif 000068
[式中、ＰＣ、Ｘ2、Ｘ3、Ｒ1、Ｌ、Ｄ、ｒ1、ｒ2及びｒ’は、上記で定義された通りであり（好ましいものを含む）、
Ｍｅは、Ｚｎ、ＡｌＺ1、Ｓｉ（ＩＶ）−（Ｚ1）2又はＴｉ（ＩＶ）−（Ｚ1）2
（ここで、Ｚ1は、塩素原子、フッ素原子、臭素原子又はヒドロキシル基を表す。）を表
し、
Ｍは、水素原子；アルカリ金属イオン；アンモニウムイオン又はアミン塩イオンを表し、及び数ｒ1、ｒ2及びｒ’の合計は、１ないし８を表し、及び
Ａs-は、分子の残りの部分の正電荷と正確に釣り合っている。]を有する。
【００５３】
式（１ａ）で表されるより好ましい光退色剤は、式
【化６８】
2008511764.tif 000069
[式中、ＰＣ、Ｌ及びＤは、上記で定義される通りであり（好ましいものを含む）、
Ｍｅは、Ｚｎ、ＡｌＺ1、Ｓｉ（ＩＶ）−（Ｚ1）2又はＴｉ（ＩＶ）−（Ｚ1）2（ここで
、Ｚ1は、塩素原子、フッ素原子、臭素原子又はヒドロキシル基を表す。）を表し、
Ｒ1’は、炭素原子数２ないし６のアルキレン基を表し、
ｒ1は、０ないし４、好ましくは１ないし４の数を表し、
ｒ’は、１ないし４の数を表し、
Ｘ3’+は、式
【化６９】
2008511764.tif 000070
（式中、Ｒ2及びＲ3は、互いに独立して、未置換の線状又は枝分かれした炭素原子数１ないし４のアルキル基、又はヒドロキシル基、シアノ基、ハロゲン原子及びフェニル基からなる群から選ばれた少なくとも１つの置換基によって置換された線状の又は枝分かれした炭素原子数１ないし４のアルキル基を表し、
Ｒ4は、Ｒ2；シクロヘキシル基又はアミノ基を表し、
Ｒ6は、炭素原子数１ないし４のアルキル基を表し、
Ｒ16は、炭素原子数１ないし４のアルキル基；炭素原子数１ないし４のアルコキシ基；ハロゲン原子；カルボキシル基；カルボ−炭素原子数１ないし４のアルコキシ基又はヒドロキシル基を表す。）で表される基を表し、及び
Ａ’-は、ハリド；アルキルスルフェートイオン又はアリールスルフェートイオンを表し
、
基−ＳＯ2ＮＨＲ’1−Ｘ3’+Ａ’-は同一であるか、又は異なり得る。]を有する。
【００５４】
本発明に従い使用し得る他の光退色剤は、式
【化７０】
2008511764.tif 000071
[式中、ＰＣ、Ｌ及びＤは、上記で定義される通りであり（好ましいものを含む）、
Ｍｅは、Ｚｎ；Ｃａ；Ｍｇ；Ｎａ；Ｋ；Ａｌ−Ｚ1；Ｓｉ（ＩＶ）−（Ｚ1）2；  Ｔｉ（
ＩＶ）−（Ｚ1）2；Ｇｅ（ＩＶ）−（Ｚ1）2；Ｇａ（ＩＩＩ）−Ｚ1；Ｚｒ（ＩＶ）−（
Ｚ1）2；Ｉｎ（ＩＩＩ）−Ｚ1又はＳｎ（ＩＶ）−（Ｚ1）2を表し、
Ｚ1は、アルカノレート；ヒドロキシルイオン；Ｒ0ＣＯＯ-；ＣｌＯ4-；Ｂ    Ｆ4-；Ｐ
Ｆ6-；Ｒ0ＳＯ3-；ＳＯ42-；ＮＯ3-；Ｆ-；Ｃｌ-；Ｂ    ｒ-；Ｉ-；シトレートイオン；タルトレートイオン又はオキサレートイオ    ンを表し（ここで、Ｒ0は、水素原子；又
は未置換の炭素原子数１ないし１    ８のアルキル基；又はヒドロキシル基、シアノ基、カルボキシル基、ＳＯ3    Ｈ、−ＮＨ2、カルボ−炭素原子数１ないし６のアルコキシ基、炭素原子数    １ないし６のアルコキシ基、フェニル基、ナフチル基及びピリジル基からな    る群から選ばれた少なくとも１つの置換基によって置換された炭素原子数１    ないし１８のアルキル基；未置換のアリール基又はヒドロキシル基、シアノ    基、カルボキシル基、ＳＯ3Ｈ、−ＮＨ2、カルボ−炭素原子数１ないし６    のアルコキシ基、炭素原子数１ないし６のアルコキシ基及び炭素原子数１な    いし４のアルキル基からなる群から選ばれた少なくとも１つの置換基によっ    て置換されたアリール基を表す。）、Ｙ3’は、水素原子；アルカリ金属イオン又はアンモニウムイオンを表し、及び    
ｒは、０ないし４のいずれかの数、好ましくは１ないし４のいずれかの数を表し    、
ｒ’は、１ないし４のいずれかの数を表す。]を有する。
【００５５】
極めて特に好ましいフタロシアニン化合物は、式（４ａ）
【化７１】
2008511764.tif 000072
[式中、ＰＣ、Ｌ及びＤは、上記で定義される通りであり（好ましいものを含む）、
Ｍｅは、Ｚｎ又はＡｌ−Ｚ1を表し、
Ｚ1は、アルカノレート；ヒドロキシルイオン；Ｒ0ＣＯＯ-；ＣｌＯ4-；Ｂ    Ｆ4-；Ｐ
Ｆ6-；Ｒ0ＳＯ3-；ＳＯ42-；ＮＯ3-；Ｆ-；Ｃｌ-；Ｂ    ｒ-；Ｉ-；シトレートイオン；タルトレートイオン又はオキサレートイオ    ンを表し（ここで、Ｒ0は、水素原子；又
は未置換の炭素原子数１ないし１    ８のアルキル基；又はヒドロキシル基、シアノ基、カルボキシル基、ＳＯ3    Ｈ、−ＮＨ2、カルボ−炭素原子数１ないし６のアルコキシ基、炭素原子数    １ないし６のアルコキシ基、フェニル基、ナフチル基及びピリジル基からな    る群から選ばれた少なくとも１つの置換基によって置換された炭素原子数１    ないし１８のアルキル基；未置換のアリール基又はヒドロキシル基、シアノ    基、カルボキシル基、ＳＯ3Ｈ、−ＮＨ2、カルボ−炭素原子数１ないし６    のアルコキシ基、炭素原子数１ないし６のアルコキシ基及び炭素原子数１な    いし４のアルキル基からなる群から選ばれた少なくとも１つの置換基によっ    て置換されたアリール基を表す。）、Ｙ3’は、水素原子；アルカリ金属イオン又はアンモニウムイオンを表し、及び    
ｒは、０ないし４のいずれかの数、好ましくは１ないし４のいずれかの数を表し    、
ｒ’は、１ないし４のいずれかの数を表す。]を有する。
【００５６】
本発明に従い使用し得る他の興味深いフタロシアニン化合物は、式
【化７２】
2008511764.tif 000073
（式中、ＰＣ、Ｍｅ、Ｌ及びＤは、式（４）で定義される通りであり、
Ｒ12’及びＲ13’は、互いに独立して、水素原子；フェニル基；スルホフェニル基；カルボキシフェニル基；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−炭素原子数１ないし６のアルキル基又はハロゲン−炭素原子数１ないし６のアルキル基を表し、又はＲ12’及びＲ13’は、窒素原子と一緒になってモルホリン環を形成し、
ｑ’は、２ないし６の整数を表し、
ｒは、１ないし４の数を表し、及び
ｒ’は、１ないし４のいずれかの数を表し、
ここで、ｒ＞１の場合、分子中に存在する基
【化７３】
2008511764.tif 000074
は、同一又は異なり得る。）を有する。
【００５７】
本発明に従い使用し得る更に興味深いフタロシアニン化合物は、式
【化７４】
2008511764.tif 000075
[式中、ＰＣ、Ｍｅ、Ｌ及びＤは、式（４）で定義される通りであり、
Ｙ3’は、水素原子；アルカリ金属イオン又はアンモニウムイオンを表し、
ｑ’は、２ないし６の整数を表し、
Ｒ12’及びＲ13’は、互いに独立して、水素原子；フェニル基；スルホフェニル基；カルボキシフェニル基；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−炭素原子数１ないし６のアルキル基又はハロゲン−
炭素原子数１ないし６のアルキル基を表し、又はＲ12’及びＲ13’は、窒素原子と一緒になってモルホリン環を形成し、
ｍ’は、０又は１を表し；及び
ｒ’は、１ないし４のいずれの数を表し、
ｒ及びｒ1は、互いに独立して、０．５ないし２のいずれかの数を表し、ｒ＋ｒ1の合計は、少なくとも１以上３以下である。]を有する。
【００５８】
フタロシアニン環における中心原子ＭｅがＳｉ（ＩＶ）である場合、本発明に従い使用される該フタロシアニンは、フタロシアニン環のフェニル環上の置換基に加えて軸置換基（＝Ｒ21）もまた有する。そのようなフタロシアニンは、例えば、式
【化７５】
2008511764.tif 000076
[式中、Ｒ21は、ヒドロキシル基；炭素原子数１ないし２２のアルキル基；枝分かれした
炭素原子数３ないし２２のアルキル基；炭素原子数１ないし２２のアルケニル基；枝分かれした炭素原子数３ないし２２のアルケニル基及びそれらの混合物；炭素原子数１ないし２２のアルコキシ基；スルホ基又はカルボキシル基；式
【化７６】
2008511764.tif 000077
【化７７】
2008511764.tif 000078
で表される基；式
【化７８】
2008511764.tif 000079
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、及び
Ｕは、［Ｑ1］+Ａs-又はＱ2を表し、
ここで、Ｒ11、Ｒ12、Ｒ13、Ｒ14、Ｒ15、Ｒ16、Ｒ17、Ｒ18、Ｂ2、Ｂ3、Ｍ、Ｑ1、Ｑ2、Ａ-、Ｔ1、Ｘ1、Ｘ4、Ｙ2、Ｚ2-、ａ、ｂ、ｃ、ｄ、ｅ、ｒ、ｒ’、ｓ、ｖ及びｗは、上
記で定義される通りである（好ましいものを含む。）。]を有する。
【００５９】
式（１ａ）及び（１ｂ）で表される特に好ましい化合物は、式
【化７９】
2008511764.tif 000080
[式中、Ｍｅは、Ｚｎ、ＡｌＺ1、Ｓｉ（ＩＶ）−（Ｚ1）2又はＴｉ（ＩＶ）−（Ｚ1）2（式中、Ｚ1は、塩素原子、フッ素原子、臭素原子又はヒドロキシル基を表す。）を表し、
各々のＱ1は、各々互いに独立して、スルホ基又はカルボキシル基；又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし４のアルキレン基；１，３−フェニレン基又は１，４−フェニレン基を表し、
Ｘ2は、−ＮＨ−又は−Ｎ（炭素原子数１ないし４のアルキル）基を表し、
Ｘ3+は、式
【化８０】
2008511764.tif 000081
で表される基、又はＲ1＝炭素原子数１ないし４のアルキレン基の場合、また式
【化８１】
2008511764.tif 000082
で表される基を表し、
Ｙ1+は、式
【化８２】
2008511764.tif 000083
で表される基を表し、
ｔは、０又は１を表し、
（上記式中、
Ｒ2及びＲ3は、互いに独立して、炭素原子数１ないし６のアルキル基を表し、
Ｒ4は、炭素原子数１ないし４のアルキル基；ペンチル基；ヘキシル基又はＮＲ7Ｒ8を表
し、
Ｒ5及びＲ6は、互いに独立して、炭素原子数１ないし４のアルキル基を表し、
Ｒ7及びＲ8は、互いに独立して、水素原子又は炭素原子数１ないし４のアルキル基を表し、
Ｒ9及びＲ10は、互いに独立して、未置換の炭素原子数１ないし４のアルキル基、又はヒ
ドロキシル基、シアノ基、カルボキシル基、ＳＯ3Ｈ、−ＮＨ2、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし４のアルキル基を表し、
ｕは、１ないし６を表し、
Ａ1は、ピロール環；イミダゾール環；ピリジン環；ピラジン環；ピリミジン環；ピリダ
ジン環を完成する単位を表し、及び
Ｂ1は、モルホリノ環；ピロリジン環；ピペラジン環又はピペリジン環を完成する単位を
表す。）]で表される基を表し、
各々のＱ2は、各々互いに独立して、ヒドロキシル基；炭素原子数１ないし１０のアルキ
ル基；枝分かれした炭素原子数３ないし１０のアルキル基；炭素原子数２ないし１０のアルケニル基；枝分かれした３ないし１０のアルケニル基及びそれらの混合物；炭素原子数１ないし１０のアルコキシ基；スルホ基又はカルボキシル基；式
【化８３】
2008511764.tif 000084
【化８４】
2008511764.tif 000085
で表される基；式
【化８５】
2008511764.tif 000086
で表される枝分かれしたアルコキシ基；式−（Ｔ1）d−（ＣＨ2）b（ＯＣＨ2ＣＨ2）a−
Ｂ3で表されるアルキルエチレンオキシ単位又は式ＣＯＯＲ18で表されるエステル基を表
し、
ここで、Ｂ2は、水素原子；ヒドロキシル基；炭素原子数１ないし１８のアルキル基；炭
素原子数１ないし１８のアルコキシ基；−ＣＯ2Ｈ；−ＣＨ2ＣＯＯＨ；−ＳＯ3-Ｍ1；−
ＯＳＯ3-Ｍ1；−ＰＯ32-Ｍ1；−ＯＰＯ32-Ｍ1；及びそれらの混合物を表し、
Ｂ3は、水素原子；ヒドロキシル基；−ＣＯＯＨ；−ＳＯ3-Ｍ1；−ＯＳＯ3-Ｍ1又は炭素
原子数１ないし４のアルコキシ基を表し、
Ｍ1は、水素原子；アルカリ金属イオン又はアンモニウムイオンを表し；
Ｔ1は、−Ｏ−又は−ＮＨ−を表し、
Ｘ1及びＸ4は、互いに独立して、−Ｏ−；−ＮＨ−又は−Ｎ（炭素原子数１ないし４のア
ルキル）基を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つは、スルホ基又はカルボキシル基又はそれらの塩を表し、
Ｙ2は、−Ｏ−；−Ｓ−；−ＮＨ−又は−Ｎ（炭素原子数１ないし４のアルキル）基を表
し、
Ｒ13及びＲ14は、互いに独立して、水素原子；炭素原子数１ないし４のアルキル基；ヒドロキシ−炭素原子数１ないし４のアルキル基；シアノ−炭素原子数１ないし４のアルキル基；スルホ−炭素原子数１ないし４のアルキル基；カルボキシ基又はハロゲン−炭素原子数１ないし４のアルキル基；未置換のフェニル基又はハロゲン原子、炭素原子数１ないし４のアルキル基及び炭素原子数１ないし４のアルコキシ基からなる群から選ばれた少なくとも１つの置換基によって置換されたフェニル基；スルホ基又はカルボキシル基を表すか、又はＲ13及びＲ14は、それらが結合する窒素原子と一緒になってモルホリノ環、ピペラジン環又はピペリジン環を形成し、
Ｒ15及びＲ16は、互いに独立して、炭素原子数１ないし４のアルキル基又はアリール−炭素原子数１ないし４のアルキル基を表し、
Ｒ17は、水素原子；未置換の炭素原子数１ないし４のアルキル基又はハロゲン原子、ヒドロキシル基、シアノ基、ＳＯ3Ｈ、−ＮＨ2、フェニル基、カルボキシル基、カルボ−炭素原子数１ないし４のアルコキシ基又は炭素原子数１ないし６のアルコキシ基からなる群から選ばれた少なくとも１つの置換基によって置換された炭素原子数１ないし４のアルキル基を表し、
Ｒ18は、炭素原子数１ないし１０のアルキル基；枝分かれした炭素原子数３ないし１０のアルキル基；炭素原子数１ないし１０のアルケニル基又は枝分かれした炭素原子数３ないし１０のアルケニル基；炭素原子数３ないし２２のグリコール基；炭素原子数１ないし１０のアルコキシ基；枝分かれした炭素原子数３ないし１０のアルコキシ基；及びそれらの混合物を表し、
Ｍは、水素原子；Ｎａ+；Ｋ+又はアンモニウムイオンを表し、
Ｚ2-は、アルカノレート；ヒドロキシルイオン；Ｒ0ＣＯＯ-；ＣｌＯ4-；ＢＦ4-；ＰＦ6-；Ｒ0ＳＯ3-；ＳＯ42-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭素原子
数１ないし１８のアルキル基；又はヒドロキシル基、シアノ基、カルボキシル基、ＳＯ3
Ｈ、−ＮＨ2、カルボ−炭素原子数１ないし６のアルコキシ基、炭素原子数１ないし６の
アルコキシ基、フェニル基、ナフチル基及びピリジル基からなる群から選ばれた少なくとも１つの置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１つの置換基によって置換されたアリール基を表す。）を表し、
ａは、０又は１を表し、
ｂは、０ないし６を表し、
ｃは、０ないし１００を表し、
ｄは、０；又は１を表し、
ｅは、０ないし２２を表し、
ｖは、２ないし１２の整数を表し、
ｗは、０又は１を表し、及び
Ａ-は、有機又は無機アニオンを表し、及び
ｓは、１価のアニオンＡ-の場合、ｒ2、ｒ3、ｒ4及びｒ5と等しく、及び多価アニオンの
場合、ｒ2、ｒ3、ｒ4及びｒ5以下であり、ＡS-は正の電荷を補う必要があり；ここでｒ2
、ｒ3、ｒ4及びｒ5≠１である場合、基Ｑ1は、同一又は異なり得、
各々のＬは、各々互いに独立して、直接結合；−ＳＯ2−；−Ｏ−；−ＯＲ19−；−ＯＲ1
9Ｏ−；−ＯＲ19Ｎ（Ｒ20）−；−Ｎ（Ｒ20）−；−（ＣＨ2ＣＨ2Ｏ−）n−；−Ｃ（Ｏ）−；−Ｃ（Ｏ）Ｎ（Ｒ20）−；−Ｎ（Ｒ20）Ｃ（Ｏ）−；−ＯＣ（Ｏ）−；−Ｃ（Ｏ）Ｏ−；−Ｓ−；未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；未置換の炭素原子数５ないし１８のアリーレン基；ヒドロキシル基、シアノ基、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基（ここで、Ｒ19は、未置換の、線状の又は枝分かれした炭素原子数１ないし１８のアルキレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された炭素原子数１ないし１８のアルキレン基；未置換の炭素原子数５ないし１８のアリーレン基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；未置換の、線状の又は枝分かれした炭素原子数１ないし１８のアルキレン−炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキ��基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；未置換の、線状の又は枝分かれした炭素原子数５ないし１８のアリーレン−炭素原子数１ないし１８のアルキル基又はヒドロキシル基、シアノ基、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、
Ｒ20は、未置換の、線状の又は枝分かれした炭素原子数１ないし１８のアルキル基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキル基；未置換の炭素原子数５ないし１８のアリール基；ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭
素原子数１ないし４のアルキル基からなる群から選ばれた少なくとも１つの置換基によって置換された炭素原子数５ないし１８のアリール基；未置換の、線状の又は枝分かれした炭素原子数１ないし１８のアルコキシ基又はヒドロキシル基、シアノ基、ＳＯ3Ｈ、−Ｎ
Ｈ2、カルボキシル基、カルボ−炭素原子数１ないし４のアルコキシ基、炭素原子数１な
いし４のアルキル基、フェニル基、ナフチル基及びピリジル基からなる群から選ばれた少なくとも１つの置換基によって置換された線状の又は枝分かれした炭素原子数１ないし１８のアルコキシ基を表し、
ｎは、１；２；３又は４を表す。）を表し、
各々のＤは、各々互いに独立して、式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、（ＸＩ）、（ＸＩＩ）、（ＸＩＩＩ）、（ＸＩＶ）、（ＸＶ）、（ＸＶＩ）、（ＸＶＩＩ）、（ＸＶＩＩＩ）、（ＸＩＸ）、（ＸＸ）、（ＸＸＩ）、（ＸＸＩＩ）、（ＸＸＩＩＩ）、（ＸＸＩＶ）、（ＸＸＶ）、（ＸＸＶＩ）、（ＸＸＶＩＩａ）、（ＸＸＶＩＩｂ）、（ＸＸＶＩＩｃ）、（ＸＸＶＩＩｄ）、（ＸＸＶＩＩＩ）、（ＸＸＩＸ）、（ＸＸＸ）、（ＸＸＸＩ）、（ＸＸＸＩＩ）、（ＸＸＸＩＩＩ）、（ＸＸＸＩＶ）、（ＸＸＸＶ）、（Ｉ’）、（ＩＩ’）、（ＩＩＩ’）、（ＩＶ’）、（Ｖ’）、（ＶＩ’）、（ＶＩＩａ’）、（ＶＩＩｂ’）、（ＶＩＩＩ’）、（ＩＸ’）、（Ｘ’）、（ＸＩ’）、（ＸＩＩ’）、（ＸＩＩＩ’）、（ＸＩＶ’）、（ＸＶ’）、（ＸＶＩ’）、（ＸＶＩＩ’）、（ＸＶＩＩＩ’）、（ＸＩＸ’）、（ＸＸ’）、（ＸＸＩ’）、（ＸＸＶＩＩａ’）、（ＸＸＶＩＩｂ’）、（ＸＸＶＩＩｃ’）、（ＸＸＶＩＩｄ’）、（ＸＸＶＩＩＩ’）、（ＸＸＩＸ’）、（ＸＸＸ’）、（ＸＸＸＩ’）、（ＸＸＸＩＩ’）で表される染料基を表し、
ｒ2は、０又は１を表し、
ｒ3は、０又は１を表し、及び
ｒ4は、０又は１を表す。]を有する。
【００６０】
通常、本発明のシェーディング方法は、洗濯洗浄プロセスの一部である。洗濯洗浄プロセスのあらゆる工程（浸けおき、主要洗浄及び後処理）の一部になり得る。本方法は、洗濯機中及び手によって行われ得る。通常の洗濯温度は、５℃ないし９５℃である。
洗浄（ｗａｓｈｉｎｇ）剤又は清浄（ｃｌｅａｎｉｎｇ）剤は、通常、全ての洗浄処理の間、洗浄液が約６．５ないし１１、好ましくは７．５ないし１１のｐＨ値を有するように配合される。
該洗浄プロセスにおける液体比は、通常１：４ないし１：４０、好ましくは１：４ないし１：１５、より好ましくは１：４ないし１：１０、特に好ましくは１：５ないし１：９である。
【００６１】
洗浄処理は、通常洗濯機において行われる。
多種多様な洗濯機がある、例えば；
−垂直回転軸を有するトップローダー洗濯機；通常約４５ないし８３リットルの処理能力を有するそれらの機械は、１０ないし５０℃の温度及び約１０ないし６０分の洗浄サイクルでの洗濯プロセスで使用される。そのような種類の洗濯機は、しばしばアメリカ合衆国で使用される。
−水平回転軸を有するフロントローダー洗濯機；通常約８ないし１５リットルの処理能力を有するそれらの機械は、３０ないし９５℃の温度及び約１０ないし６０分の洗浄サイクルでの洗濯プロセスで使用される。そのような種類の洗濯機は、しばしばヨーロッパで使用される。
−垂直回転軸を有するトップローダー洗濯機；通常約２６ないし５２リットルの処理能力を有するそれらの機械は、５ないし２５℃の温度及び約８ないし１５分の洗浄サイクルでの洗濯プロセスで使用される。そのような種類の洗濯機は、しばしば日本で使用される。
【００６２】
本発明による洗浄剤（ｗａｓｈｉｎｇ）、清浄剤（ｃｌｅａｎｉｎｇ）、殺菌剤又は漂
白剤は、染みのついた布地を攪拌しないで洗剤及び／又は漂白洗濯添加剤の溶液又は懸濁液中で０．５ないし２４時間放置するところのソーキング工程でも使用され得る。ソーキングは、例えばバケツにおいて又は洗濯機において行われ得る。通常、布地はソーキングプロセスの後に洗浄され及び／又は濯がれる。
【００６３】
本発明の更なる態様は、上記に定義したような少なくとも１種の式（１ａ）で表される化合物及び／又は式（１ｂ）で表される化合物を含むシェーディング組成物（Ａ）に関する。
本発明の好ましい態様は、上記に定義したような式（２ａ）、（３）、（４）、  （４ａ）、（５）、（６）及び／又は（７）で表される少なくとも１種の化合物を含むシェーディング組成物（Ａ’）に関する。
本発明のより好ましい態様は、上記に定義したような少なくとも１種の式（８）で表される化合物及び／又は式（９）で表される化合物を含むシェーディング組成物（Ａ’’）に関する。
【００６４】
シェーディング組成物（Ａ）、（Ａ’）及び（Ａ’’）は、あらゆる物理的形態、好ましくは固体又は液体形態にあり得る。
粒質物が、固体配合物として好ましい。
本発明は、また、粒質物であって、
ａ）該粒質物の総質量に基づき、２ないし７５質量％の少なくとも１種のシェーディング組成物（Ａ）、（Ａ’）及び／又は（Ａ’’）、
ｂ）該粒質物の総質量に基づき、１０ないし９５質量％の少なくとも１種の更なる添加物、及び
ｃ）該粒質物の総質量に基づき、０ないし１５質量％の水
を含む粒質物に関する。
成分ａ）ないしｃ）の質量％の合計は、常に１００％である。
【００６５】
本発明による粒質物は、カプセル化され得るか又はカプセル化され得ない。
カプセル化材料は、特に水溶性及び水分散性ポリマー及びワックスを含む。それらの材料のうち、好ましいのは、ポリエチレングリコール、ポリアミド、ポリアクリルアミド、ポリビニルアルコール、ポリビニルピロリドン、ゼラチン、加水分解ポリビニルアセテート、ビニルピロリドンとビニルアセテートとのコポリマー、及びまたポリアクリレート、パラフィン、脂肪酸、エチルアクリレートとメタクリレート及びメタクリル酸とのコポリマー、及びポリメタクリレートである。
【００６６】
本発明による粒質物は、該粒質物の総質量に基づき、２ないし７５質量％、好ましくは２ないし６０質量％、特に５ないし５５質量％の成分ａ）を含有する。
本発明による配合物中の粒質物は、該粒質物の総質量に基づき、１０ないし９５質量％、好ましくは１０ないし８５質量％、特に１０ないし８０質量％の少なくとも一種の更なる添加物（成分ｂ））を含有する。
そのような更なる添加物は、アニオン性又は非イオン性分散剤；水溶性有機ポリマー；無機塩；低分子量有機酸又はその塩；湿潤剤；例えば粉末又は繊維状セルロース、微結晶セルロースのような崩壊剤；例えばデキストリンのような充てん剤；非水溶性又は水溶性染料又は顔料；及びまた溶解促進剤及び蛍光増白剤であり得る。ゼオライトのようなアルミニウムシリケート、及びまたタルク、カオリン、ＴｉＯ2、ＳｉＯ2又はマグネシウムトリシリケートのような化合物もまた、少量で使用され得る。
【００６７】
使用されるアニオン性分散剤は、例えば商業上入手可能な、染料、顔料等のための水溶性アニオン性分散剤である。
下記の生成物を、特に考慮する：芳香族スルホン酸及びホルムアルデヒドの縮合生成物
、芳香族スルホン酸と未置換のもしくは塩素化ビフェニル又は酸化ビフェニル及び所望によりホルムアルデヒドとの縮合生成物、（モノ−／ジ−）アルキルナフタレンスルホネート、重合有機スルホン酸のナトリウム塩、重合アルキルナフタレンスルホン酸のナトリウム塩、重合アルキルベンゼンスルホン酸のナトリウム塩、アルキルアリールスルホネート、アルキルポリグリコールエーテルスルフェートのナトリウム塩、ポリアルキル化多核アリールスルホネート、アリールスルホン酸とヒドロキシアリールスルホン酸のメチレン結合縮合生成物、ジアルキルスルホスクシン酸のナトリウム塩、アルキルジグリコールエーテルスルフェートのナトリウム塩、ポリナフタレンンメタンスルホネートのナトリウム塩、リグノ−もしくはオキシリグノ−スルホネート又は複素環式ポリスルホン酸。
特に適するアニオン性分散剤は、ナフタレンスルホン酸とホルムアルデヒドとの縮合生成物、重合有機スルホン酸のナトリウム塩、（モノ−／ジ−）アルキルナフタレンスルホネート、ポリアルキル化多核アリールスルホネート、重合アルキルベンゼンスルホン酸のナトリウム塩、リグノスルホネート、オキシリグノスルホネート及びナフタレンスルホン酸とポリクロロメチルビフェニルとの縮合生成物である。
【００６８】
適する非イオン性分散剤は、特に好ましくは少なくとも３５℃の融点を有する化合物であって、乳化性、分散性又は可溶性である、例えば下記の化合物である：
１．８ないし１２個の炭素原子を有する脂肪アルコール、特にセチルアルコール  ；
２．好ましくは酸化アルキレン、特に酸化エチレン、２ないし８０ｍｏｌ（ここ  で、いくつかの酸化エチレン単位は、酸化スチレン及び／又は酸化プロピレン  のような置換されたエポキシドによって置き換わり得る。）と、高級不飽和又  は飽和モノアルコール、脂肪酸、脂肪アミン又は８ないし２２個の炭素原子を  有する脂肪アミドとの、又はベンジルアルコール、フェニルフェノール、ベン  ジルフェノール又はアルキルフェノール、それらのアルキル基は少なくとも４  個の炭素原子を有する。）との付加生成物；
３．酸化アルキレン、特に酸化プロピレン、縮合生成物（ブロックポリマー）；  
４．ジアミン、特にエチレンジアミンとの酸化エチレン／酸化プロピレン付加物  ；
５．８ないし２２個の炭素原子を有する脂肪酸と、少なくとも１つのヒドロキシ  −低級アルキル基又は低級アルコキシ−低級アルキル基を有する第一級又は第  二級アミンとの反応生成物、又はそのようなヒドロキシアルキル基含有反応生  成物の酸化アルキレン付加生成物；
６．４ないし１０個の酸化エチレン単位を有するポリオキシエチレンソルビタン  モノラウレート又は４ないし２０個の酸化エチレン単位を有するポリオキシエ  チレンソルビタントリオレアートのような、好ましくは長鎖エステル基を有す  るソルビタンエステル、又はエトキシ化ソルビタンエステル；
７．酸化プロピレンと３ないし６個の炭素原子を有する３価ないし６価の脂肪族  アルコール、例えばグリセロール又はペンタエリトリトールとの付加生成物；  及び
８．脂肪アルコールポリグリコール混合エーテル、特に酸化エチレン３ないし３  ０ｍｏｌ及び酸化プロピレン３ないし３０ｍｏｌと８ないし２０個の炭素原子  を有する脂肪族モノアルコールとの付加生成物。
【００６９】
特に適する非イオン性分散剤は式
Ｒ22−Ｏ−（アルキレン−Ｏ）n−Ｒ23          （１０）
（式中、Ｒ23は、炭素原子数８ないし２２のアルキル基又は炭素原子数８ないし１８のアルケニル基を表し、
Ｒ23は、水素原子；炭素原子数１ないし４のアルキル基；少なくとも６個の炭素原子を有する脂環式基又はベンジル基を表し、
“アルキレン”は、２ないし４個の炭素原子を有するアルキレン基を表し、及び
ｎは、１ないし６０の数を表す。）で表される界面活性剤である。
【００７０】
式（１０）における置換基Ｒ22及びＲ23は、有利には各々、８ないし２２個の炭素原子
を有する不飽和又は、好ましくは飽和脂肪族モノアルコールの炭化水素基を表す。該炭化水素基は、直鎖又は枝分かれ鎖であり得る。Ｒ22及びＲ23は、各々互いに独立して、好ましくは９ないし１４個の炭素原子を有するアルキル基である。
考慮される脂肪族飽和モノアルコールは、天然アルコール、例えばラウリルアルコール、ミリスチルアルコール、セチルアルコール又はステアリルアルコール、及びまた合成アルコール、例えば２−エチルヘキサノール、１，１，３，３−テトラメチルブタノール、オクタノ−２−オール、イソノニルアルコール、トリメチルヘキサノール、トリメチルノニルアルコール、デカノール、炭素原子数９ないし１１のオキソ−アルコール、トリデシルアルコール、イソトリデシルアルコール及び８ないし２２個の炭素原子を有する線状の第一級アルコール（アルフォール）を含む。そのようなアルフォールのいくつかの例は、アルフォール（８−１０）、アルフォール（９−１１）、アルフォール（１０−１４）、アルフォール（１２−１３）及びアルフォール（１６−１８）である。（“アルフォール”は、登録商標である。）
不飽和脂肪族モノアルコールは、例えばドデセニルアルコール、ヘキサデセニルアルコール及びオレイルアルコールである。
アルコール基は、単一で又は２種以上の成分の混合物、例えば大豆脂肪酸、パーム核脂肪酸又は牛油由来のアルキル基及びアルケニル基の混合物の形態で存在し得る。
（アルキレン−Ｏ）鎖は、好ましくは式
【化８６】
2008511764.tif 000087
で表される二価基である。
脂環式基の例は、シクロヘプチル基、シクロオクチル基及び好ましくはシクロヘキシル基である。
非イオン性分散剤として、好ましくは式
【化８７】
2008511764.tif 000088
（式中、Ｒ24は、炭素原子数８ないし２２のアルキル基を表し、
Ｒ25は、水素原子又は炭素原子数１ないし４のアルキル基を表し、
Ｙ1、Ｙ2、Ｙ3及びＹ4は、各々互いに独立して、水素原子；メチル基又はエチル基を表し、
ｎ2は、０ないし８の数を表し、及び
ｎ3は、２ないし４０の数を表す。）で表される界面活性剤が考慮される。
【００７１】
更に重要な非イオン性分散剤は、式
【化８８】
2008511764.tif 000089
（式中、Ｒ26は、炭素原子数９ないし１４のアルキル基を表し、
Ｒ27は、炭素原子数１ないし４のアルキル基を表し、
Ｙ5、Ｙ6、Ｙ7及びＹ8は、各々互いに独立して、水素原子；メチル基又はエチル基を表し、基Ｙ5、Ｙ6のうち１つ及び基Ｙ7、Ｙ8のうち１つは常に水素原子であり、及び
ｎ4及びｎ5は、各々互いに独立して、４ないし８の整数を表す。）に相当する。
【００７２】
式（１０）ないし式（１２）で表される非イオン性分散剤はまた、混合物の形態でも使用され得る。例えば、界面活性剤混合物として式（１０）で表される末端基で停止されない（ｎｏｎ−ｅｎｄ−ｇｒｏｕｐ−ｔｅｒｍｉｎａｔｅｄ）脂肪アルコールエトキシレート、例えば式（１０）（式中、Ｒ22は、炭素原子数８ないし２２のアルキル基を表し、Ｒ23は、水素原子を表し、及びアルキレン−Ｏ鎖は基−（ＣＨ2−ＣＨ2−Ｏ）−を表す。）で表される化合物、及びまた式（１２）で表される末端基で停止された脂肪アルコールエトキシレートである。
【００７３】
式（１０）、式（１１）及び式（１２）で表される非イオン性分散剤の例は、炭素原子数１０ないし１３の脂肪アルコール、例えば炭素原子数１３のオキソアルコールと３ないし１０モルの酸化エチレン、酸化プロピレン及び／又は酸化ブチレンとの反応生成物、又は炭素原子数１３の脂肪アルコール１モルと酸化エチレン６モル及び酸化ブチレン１モルとの反応生成物を含み、付加生成物は各々炭素原子数１ないし４のアルキル基、好ましくはメチル基又はブチル基で末端基を停止することが可能である。
そのような分散剤は、単一で又は２種以上の分散剤混合物の形態で使用し得る。
分散剤又は分散剤類の代わりに又は加えて、本発明による粒質物は、分散性もまた有し得る水溶性有機ポリマーを含み得る。そのようなポリマーは、単一で又は２種以上のポリマーの混合物として使用し得る。水溶性ポリマー（塗膜形成性を有し得るが、必ずしも有さなくてもよい）として、例えばゼラチン、ポリアクリレート、ポリメタクリレート、エチルアクリレート、メチルメタクリレート及びメタクリル酸（アンモニウム塩）のコポリマー、ポリビニルピロリドン、ビニルピロリドン、ビニルアセテート、ビニルピロリドンと長鎖オレフィンとのコポリマー、ポリ（ビニルピロリドン／ジメチルアミノエチルメタクリレート）、ビニルピロリドン／ジメチルアミノプロピルメタクリルアミドのコポリマー、ビニルピロリドン／ジメチルアミノプロピルアクリルアミドのコポリマー、ビニルピロリドンとジメチルアミノエチルメタクリレートの四級化コポリマー、ビニルカプロラクタム／ビニルピロリドン／ジメチルアミノエチルメタクリレートのターポリマー、ビニルピロリドンとメタクリルアミドプロピルトリメチルアンモニウムクロリドのコポリマー、カプロラクタム／ビニルピロリドン／ジメチルアミノエチルメタクリレートのターポリマー、スチレンとアクリル酸のコポリマー、ポリカルボン酸、ポリアクリルアミド、カルボキシメチルセルロース、ヒドロキシメチルセルロース、ポリビニルアルコール、加水分解及び非加水分解ポリビニルアセテート、マレイン酸と不飽和炭化水素とのコポリマー及びまた上記されたポリマーの混合重合生成物が考慮される。更に適する物質は、ポリエチレングリコール（ＭＷ＝２０００ないし２００００）、酸化エチレンと酸化プロピレンとのコポリマー（ＭＷ＞３５００）、酸化アルキレン、特に酸化プロピレンの縮合生成物（ブロック重合生成物）、ビニルピロリドンとビニルアセテートとのコポリマー、ジアミン、特にエチレンジアミンとの酸化エチレン−酸化プロピレン付加生成物、ポリスチレンスルホン酸、ポリエチレンスルホン酸、アクリル酸とスルホン化スチレンとのコポリマー、アラビアゴム、ヒドロキシプロピルメチルセルロース、カルボキシメチルセルロースナトリウム、ヒドロキシプロピルメチルセルロースフタレート、マルトデキストリン、でんぷん、スクロース、ラクトース、“イソマルト”の名の下で入手可能な酵素的に改質された及び続いて水和された砂糖、ショ糖、ポリアスパラギン酸及びトラガカントゴムである。
【００７４】
それらの水溶性有機ポリマーのうち、特に好ましいのは、カルボキシメチルセルロース、ポリアクリルアミド、ポリビニルアルコール、ポリビニルピロリドン、ゼラチン、加水
分解ポリビニルアセテート、ビニルピロリドンとビニルアセテートのコポリマー、マルトデキストリン、ポリアスパラギン酸及びまたポリアクリレート及びポリメタクリレートである。
無機塩として使用するために、好ましくはアルカリ金属塩の形態にある、カーボネート、水素化カーボネート、ホスフェート、ポリホスフェート、スルフェート、シリケート、スルフィット、ボラート、ハリド及びピロホスフェートが考慮される。好ましくは例えば塩化アルカリ金属、アルカリホスフェート、アルカリカーボネート、アルカリポリホスフェート及びアルカリスルフェートのような水溶性塩及び洗浄剤及び／又は洗浄剤添加剤配合物で使用される水溶性塩である。
低分子量酸として、例えば、モノ−又はポリ−カルボン酸が考慮される。特に興味深いのは、脂肪族カルボン酸、特に総数１ないし１２個の炭素原子を有するものである。好ましい酸は、脂肪族炭素原子数１ないし１２のモノ−又はポリ−カルボン酸であり、該モノカルボン酸は特に合計で少なくとも３個の炭素原子を有するものである。カルボン酸の置換基として、例えばヒドロキシ基及びアミノ基、特にヒドロキシ基が考慮される。特に好ましいのは、脂肪族炭素原子数２ないし１２のポリカルボン酸、特に脂肪族炭素原子数２ないし６のポリカルボン酸である。極めて特に好ましいのは、ヒドロキシ置換脂肪族炭素原子数２ないし６のポリカルボン酸である。それらの化合物は、遊離酸又は塩、特にアルカリ塩の形態で使用され得る。
アミノポリカルボキシレート（例えば、エチレンジアミンテトラアセテートナトリウム）、フィテート、ホスホネート、アミノプロピルホスホネート（例えば、エチレンジアミンテトラホスホネートナトリウム）、アミノアルキレンポリ（アルキレンホスホネート）、ポリホスホネート、ポリカルボキシレート又は水溶性ポリシロキサンもまた使用され得る。
低分子量有機酸及びそれらの塩の例として、シュウ酸、酒石酸、酢酸、プロピオン酸、コハク酸、マレイン酸、クエン酸、ギ酸、グルコン酸、ｐ−トルエンスルホン酸、テレフタル酸、安息香酸、フタル酸、アクリル酸及びポリアクリル酸が記載され得る。
蛍光増白剤は、４，４’−ビス（トリアジニルアミノ）−スチルベン−２，２’−ジスルホン酸、４，４’−ビス（トリアゾリ−２−イル）スチルベン−２，２’−ジスルホン酸、４，４’−（ジフェニル）−スチルベン、４，４’−ジスチリル−ビフェニル、４−フェニル−４’−ベンゾキサゾリル−スチルベン、スチルベニル−ナフトトリアゾール、４−スチリル−スチルベン、ビス−（ベンゾキサゾリ−２−イル）誘導体、ビス−（ベンズイミダゾリ−２−イル）誘導体、クマリン、ピラゾリン、ナフタルイミド、トリジニル−ピレン、２−スチリル−ベンゾオキサゾール誘導体又は２−スチリル−ナフトキサゾール誘導体、ベンズイミダゾール−ベンゾフラン誘導体又はオキサリニド誘導体のような幅広い化学的種類の広い範囲から選択され得る。
【００７５】
水性布地仕上げ組成物である組成物の使用に関して特に、好ましい４，４’−ビス−（トリアジニルアミノ）−スチルベン−２，２’−ジスルホン酸は、式（１３）
【化８９】
2008511764.tif 000090
（式中、Ｒ28及びＲ29は、互いに独立して、フェニル基；モノ−又はジスルホン化フェニル基；フェニルアミノ基；モノ−又はジスルホン化フェニルアミノ基；モルホリノ基；−Ｎ（ＣＨ2ＣＨ2ＯＨ）2；−Ｎ（ＣＨ3）（ＣＨ2ＣＨ2ＯＨ）；  −ＮＨ2；−Ｎ（炭素原
子数１ないし４のアルキル）2；−ＯＣＨ3；−Ｃｌ；−ＮＨ−ＣＨ2ＣＨ2ＳＯ3Ｈ 又は−ＮＨ−ＣＨ2ＣＨ2ＯＨを表し、及び
Ｍは、Ｈ；Ｎａ；Ｋ；Ｃａ；Ｍｇ；アンモニウム；モノ−，ジ−、トリ−又はテトラ−炭素原子数１ないし４のアルキルアンモニウム基；モノ−，ジ−又はトリ−炭素原子数１ないし４のヒドロキシアルキルアンモニウム基又は炭素原子数１ないし４のアルキル基と炭素原子数１ないし４ヒドロキシアルキル基の混合物によって二又は三置換されたアンモニウム基を表す。）を有するものである。
式（１３）で表される特に好ましい化合物は、各々のＲ28が２，５−ジスルホフェニル基を表し、及び各々のＲ29がモルホリノ基を表し；又は各々のＲ28が２，５−ジスルホフェニル基を表し及び各々のＲ29がＮ（Ｃ2Ｈ5）2を表し；又は各々のＲ28が３−スルホフ
ェニル基を表し及び各々のＲ29がＮＨ（ＣＨ2ＣＨ2ＯＨ）又はＮ（ＣＨ2ＣＨ2ＯＨ）2を
表し；又は各々のＲ28が４−スルホフェニル基を表し及びＲ29がＮ（ＣＨ2ＣＨ2ＯＨ）2
を表し；及び各々の場合において、スルホ基がＳＯ3Ｍを表し、ここでＭはナトリウムを
表すものである。
【００７６】
好ましい４，４’−ビス−（トリアゾリ−２−イル）スチルベン−２，２’−ジスルホン酸は、式（１４）
【化９０】
2008511764.tif 000091
（式中、Ｒ30及びＲ31は、互いに独立して、Ｈ；炭素原子数１ないし４のアルキル基；フェニル基又はモノスルホン化フェニル基を表し、及び
Ｍは、Ｈ；Ｎａ；Ｋ；Ｃａ；Ｍｇ；アンモニウム；モノ−，ジ−、トリ−又はテトラ−炭素原子数１ないし４のアルキルアンモニウム基；モノ−，ジ−又はトリ−炭素原子数１ないし４のヒドロキシアルキルアンモニウム基又は炭素原子数１ないし４のアルキル基と炭素原子数１ないし４ヒドロキシアルキル基の混合物によって二又は三置換されたアンモニウム基を表す。）を有するものである。
式（１４）で表される特に好ましい化合物は、Ｒ30がフェニル基を表し、Ｒ31がＨを表し及びＭがナトリウムを表すものである。
【００７７】
１つの好ましい４，４’−（ジフェニル）−スチルベンは、式（１５）
【化９１】
2008511764.tif 000092
を有するものである。
【００７８】
好ましくは、使用される４，４’−ジスチリル−ビフェニルは、式（１６）
【化９２】
2008511764.tif 000093
[式中、Ｒ32及びＲ33は、互いに独立して、Ｈ；−ＳＯ3Ｍ；−ＳＯ2Ｎ（炭素原子数１な
いし４のアルキル）2；Ｏ−（炭素原子数１ないし４のアルキル）；ＣＮ；Ｃｌ；ＣＯＯ
（炭素原子数１ないし４のアルキル）；ＣＯＮ（炭素原子数１ないし４のアルキル）2又
はＯ（ＣＨ2）3Ｎ(+)（ＣＨ3）2Ａｎ(-)（ここで、Ａｎ(-)は、有機酸又は無機酸のアニ
オン、特にホルメート、アセテート、プロピオネート、グリコレート、ラクテート、アクリレート、メタンホスホネート、ホスフィット、スルホネート、ジメチルもしくはジエチルホスフィットアニオン又はそれらの混合物を表す。）を表し、
ｎは、０又は１を表し、及び
Ｍは、Ｈ；Ｎａ；Ｋ；Ｃａ；Ｍｇ；アンモニウム；モノ−，ジ−，トリ−又はテトラ炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４ヒドロキシアルキル基の混合物によって二又は三置換されたアンモニウム基を表す。]で表されるものである。
式（１６）で表される特に好ましい化合物は、ｎが１を表し、及び各々のＲ32が２−ＳＯ3Ｍ基（ここで、Ｍはナトリウムを表す。）を表し、及び各々のＲ33がＨを表し、又は
各々のＲ33が−Ｏ（ＣＨ2）3Ｎ(+)（ＣＨ3）2Ａｎ(-)（ここで、Ａｎ(-)は、アセテート
を表す。）を表すものである。
【００７９】
好ましい４−フェニル−４’−ベンゾオキサゾリル−スチルベンは、式（１７）
【化９３】
2008511764.tif 000094
（式中、Ｒ34及びＲ35は、互いに独立して、Ｈ；Ｃｌ；炭素原子数１ないし４のアルキル基又は−ＳＯ2−炭素原子数１ないし４のアルキル基を表す。）を有する。
式（１７）で表される特に好ましい化合物は、Ｒ34が４−ＣＨ3を表し、及びＲ35が２
−ＣＨ3を表すものである。
【００８０】
好ましくは、使用されるスチルベニル−ナフトトリアゾールは、式（１８）
【化９４】
2008511764.tif 000095
（式中、Ｒ36は、Ｈ又はＣｌを表し、
Ｒ37は、−ＳＯ3Ｍ；−ＳＯ2Ｎ（炭素原子数１ないし４のアルキル）2；−ＳＯ2Ｏ−フェニル基又は−ＣＮを表し、
Ｒ38は、Ｈ又は−ＳＯ3Ｍを表し、及び
Ｍは、Ｈ；Ｎａ；Ｋ；Ｃａ；Ｍｇ；アンモニウム；モノ−，ジ−，トリ−又はテトラ炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４ヒドロキシアルキル基の混合物によって二又は三置換されたアンモニウム基を表す。）で表されるものである。
式（１８）で表される特に好ましい化合物は、Ｒ36及びＲ37がＨを表し及びＲ38が２−ＳＯ3Ｍ（ここで、ＭはＮａを表す。）を表すものである。
【００８１】
好ましくは、使用される４−スチリル−スチルベンは、式
【化９５】
2008511764.tif 000096
[式中、Ｒ39及びＲ40は、互いに独立して、Ｈ；−ＳＯ3Ｍ；−ＳＯ2Ｎ（炭素原子数１な
いし４のアルキル）2；−Ｏ−（炭素原子数１ないし４のアルキル）；−ＣＮ；−Ｃｌ；
−ＣＯＯ（炭素原子数１ないし４のアルキル）；−ＣＯＮ（炭素原子数１ないし４のアルキル）2又は−Ｏ（ＣＨ2）3Ｎ(+)（ＣＨ3）2Ａｎ(-)（ここで、Ａｎ(-)は、有機酸又は無機酸のアニオン、特にホルメート、アセテート、プロピオネート、グリコレート、ラクテート、アクリレート、メタンホスホネート、ホスフィット、スルホネート、ジメチルもしくはジエチルホスフィットアニオン又はそれらの混合物を表す。）を表す。]で表される
ものである。
式（１９）で表される特に好ましい化合物は、Ｒ39及びＲ40の各々が２−シアノ基；２−ＳＯ3Ｍ（ここで、Ｍはナトリムを表す。）又はＯ（ＣＨ2）3Ｎ(+)（ＣＨ3）2Ａｎ(-)
（ここで、Ａｎ(-)はアセテートを表す。）を表すものである。
【００８２】
好ましいビス−（ベンゾオキサゾリ−２−イル）誘導体は、式（２０）
【化９６】
2008511764.tif 000097
（式中、各々のＲ41は、互いに独立して、Ｈ；Ｃ（ＣＨ3）3；Ｃ（ＣＨ3）2−フェニル基；炭素原子数１ないし４のアルキル基又はＣＯＯ−（炭素原子数  １ないし４のアルキル）基を表し、及び
Ｘは、−ＣＨ＝ＣＨ−又は式
【化９７】
2008511764.tif 000098
で表される基を表す。）で表されるものである。
式（２０）で表される特に好ましい化合物は、各々のＲ41がＨを表し及びＸが
【化９８】
2008511764.tif 000099
を表し；又は各々の環において１つの基Ｒ41が２−メチル基を表し、及びもう１つのＲ41がＨを表し、及びＸが−ＣＨ＝ＣＨ−を表し；又は各々の環において１つの基Ｒ41が２−Ｃ（ＣＨ3）3を表し、及びもう１つのＲ41がＨを表し、及びＸが
【化９９】
2008511764.tif 000100
を表すものである。
【００８３】
好ましいビス−（ベンズイミダゾリ−２−イル）誘導体は、式（２１）
【化１００】
2008511764.tif 000101
（式中、Ｒ42及びＲ43は、互いに独立して、Ｈ；炭素原子数１ないし４のアルキル基又はＣＨ2ＣＨ2ＯＨを表し；
Ｒ44は、Ｈ又はＳＯ3Ｍを表し；
Ｘ1は、−ＣＨ＝ＣＨ−又は式
【化１０１】
2008511764.tif 000102
で表される基を表し、及び
Ｍは、Ｈ；Ｎａ；Ｋ；Ｃａ；Ｍｇ；アンモニウム；モノ−，ジ−，トリ−又はテトラ炭素
原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表す。）で表されるものである。
式（２１）で表される特に好ましい化合物は、Ｒ42及びＲ43が各々Ｈを表し、Ｒ44がＳＯ3Ｍを表し（ここで、Ｍはナトリウムを表す。）及びＸ1が−ＣＨ＝ＣＨ−を表すものである。
【００８４】
好ましいクマリンは、式
【化１０２】
2008511764.tif 000103
[式中、Ｒ45は、Ｈ；−Ｃｌ又は−ＣＨ2ＣＯＯＨを表し、
Ｒ46は、Ｈ；フェニル基；−ＣＯＯ−炭素原子数１ないし４のアルキル基又は式
【化１０３】
2008511764.tif 000104
で表される基を表し；及び
Ｒ47は、−Ｏ−炭素原子数１ないし４のアルキル基；−Ｎ（炭素原子数１ないし４のアルキル）2；−ＮＨ−ＣＯ−炭素原子数１ないし４のアルキル基又は式
【化１０４】
2008511764.tif 000105
（式中、Ｒ28、Ｒ29、Ｒ30及びＲ31は、それらの上記された意味を有し、及び
Ｒ48は、Ｈ；炭素原子数１ないし４のアルキル基又はフェニル基を表す。）で表される基を表す。]で表されるものである。
式（２２）で表される得に好ましい化合物は、式（２３）又は（２４）：
【化１０５】
2008511764.tif 000106
を有するものである。
【００８５】
好ましくは、使用されるピラゾリンは、式（２５）：
【化１０６】
2008511764.tif 000107
（式中、Ｒ49は、Ｈ；−Ｃｌ又は−Ｎ（炭素原子数１ないし４のアルキル）2を表し、
Ｒ50は、Ｈ；−Ｃｌ；−ＳＯ3Ｍ；−ＳＯ2ＮＨ2；−ＳＯ2ＮＨ−（炭素原子数１ないし４のアルキル）；−ＣＯＯ−炭素原子数１ないし４のアルキル基；−ＳＯ2−炭素原子数１
ないし４のアルキル基；−ＳＯ2ＮＨＣＨ2ＣＨ2ＣＨ2Ｎ(+)（ＣＨ3）3又はＳＯ2ＣＨ2Ｃ
Ｈ2Ｎ(+)Ｈ（炭素原子数１ないし４のアルキル）2  Ａｎ(-)を表し、
Ｒ51及びＲ52は、同一又は異なり、及び各々はＨ；炭素原子数１ないし４のアルキル基又はフェニル基を表し、
Ｒ53は、Ｈ又は−Ｃｌを表し、
Ａｎ(-)は、有機酸又は無機酸のアニオン、特にホルメート、アセテート、プロピオネー
ト、グリコレート、ラクテート、アクリレート、メタンホスホネート、ホスフィット、スルホネート、ジメチルもしくはジエチルホスフィットアニオン又はそれらの混合物を表し、及び
Ｍは、Ｈ；Ｎａ；Ｋ；Ｃａ；Ｍｇ；アンモニウム；モノ−，ジ−，トリ−又はテトラ炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表す。）を有するものである。
式（２５）で表される特に好ましい化合物は、Ｒ49が−Ｃｌを表し；Ｒ50が−ＳＯ2Ｃ
Ｈ2ＣＨ2Ｎ(+)Ｈ（炭素原子数１ないし４のアルキル）2  Ａｎ(-)（ここで、Ａｎ(-)は、
ホスフィットを表す。）を表し、及びＲ51、Ｒ52及びＲ53は、各々Ｈを表すもの；又は式（２６）及び（２７）
【化１０７】
2008511764.tif 000108
を有するものである。
【００８６】
好ましいナフタルイミドは、式（２８）
【化１０８】
2008511764.tif 000109
（式中、Ｒ54は、炭素原子数１ないし４のアルキル基又は−ＣＨ2ＣＨ2ＣＨ2Ｎ(+)（ＣＨ3）3を表し、
Ｒ55及びＲ56は、互いに独立して、−Ｏ−炭素原子数１ないし４のアルキル基；−ＳＯ3
Ｍ又は−ＮＨ−ＣＯ−炭素原子数１ないし４のアルキル基を表し、
及び
Ｍは、Ｈ；Ｎａ；Ｋ；Ｃａ；Ｍｇ；アンモニウム；モノ−，ジ−，トリ−又はテトラ−炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表す。）で表されるものである。
式（２８）で表される特に好ましい化合物は、式（２９）及び（３０）：
【化１０９】
2008511764.tif 000110
を有するものである。
【００８７】
使用される好ましいトリアジニル−ピレンは、式（３１）
【化１１０】
2008511764.tif 000111
（式中、各々のＲ57は、互いに独立して、炭素原子数１ないし４のアルコキシ基を表す。）で表されるものである。
式（３１）で表される特に好ましい化合物は、各々のＲ57がメトキシ基を表すものである。
【００８８】
好ましい２−スチリル−ベンゾキサゾール誘導体又は２−スチリル−ナフトキサゾール誘導体は、式（３２）：
【化１１１】
2008511764.tif 000112
（式中、Ｒ58は、−ＣＮ；−Ｃｌ：−ＣＯＯ−炭素原子数１ないし４のアルキル基又はフェニル基を表し、
Ｒ59及びＲ60は、融解ベンゼン環を形成するために要求される原子を表し、又は
Ｒ60及びＲ62は、互いに独立して、Ｈ又は炭素原子数１ないし４のアルキル基を表し、及び
Ｒ61は、Ｈ；炭素原子数１ないし４のアルキル基又はフェニル基を表す。）を有するものである。
式（３２）で表される得に好ましい化合物は、Ｒ58が４−フェニル基を表し、及びＲ59ないしＲ61の各々がＨを表すものである。
【００８９】
好ましいベンズイミダゾール−ベンゾフラン誘導体は、式（３３）：
【化１１２】
2008511764.tif 000113
（式中、Ｒ63は、炭素原子数１ないし４のアルコキシ基を表し、
Ｒ64及びＲ65は、互いに独立して、炭素原子数１ないし４のアルキル基を表し、及び
Ａｎ(-)は、有機酸又は無機酸のアニオン、特にホルメート、アセテート、プロピオネー
ト、グリコレート、ラクテート、アクリレート、メタンホスホネート、ホスフィット、スルホネート、ジメチルもしくはジエチルホスフィットアニオン又はそれらの混合物を表す
。）を有するものである。
式（３３）で表される特に好ましい化合物は、Ｒ63がメトキシ基を表し、Ｒ64及びＲ65が各々メチル基を表し、及びＡｎ(-)がメタンスルホネートを表すものである。
【００９０】
好ましいオキサニリド誘導体は、式（３４）：
【化１１３】
2008511764.tif 000114
[式中、Ｒ66は、炭素原子数１ないし４のアルコキシ基を表し、
Ｒ68は、炭素原子数１ないし４のアルキル基；炭素原子数１ないし４のアルキル−ＳＯ3
Ｍ又は炭素原子数１ないし４のアルコキシ−ＳＯ3Ｍ（ここで、ＭはＨ；Ｎａ；Ｋ；Ｃａ
；Ｍｇ；アンモニウム；モノ−，ジ−，トリ−又はテトラ炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表す。）を表し、及びＲ67及びＲ69は、同一であり、及び各々は水素原子；第三ブチル基又はＳＯ3Ｍ（ここで
、Ｍは上記の意味を有する。）を表す。]を有するものである。
【００９１】
好ましいＦＷＡは、式
【化１１４】
2008511764.tif 000115
【化１１５】
2008511764.tif 000116
（式中、Ｒ70及びＲ71は、互いに独立して、−ＯＨ；−ＮＨ2；−Ｏ−炭素原子数１ない
し４のアルキル基；−Ｏ−アリール基；−ＮＨ−炭素原子数１ないし４のアルキル基；−Ｎ（炭素原子数１ないし４のアルキル）2；−Ｎ（炭素原子数１ないし４のアルキル）（
炭素原子数１ないし４のヒドロキシアルキル）；−Ｎ（炭素原子数１ないし４のヒドロキシアルキル基）2；−ＮＨ−アリール基；モルホリノ基；−Ｓ−炭素原子数１ないし４の
アルキル（アリール）基又はＣｌを表し、
Ｒ72及びＲ73は、互いに独立して、Ｈ；炭素原子数１ないし４のアルキル基；フェニル基又は式
【化１１６】
2008511764.tif 000117
で表される基を表し、
Ｒ74は、Ｈ；−Ｃｌ又は−ＳＯ3Ｍを表し、
Ｒ75は、−ＣＮ；−ＳＯ3Ｍ；−Ｓ（炭素原子数１ないし４のアルキル）2又は−Ｓ（アリール）2を表し、
Ｒ76は、Ｈ；−ＳＯ3Ｍ；−Ｏ−炭素原子数１ないし４のアルキル基；−ＣＮ；−Ｃｌ；
−ＣＯＯ−炭素原子数１ないし４のアルキル基；又は−ＣＯＮ（炭素原子数１ないし４のアルキル）2を表し、
Ｒ77は、Ｈ；炭素原子数１ないし４のアルキル基；−Ｃｌ又は−ＳＯ3Ｍを表し、
Ｒ78及びＲ79は、互いに独立して、Ｈ；炭素原子数１ないし４のアルキル基；−ＳＯ3Ｍ
；−Ｃｌ又は−Ｏ−炭素原子数１ないし４のアルキル基を表し；
Ｒ80は、Ｈ又は炭素原子数１ないし４のアルキル基を表し、
Ｒ81は、Ｈ；炭素原子数１ないし４のアルキル基；−ＣＮ；−Ｃｌ；−ＣＯＯ−炭素原子数１ないし４のアルキル基；−ＣＯＮ（炭素原子数１ないし４のアルキル）2；アリール
基又は−Ｏ−アリール基を表し、及び
Ｍは、Ｈ；Ｎａ；Ｋ；Ｃａ；Ｍｇ；アンモニウム；モノ−，ジ−，トリ−又はテトラ−炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表し、
ｎは、０又は１を表す。）のうちの１つを有するものである。
式（３５）ないし（４２）で表される化合物において、炭素原子数１ないし４のアルキル基は、例えばメチル基、エチル基、ｎ−プロピル基、イソプロピル基及びｎ−ブチル基、特にメチル基である。アリール基は、ナフチル基又は、特にフェニル基である。
【００９２】
式（３５）で表される好ましい化合物の具体例は、式：
【化１１７】
2008511764.tif 000118
【化１１８】
2008511764.tif 000119
を有するものである。
【００９３】
式（３６）で表される化合物の具体的な好ましい例は、式：
【化１１９】
2008511764.tif 000120
（式中、ｎは上記の意味を有する。）で表されるものである。
【００９４】
式（３８）で表される化合物の好ましい例は、式：
【化１２０】
2008511764.tif 000121
を有するものである。
【００９５】
式（３９）で表される化合物の好ましい例は、式：
【化１２１】
2008511764.tif 000122
で表されるものである。
【００９６】
式（４２）で表される化合物の好ましい例は、式（５９）：
【化１２２】
2008511764.tif 000123
を有するものである。
式（２５）ないし（５９）で表される化合物は既知であり、及び既知の方法によって得られ得る。
【００９７】
更に好ましいＦＷＡ’ｓは、式（６０）
【化１２３】
2008511764.tif 000124
（式中、Ｙはアリーレン基、好ましくは１，４−フェニレン基又は４，４’−ジフェニレン基を表し、各々所望により塩素原子、メチル基又はメトキシ基によって置換され、
各々のｑは、各々互いに独立して、１又は２を表し、
各々のＲ82は、各々互いに独立して、水素原子；塩素原子；炭素原子数１ないし４のアルキル基；炭素原子数１ないし４のアルコキシ基；シアノ基又は炭素原子数１ないし４のアルコキシカルボニル基を表し、
Ｒ83及びＲ84は、各々互いに独立して、炭素原子数１ないし４のアルキル基；クロロエチル基；メトキシエチル基；β−エトキシエチル基；β−アセトキシエチル基又はβ−シアノエチル基；ベンジル基又はフェニルエチル基を表し、
各々のＲ85は、各々互いに独立して、炭素原子数１ないし４のアルキル基；炭素原子数２又は３のヒドロキシアルキル基；β−ヒドロキシ−γ−クロロプロピル基；β−シアノエチル基又は炭素原子数１ないし４のアルコキシ−カルボニルエチル基を表し、及び
Ａｎ(-)は、Ｒ85が炭素原子数１ないし４のアルキル基を表す場合、上記の意味を有し、
また好ましくはクロリド；ブロミド；ヨージド；メトスルフェート；エトスルフェート；ベンゼンスルホネート又はｐ−トルエンスルホネートアニオンを表すか、又は
Ａｎ(-)は、Ｒ85がβ−ヒドロキシ−γ−クロロプロピル基；β−シアノエチル基又は炭
素原子数１ないし４のアルコキシ−カルボニルエチル基を表す場合、好ましくはホルメート；アセテート；プロピオネート又はベンゾエートアニオンを表す。）を有するカチオン性ビスチリルフェニル蛍光増白剤の類のものである。
式（６０）で表される好ましい化合物は、Ｙが１，４−フェニレン基又は４，４’−ジフェニレン基を表し；Ｒ82が水素原子、メチル基又はシアノ基を表し；Ｒ83及びＲ84が各々メチル基又はシアノ基を表し；及びＲ83及びＡｎ(-)が上記の好ましい意味を有するも
のである。
【００９８】
式（６０）で表される１つの特に好ましい化合物は、式（６１）：
【化１２４】
2008511764.tif 000125
を有するものである。
式（６０）で表される化合物及びそれらの製造は、米国特許出願公開第４００９１９３号明細書において記載される。
【００９９】
カチオン性ビスチリルフェニル蛍光増白剤の更に好ましい類は、式（６２）
【化１２５】
2008511764.tif 000126
（式中、各々のｑは、各々互いに独立して、１又は２を表し、
各々のＲ82は、各々互いに独立して、水素原子；塩素原子；炭素原子数１ないし４のアルキル基；炭素原子数１ないし４のアルコキシ基；シアノ基又は炭素原子数１ないし４のアルコキシカルボニル基を表し；
Ｙ1は、炭素原子数２ないし４のアルキレン基又はヒドロキシプロピレン基を表し、
各々のＲ86は、各々互いに独立して、炭素原子数１ないし４のアルキル基を表すか、又はそれらが結合するＲ87及び窒素原子と一緒になって、Ｒ86はピロリジン環；ピペリジン環；ヘキサメチレンイミン環又はモルホリン環を形成し、
各々のＲ87は、各々互いに独立して、炭素原子数１ないし４のアルキル基を表すか、又はそれらが結合するＲ86及び窒素原子と一緒になって、Ｒ87はピロリジン環；ピペリジン環；ヘキサメチレンイミン環又はモルホリン環を形成し、
各々のＲ88は、各々互いに独立して、水素原子；炭素原子数１ないし４のアルキル基；炭素原子数３又は４のアルケニル基；炭素原子数１ないし４のアルコキシカルボニルメチル基；ベンジル基；炭素原子数２ないし４のヒドロキシアルキル基；炭素原子数２ないし４のシアノアルキル基を表すか、又はそれらが各々結合するＲ86及びＲ87及び窒素原子と一緒になって、Ｒ88はピロリジン環；ピペリジン環；ヘキサメチレンイミン環又はモルホリン環を形成し、
Ａｎ(-)は、有機酸又は無機酸のアニオン、特にホルメート、アセテート、プロピオネー
ト、グリコレート、ラクテート、アクリレート、メタンホスホネート、ホスフィット、スルホネート、ジメチルもしくはジエチルホスフィットアニオン又はそれらの混合物を表し、及び
各々のｐは、各々互いに独立して０又は１を表す。）を有するものである。
式（６２）で表される好ましい化合物は、ｑが１を表し；Ｒ82が水素原子、塩素原子、炭素原子数１ないし４のアルキル基又は炭素原子数１ないし４のアルコキシ基を表し；Ｙ1が（ＣＨ2）2を表し；Ｒ86及びＲ87は同一であり、また各々がメチル基又はエチル基を
表し；Ｒ88はメチル基又はエチル基を表し；ｐは１を表し；及びＡｎ(-)がＣＨ3ＯＳＯ3
又はＣ2Ｈ5ＯＳＯ3を表すものである。
式（６２）で表される化合物及びそれらの製造は、米国特許出願公開第４３３９３９３号明細書に記載される。
【０１００】
カチオン性ビスチリルフェニル蛍光増白剤の更に好ましい類は、式（６３）：
【化１２６】
2008511764.tif 000127
（式中、Ｒ82、Ｙ1、Ａｎ(-)、ｐ及びｑは、上記の意味を有し、
Ｒ89及びＲ90は、互いに独立して、炭素原子数１ないし４のアルキル基又は炭素原子数２又は３のアルケニル基を表し、又は
Ｒ89及びＲ90は、それらが結合する窒素原子と一緒になって、ピロリジン環；ピペリジン環；ヘキサメチレンイミン環又はモルホリン環を形成し、
各々のＲ91は、各々互いに独立して、水素原子；炭素原子数１ないし４のアルキル基又は炭素原子数２又は３のアルケニル基を表し、又は
Ｒ89、Ｒ90及びＲ91は、それらが結合する窒素原子と一緒になって、ピリジン環又はピコリン環を形成し、及び
Ｚは、硫黄原子；−ＳＯ2−；−ＳＯ2ＮＨ−；−Ｏ−（炭素原子数１ないし４のアルキレン）−ＣＯＯ−又は−ＯＣＯ−を表す。）を有するものである。
式（６３）で表される好ましい化合物は、Ｒ82が水素原子；塩素原子；炭素原子数１ないし４のアルキル基又は炭素原子数１ないし４のアルコキシ基を表し；Ｒ89及びＲ90が、互いに独立して、炭素原子数１ないし４のアルキル基を表すか、又はそれらが結合する窒素原子と一緒になってピロリジン環、ピペリジン環又はモルホリン環を形成し；Ｒ91が水素原子、炭素原子数１ないし４のアルキル基又は炭素原子数３又は４のアルケニル基を表し、又はＲ89、Ｒ90及びＲ91がそれらが結合する窒素原子と一緒になってピペリジン環を形成し；及びＺが硫黄原子；−ＳＯ2−又は−ＳＯ2ＮＨ−を表すものである。
式（６３）で表される化合物及びそれらの製造は、米国特許出願公開第４４８６５３２号明細書に記載される。
【０１０１】
カチオン性ビスチリルフェニル蛍光増白剤の更に好ましい類は、式（６４）：
【化１２７】
2008511764.tif 000128
（式中、Ｒ82、Ｒ89、Ｒ90、Ｒ91、Ｙ1、Ａｎ(-)、ｐ及びｑは、上記の意味を有する。）を有するものである。
式（６４）で表される好ましい化合物は、ｑが１を表し；Ｒ82が水素原子、塩素原子、
炭素原子数１ないし４のアルキル基又は炭素原子数１ないし４のアルコキシ基を表し、Ｒ89及びＲ90が、互いに独立して、炭素原子数１ないし４のアルキル基を表すか、又はＲ89及びＲ90が、それらが結合する窒素原子と一緒になってピロリジン環、ピペリジン環又はモルホリン環を形成し；Ｒ91が、水素原子、炭素原子数１ないし４のアルキル基又は炭素原子数３又は４のアルケニル基を表し、又はＲ89、Ｒ90及びＲ91がそれらが結合する窒素原子と一緒になってピペリジン環を形成するものである。
式（６４）で表される化合物及びそれらの製造は、米国特許出願公開第４６０２０８７号明細書に記載される。
【０１０２】
両性スチレン蛍光増白剤の１つの好ましい類は、式（６５）：
【化１２８】
2008511764.tif 000129
（式中、Ｒ82、Ｒ89、Ｒ90、Ｒ91、Ｙ1及びｑは、上記の意味を有し、及び
Ｚ1は、酸素原子、硫黄原子、直接結合、−ＣＯＯ−、−ＣＯＮ（Ｒ92）−又は−ＳＯ2Ｎ（Ｒ92）−（ここで、Ｒ92は水素原子を表す。）、炭素原子数１ないし４のアルキル基又はシアノエチル基を表し、及び
Ｑは−ＣＯＯ−又は−ＳＯ3を表す。）を有するものである。
式（６５）で表される好ましい化合物は、Ｚ1が酸素原子；直接結合；−ＣＯＮＨ−；
−ＳＯ2ＮＨ−又は−ＣＯＯ−、特に酸素原子を表し；ｑが１を表し；Ｒ82が水素原子；
炭素原子数１ないし４のアルキル基；メトキシ基又は塩素原子を表し；及びＲ89、Ｒ90、Ｒ91、Ｙ1及びＱは上記の意味を有する。）を有するものである。
式（６５）で表される化合物及びそれらの製造は、米国特許出願公開第４４７８５９８号明細書に記載される。
【０１０３】
酸化アミン蛍光増白剤の１つの好ましい類は、式
【化１２９】
2008511764.tif 000130
[式中、ｑは、上記の意味を有し、
Ｂは、ハロゲン原子、炭素原子数１ないし４のアルキル基、炭素原子数１ないし４のヒドロキシアルキル基、炭素原子数１ないし４のハロゲノアルキル基、炭素原子数１ないし４のシアノアルキル基、炭素原子数１ないし４のアルコキシ−炭素原子数１ないし４のアルキル基、フェニル−炭素原子数１ないし４のアルキル基、カルボキシ−炭素原子数１ないし４のアルキル基、カルボ−炭素原子数１ないし４のアルコキシ−炭素原子数１ないし４のアルキル基、炭素原子数１ないし４のアルケニル基、炭素原子数５ないし８のシクロア
ルキル基、炭素原子数１ないし４のアルコキシ基、炭素原子数１ないし４のアルケノキシ基、炭素原子数１ないし４のアルコキシカルボニル基、カルバモイル基、シアノ基、炭素原子数１ないし４のアルキル−スルホニル基、フェニルスルホニル基、炭素原子数１ないし４のアルコキシスルホニル基、スルファモイル基、ヒドロキシル基、カルボキシル基、スルホ基及びトリフルオロメチル基から選ばれる１ないし４個の置換基によって各々所望により置換される４，４’−ジスチリルビフェニル基、４，４’−ジビニル−スチルベン基及び１，４’−ジスチリルベンゼン基から選ばれる増白剤基を表し、
Ｚ2は、ＢとＹ2の間の直接結合、酸素原子、硫黄原子、−ＳＯ2−；−ＳＯ2−Ｏ−；−ＣＯＯ−；−ＣＯＮ（Ｒ95）−又は−ＳＯ2Ｎ（Ｒ95）−（ここで、Ｒ95は、水素原子を表
すか又はハロゲン原子、シアノ基、ヒドロキシル基、炭素原子数２ないし５のカルボアルコキシ（ｃａｌｂａｌｋｏｘｙ）基、炭素原子数１ないし４のアルコキシ基、フェニル基、クロロフェニル基、メチルフェニル基、メトキシフェニル基、カルバモイル基又はスルファモイル基によって所望により置換される炭素原子数１ないし４のアルキル基を表す。）を表し、
Ｙ2は、ハロゲン原子、ヒドロキシル基、炭素原子数２ないし５のカルボアルコキシ基、
炭素原子数１ないし４のアルコキシ基、フェニル基、クロロフェニル基、メチルフェニル基、メトキシフェニル基、カルバモイル基又はスルファモイル基によって各々所望により置換される炭素原子数２ないし４のアルキレン基又は炭素原子数２ないし４のアルキレンオキシ−炭素原子数２ないし４のアルキレン基を表し、
Ｒ93及びＲ94は、互いに独立して、炭素原子数５ないし８のシクロアルキル基；ハロゲン原子、ヒドロキシル基、炭素原子数２ないし５のカルボアルコキシ基、炭素原子数１ないし４のアルコキシ基、フェニル基、クロロフェニル基、メチルフェニル基、メトキシフェニル基、カルバモイル基又はスルファモイル基（ここで、全てのカルバモイル基又はスルファモイル基において、窒素原子は所望により１個又は２個の炭素原子数１ないし４のアルキル基、炭素原子数１ないし４のヒドロキシアルキル基、炭素原子数２ないし５のシアノアルキル基、炭素原子数１ないし４のハロゲノアルキル基、ベンジル基又はフェニル基によって置換される。）によって各々所望により置換される炭素原子数１ないし４のアルキル基又はフェニル基を表す。]を有するものである。
好ましい増白剤基Ｂは、式
【化１３０】
2008511764.tif 000131
（式中、ｑは上記の意味を有し、及び環は所望により上記で定義される通りに置換される。）を有するものである。
好ましくは、Ｚ2は酸素原子；−ＳＯ2−又は−ＳＯ2Ｎ（Ｒ96）−（ここで、Ｒ96は、
水素原子を表すか又はヒドロキシル基、ハロゲン原子又はシアノ基によって所望により置換される炭素原子数１ないし４のアルキル基を表す、）を表し、及びＲ93及びＲ94は、互いに独立して、ハロゲン原子、シアノ基、ヒドロキシル基、炭素原子数１ないし４のアルコキシ基、フェニル基、クロロフェニル基、メチルフェニル基、メトキシフェニル基又は炭素原子数２ないし５のアルコキシカルボニル基によって所望により置換される炭素原子数１ないし４のアルキル基を表す。式（６４）で表される他の好ましい化合物は、Ｚ2が
酸素原子、硫黄原子、−ＳＯ2−、−ＣＯＮ（Ｒ96）−又は−ＳＯ2Ｎ（Ｒ96）−（ここで、Ｒ96は水素原子を表すか又はヒドロキシル基、ハロゲン原子又はシアノ基によって所望により置換される炭素原子数１ないし４のアルキル基を表す。）を表し、及びＹ2が炭素
原子数１ないし４のアルキレン基を表すものである。
式（６６）で表される化合物及びそれらの製造は、米国特許出願公開第４５３９１６１
号明細書に記載される。
【０１０４】
カチオン性ホスフィン酸塩蛍光増白剤の１つの好ましい類は、式（６７）：
【化１３１】
2008511764.tif 000132
[式中、ｑ及びＹ2は、上記の意味を有し、
Ｂ1は、増白剤基を表し、
Ｚ3は、直接結合；  −ＳＯ2−炭素原子数２ないし４のアルキレンオキシ基；−ＳＯ2−
炭素原子数２ないし４のアルキレン−ＣＯＯ−；−ＳＯ2−；−ＣＯＯ−；
−ＳＯ2−炭素原子数２ないし４のアルキレン−ＣＯＮ（Ｒ102）−又は−ＳＯ2Ｎ（Ｒ102）−（ここで、Ｒ102は水素原子を表すか又はヒドロキシル基、ハロゲン原子又はシアノ
基によって所望により置換される炭素原子数１ないし４のアルキル基を表す。）を表し、Ｒ97は、ハロゲン原子、シアノ基、ヒドロキシ基、炭素原子数１ないし４のアルコキシカルボニル基又は炭素原子数１ないし４のアルキルカルボニルオキシ基によって各々所望により置換される炭素原子数１ないし４のアルキル基又は炭素原子数２ないし４のアルケニル基を表し、又はＲ97は、ハロゲン原子、炭素原子数１ないし４のアルキル基又は炭素原子数１ないし４のアルコキシ基によって所望により置換されるベンジル基を表し、又はＲ97は、Ｒ98又はＺ3と一緒になってピロリジン基、ピペリジン基又はモルホリン基を形成
し、
Ｒ98は、ハロゲン原子、シアノ基、ヒドロキシ基、炭素原子数１ないし４のアルコキシカルボニル基又は炭素原子数１ないし４のアルキルカルボニルオキシ基によって各々所望により置換される炭素原子数１ないし４のアルキル基又は炭素原子数２ないし４のアルケニル基を表し、又はＲ98は、ハロゲン原子、炭素原子数１ないし４のアルキル基又は炭素原子数１ないし４のアルコキシ基によって所望により置換されるベンジル基を表し、又はＲ98は、Ｒ97と一緒になってピロリジン基、ピペリジン基又はモルホリン基を形成し、
Ｒ99は、炭素原子数１ないし４のアルキル基を表し、
Ｒ100は、水素原子を表すか又はシアノ基、ヒドロキシ基、炭素原子数１ないし４のアル
コキシカルボニル基又は炭素原子数１ないし４のアルキルカルボニルオキシ基によって所望により置換される炭素原子数１ないし４のアルキル基を表し、及び
Ｒ101は、炭素原子数１ないし４のアルキル基を表す。]を有するものである。
好ましくは、増白剤基Ｂ1は、ハロゲン原子、炭素原子数１ないし４のアルキル基、炭
素原子数１ないし４のヒドロキシアルキル基、炭素原子数１ないし４のハロゲノアルキル基、炭素原子数１ないし４のシアノアルキル基、炭素原子数１ないし４のアルコキシ−炭素原子数１ないし４のアルキル基、フェニル−炭素原子数１ないし４のアルキル基、カルボキシ−炭素原子数１ないし４のアルキル基、カルボ−炭素原子数１ないし４のアルコキシ−炭素原子数１ないし４のアルキル基、炭素原子数１ないし４のアルケニル基、炭素原子数５ないし８のシクロアルキル基、炭素原子数１ないし４のアルコキシ基、炭素原子数１ないし４のアルケノキシ基、炭素原子数１ないし４のアルコキシカルボニル基、カルバモイル基、シアノ基、炭素原子数１ないし４のアルキル−スルホニル基、フェニルスルホニル基、炭素原子数１ないし４のアルコキシスルホニル基、スルファモイル基、ヒドロキシル基、カルボキシル基、スルホ基及びトリフロオロメチル基から選ばれる１ないし４個の置換基によって各々所望により置換される式：
【化１３２】
2008511764.tif 000133
又は式：
【化１３３】
2008511764.tif 000134
を有する。
式（６７）で表される化合物及びそれらの製造は、英国特許出願公開第２０２３６０５号明細書に記載される。
【０１０５】
本発明において使用するための好ましいビス（トリアジニル）ジアミノスチルベンアニオン性蛍光増白剤は、式（６８）：
【化１３４】
2008511764.tif 000135
を有するものである。
本発明において使用するための好ましいジベンゾフラニルビフェニルアニオン性蛍光増白剤は、式（６９）：
【化１３５】
2008511764.tif 000136
を有するものである。
本発明において使用するための好ましいアニオン性ビスチリルフェニル蛍光増白剤は、式（７０）：
【化１３６】
2008511764.tif 000137
を有するものである。
式（６８）ないし（７０）中、
Ｒ103は、１個又は２個の−ＳＯ3Ｍ基によって所望により置換されるフェニル基を表し、Ｒ104は、−ＮＨ−炭素原子数１ないし４のアルキル基；−Ｎ（炭素原子数１ないし４の
アルキル）2；−ＮＨ−炭素原子数１ないし４のアルコキシ基；−Ｎ（炭素原子数１ない
し４のアルコキシ）2；−Ｎ（炭素原子数１ないし４のアルキル）（炭素原子数１ないし
４のヒドロキシアルキル）又は−Ｎ（炭素原子数１ないし４のヒドロキシアルキル）2を
表し、
Ｒ105、Ｒ106及びＲ107のうち少なくとも２つは−ＳＯ3Ｍを表し、及び３つ目の基は溶解性を有するという条件で、Ｒ105は、Ｈ；−炭素原子数１ないし４のアルキル基；−ＣＮ
；−Ｃｌ又は−ＳＯ3Ｍを表し、Ｒ106及びＲ107は、互いに独立して、Ｈ；炭素原子数１
ないし４のアルキル基；−ＳＯ3Ｍ；−ＣＮ；−Ｃｌ又は−Ｏ−炭素原子数１ないし４の
アルキル基を表し、
Ｒ108は、Ｈ；−ＳＯ3Ｍ；−Ｏ−炭素原子数１ないし４のアルキル基；−ＣＮ；  −Ｃｌ；−ＣＯＯ−炭素原子数１ないし４のアルキル基又は−ＣＯＮ（炭素原子数１ないし４のアルキル）2を表し、
Ｍは、Ｈ；Ｎａ；Ｋ；Ｃａ；Ｍｇ；アンモニウム；モノ−，ジ−，トリ−又はテトラ−炭素原子数１ないし４のアルキルアンモニウム；モノ−，ジ−又はトリ−炭素原子数１ないし４のヒドロキシアルキルアンモニウム又は炭素原子数１ないし４のアルキル基と炭素原子数１ないし４のヒドロキシアルキル基の混合物によって二又は三置換されたアンモニウム基を表し、及び
ｒは０又は１を表す。
式（６８）ないし（７０）で表される化合物は、既知であり、また既知の方法によって得られ得る。
特に好ましいものは、非イオン性又はアニオン性ＦＷＡ’ｓである。
【０１０６】
本発明による配合物中の粒質物は、粒質物の総質量に基づき、０ないし１５質量％の水（成分ｃ）を含有し得る。
本発明による配合物中の粒質物は、好ましくは５００μｍ未満の平均粒径を有する。より好ましくは、４０ないし４００μｍである粒質物の粒径である。
【０１０７】
本発明の好ましい態様は、粒質物（Ｇ’）であって、
ａ）該粒質物の総質量に基づき、２ないし７５質量％の少なくとも１種のシェーディング組成物（Ａ）、（Ａ’）及び／又は（Ａ’’）、
ｂ）１０ないし９５質量％の、アニオン性又は非イオン性分散剤；水溶性有機ポリマー；無機塩；低分子量有機酸又はそれらの塩；湿潤剤；例えば、粉末状又は繊維状セルロース、微結晶性セルロースのような崩壊剤；例えばデキストリンのような充てん剤；非水溶性もしくは水溶性染料又は顔料；溶解促進剤；蛍光増白剤；アルミニウムシリケート；タルク、カオリン、ＴｉＯ2、ＳｉＯ2及び三珪酸マグネシウムからなる群から選ばれた少なくとも一種の更なる添加剤、及び
ｃ）該粒質物の総質量に基づき、０ないし１５質量％の水
を含む粒質物に関する。
【０１０８】
本発明のより好ましい態様は、粒質物（Ｇ’’）であって、
ａ）該粒質物の総質量に基づき、２ないし７５質量％の少なくとも１種の組成物（Ａ’）及び／又は（Ａ’’）、
ｂ）１０ないし９５質量％の、アニオン性又は非イオン性分散剤；水溶性有機ポリマー；無機塩；低分子量有機酸又はそれらの塩；湿潤剤；例えば、粉末状又は繊維状セルロース、微結晶性セルロースのような崩壊剤；例えばデキストリンのような充てん剤；非水溶性もしくは水溶性の染料又は顔料；溶解促進剤；蛍光増白剤；珪酸アルミニウム；タルク、カオリン、ＴｉＯ2、ＳｉＯ2及び三珪酸マグネシウムからなる群から選ばれた少なくとも１種の更なる添加剤、及び
ｃ）該粒質物の総質量に基づき、０ないし１５質量％の水
を含む粒質物に関する。
【０１０９】
更なる態様は、少なくとも１種のシェーディング組成物（Ａ）、（Ａ’）及び／又は（Ａ’’）を含む液体配合物（ＬＦ）である。
好ましい液体配合物（ＬＦ’）は、
（ａ）該液体配合物の総質量に基づき、０．０１ないし９５質量％、好ましくは１ないし８０質量％、より好ましくは５ないし７０質量のシェーディング組成物（Ａ）、（Ａ’）及び／又は（Ａ’’）、
（ｂ）該液体配合物の総質量に基づき、５ないし９９．９９質量％、好ましくは２０ないし９９質量％、より好ましくは３０ないし９５質量％の少なくとも１種の有機溶媒及び
（ｃ）該液体配合物の総質量に基づき、０ないし１０質量％、好ましくは０ないし５質量％、より好ましくは０ないし２質量％の少なくとも１種の更なる添加剤
を含む。
【０１１０】
有機溶媒として、極性溶媒が好ましい。特に好ましくは、炭素原子数１ないし４のアルコール又は水である。
適切な場合、本発明による液体配合物は、更なる所望による添加剤を含み得る；例は、クロロアセトアミド、トリアジン誘導体、ベンゾイソチアゾリン、２−メチル−２Ｈ−イソチアゾロ−３−オン、２−オクチル−２Ｈ−イソチアゾロ−３−オン、２−ブロモ−２−ニトロプロパノ−１，３−ジオール又は水性ホルムアルデヒド溶液のような防腐剤又は防腐剤の混合物；ベントナイト、モンモリナイト、ゼオライト又は高分散性珪酸のようなＭｇ／Ａｌシリケート又はＭｇ／Ａｌシリケートの混合物；臭気改善剤及び香料剤又はそれらの混合物；消泡剤又はその混合物；ビルダー（ｂｕｉｌｄｅｒ）又はその混合物；保護コロイド又はその混合物；安定剤又はその混合物；金属イオン封鎖剤及びプロピレングリコールのような不凍剤又はその混合物である。
【０１１１】
本発明のより好ましい態様は、液体配合物（ＬＦ’’）であって、
（ａ）該液体配合物の総質量に基づき、０．０１ないし９５質量％、好ましくは１ないし８０質量％、より好ましくは５ないし７０質量のシェーディング組成物（Ａ）、（Ａ’）及び／又は（Ａ’’）、
（ｂ）該液体配合物の総質量に基づき、５ないし９９．９９質量％、好ましくは２０ないし９９質量％、より好ましくは３０ないし９５質量％の炭素原子数１ないし４のアルコール又は水、及び
（ｃ）該液体配合物の総質量に基づき、０ないし１０質量％、好ましくは０ないし５質量％、より好ましくは０ないし２質量％の防腐剤；Ｍｇ／Ａｌシリケート；臭気改善剤；香料剤；消泡剤；ビルダー；保護コロイド；安定剤；金属イオン封鎖剤及び不凍剤からなる群から選ばれた少なくとも１種の添加剤
を含む液体配合物である。
【０１１２】
本発明による組成物は、特に洗浄剤又は柔軟剤配合物において使用される。そのような洗浄剤又は柔軟剤配合物は、固体、液体、ゲル状又はペースト状の形態、例えば液体の形態、例えば英国特許出願公開第２１５８４５４号明細書中に記載されるような、５質量％以下、好ましくは０ないし１質量％の水を含有し、かつ非イオン性界面活性剤におけるビルダー物質の懸濁液に基づく非水性液体洗浄剤組成物の形態にあり得る。
洗浄剤配合物は、粉末又は（超）コンパクトパウダーの形態、単層又は多層タブレット（タブ）の形態、洗浄剤バー、洗浄剤ブロック、洗浄剤シート、洗浄剤ペースト又は洗浄剤ゲルの形態、又はカプセル中又はパウチ（サッシェ）中で使用される粉末、ペースト、ゲル又は液体の形態でもあり得る。
しかしながら、洗浄剤組成物は、好ましくは非水性配合物、粉末、タブ又は顆粒の形態にある。
【０１１３】
従って、本発明は、また、洗浄用配合物（ＷＡＦ）であって、
Ｉ）該洗浄用配合物の総質量に基づき、５ないし７０質量％の、Ａ）少なくとも１種のアニオン性界面活性剤及び／又はＢ）少なくとも１種の非イオン性界面活性剤、
ＩＩ）該洗浄用配合物の総質量に基づき、５ないし６０質量％の、Ｃ）少なくとも１種のビルダー物質、
ＩＩＩ）該洗浄用配合物の総質量に基づき、０ないし３０質量％の、Ｄ）少なくとも１種の過酸化物及び、所望により少なくとも１種の活性化剤及び／又は少なくとも１種の触媒、
ＩＶ）該洗浄用配合物の総質量に基づき、０．００１ないし１質量％の、Ｅ）上述のような粒質物（Ｇ）、（Ｇ’）及び（Ｇ’’）、
Ｖ）該洗浄用配合物の総質量に基づき、０ないし６０質量％の、Ｆ）少なくとも１種の更なる添加剤、及び
ＶＩ）洗浄用配合物の総質量に基づき、０ないし５質量％の、Ｇ）水
を含む洗浄剤配合物にも関する。
配合物中成分Ｉ）ないしＶＩ）の質量％の合計は、常に１００％である。
【０１１４】
アニオン性界面活性剤Ａ）は、例えば、スルフェート、スルホネートもしくはカルボキシレート界面活性剤又はそれらの混合物であり得る。好ましいスルフェートは、所望によりアルキル基が１０ないし２０個の炭素原子を有するアルキルエトキシスルフェートとの組み合わせで、アルキル基において１２ないし２２個の炭素原子を有するものである。
好ましいスルフェートは、例えばアルキル基において炭素原子数９ないし１５個の炭素原子を有するアルキルベンゼンスルホネートである。アニオン性界面活性剤の場合におけるカチオンは、好ましくはアルカリ金属カチオン、特にナトリウムである。
アニオン性界面活性剤成分は、例えばアルキルベンゼンスルホネート、アルキルスルフェート、アルキルエーテルスルフェート、オレフィンスルホネート、アルカンスルホネート、脂肪酸塩、アルキルエーテルカルボキシレートもしくはアルケニルエーテルカルボキシレートもしくはα−スルホ脂肪酸塩又はそれらのエステルである。好ましくは、アルキル基において１０ないし２０個の炭素原子を有するアルキルベンゼンスルホネート、８ないし１８個の炭素原子を有するアルキルスルフェート、８ないし２２個の炭素原子を有するアルキルエーテルスルフェート、及びパーム油又は牛脂由来及び８ないし２２個の炭素原子を有する脂肪酸塩である。アルキルエーテルスルフェートに加えられる酸化エチレンの平均モル数は、好ましくは１ないし２２、好ましくは１ないし１０である。前記塩は、好ましくはナトリム及びカリウムのようなアルカリ金属、特にナトリウムに由来する。極めて好ましいカルボキシレートは、式Ｒ109−ＣＯ（Ｒ110）ＣＨ2ＣＯＯＭ1（式中、Ｒ109はアルキル基又はアルケニル基において８ないし２０個の炭素原子を有するアルキル基
又はアルケニル基を表し、Ｒ110は炭素原子数１ないし４のアルキル基を表し及びＭ1はアルカリ金属、特にナトリウムを表す。）で表されるアルカリ金属サルコシネートである。
【０１１５】
非イオン性界面活性剤成分は、例えば第１級又は第２級アルコールエトキシレート、特にアルコール１モル当たり平均１ないし２０モルの酸化エチレンでエトキシレート化された炭素原子数８ないし２０の脂肪族アルコール、及びより特にアルコール１モル当たり平均１ないし１０モルの酸化エチレンでエトキシレート化された炭素原子数１０ないし１５の第１級及び第２級脂肪族アルコールであり得る。エトキシレート化されてない非イオン性界面活性剤は、アルキルポリグリコシド、グリセロールモノエーテル及びポリヒドロキシアミド（グルカミド（ｇｌｕｃａｍｉｄｅ））を含む。
【０１１６】
アニオン性界面活性剤及び非イオン性界面活性剤の総量は、好ましくは５ないし５０質量％、好ましくは５ないし４０質量％及びより好ましくは５ないし３０質量％である。それらの界面活性剤について、下限値は１０質量％が好ましい。
非イオン性界面活性剤Ｂ）は、例えば、３ないし８モルの酸化エチレンと９ないし１５個の炭素原子を有する１モルの第１級アルコールとの縮合生成物であり得る。
【０１１７】
ビルダー物質Ｃ）として、例えばアルカリ金属ホスフェート、特にトリポリホスフェート、カーボネート又は炭酸水素塩、特にそれらのナトリウム塩、シリケート、アルミノシリケート、ポリカルボキシレート、ポリカルボン酸、有機ホスホネート、アミノアルキレンポリ（アルキレンホスホネート）又はそれら化合物の混合物が考慮される。
特に適するシリケートは、式ＮａＨＳｉtＯ2t+1．ｐＨ2Ｏ又はＮａ2ＳｉtＯ2t+1．ｐＨ2Ｏ（式中、ｔは１．９ないし４の数を表し、及びｐは０ないし２０の数を表す。）で表
される結晶性層状シリケートのナトリウム塩である。
アルミノシリケートのうち、好ましくはゼオライトＡ、Ｂ、Ｘ及びＨＳの名の下で商業上入手可能なもの、及びまたそれらの成分の２種以上を含む混合物である。ゼオライトＡが好ましい。
ポリカルボキシレートのうち、好ましいのは、ポリヒドロキシカルボキシレート、特にシトレート、及びアクリレート、及び無水マレイン酸とのそれらのコポリマーである。好ましいポリカルボン酸は、ラセミ体又は鏡像異性的に純粋な（Ｓ，Ｓ）形態にあるニトリロ三酢酸、エチレンジアミン四酢酸及びエチレンジアミン二琥珀酸塩である。
特に適するホスホネート又はアミノアルキレンポリ（アルキレンホスホネート）は、１−ヒドロキシエタン−１，１−ジホスホン酸、ニトリロトリス（メチレンホスホン酸）、エチレンジアミンテトラメチレンホスホン酸、ヘキサメチレンジアミンＮ，Ｎ，Ｎ’，Ｎ’テトラキスメタンホスホン酸及びジエチレントリアミンペンタメチレンホスホン酸のアルカリ金属塩、並びにそれらの塩である。また好ましいポリホスホネートは、下記の式
【化１３７】
2008511764.tif 000138
（式中、Ｒ111は、ＣＨ2ＰＯ3Ｈ2又はそれらの水溶性塩を表し、及び
ｄは、値０，１，２又は３の整数を表す。）を有する。
特に好ましくは、ｂが値１の整数を表すポリホスホネートである。
【０１１８】
適する過酸化物成分は、例えば、通常の洗浄温度、例えば５ないし９５℃で布地物質を漂白する、文献において既知であり、かつ商業上入手可能な有機及び無機過酸化物（過酸化ナトリウムのような）を含む。
過酸化物又は過酸化物形成物質の量は、好ましくは０．５ないし３０質量％、より好ましくは１ないし２０質量％及び特に好ましくは１ないし１５質量％である。
過酸化物成分Ｄ）として、水性溶液において過酸化水素を生成することが可能である全ての化合物、例えば、通常の洗浄温度、例えば１０ないし９５℃で布地物質を漂白する、文献において既知であり、かつ商業上入手可能な有機及び無機過酸化物を考慮する。
【０１１９】
有機過酸化物は、例えば、モノ−又はポリ−過酸化物、過酸化尿素、炭素原子数１ないし４のアルカノール酸化物及び炭素原子数１ないし４のアルカノール（例えば、国際公開第９５／０７９７２号パンフレットにおいて記載されるような酸化メタノール及びエタノール）、クメンヒドロペルオキシド及びｔ−ブチルヒドロペルオキシドのようなアルキルヒドロキシ過酸化物、式
【化１３８】
2008511764.tif 000139
（式中、Ｍは、水素原子又はカチオンを表し、
Ｒ112は、未置換の炭素原子数１ないし１８のアルキル基；置換した炭素原子数１ないし
１８のアルキル基；未置換のアリール基；置換したアリール基；アルキレン基及び／又はアルキル基が置換し得る−（炭素原子数１ないし６のアルキレン）−アリール基；及びフタルイミド基及び／又はアルキレン基が置換し得るフタルイミド炭素原子数１ないし８のアルキレン基を意味する。）で表される有機モノ過酸（ｏｒｇａｎｉｃ  ｍｏｎｏ  ｐｅｒａｃｉｄ）である。好ましいモノ有機ペルオキシ酸及びそれらの塩は式
【化１３９】
2008511764.tif 000140
（式中、Ｍは水素原子又はアルカリ金属を意味し、及び
Ｒ’112は、未置換の炭素原子数１ないし４のアルキル基；フェニル基；−炭素原子数１
ないし２のアルキレン−フェニレン基又はフタルイミド炭素原子数１ないし８のアルキレン基を意味する。）で表されるものである。
特に好ましくは、ＣＨ3ＣＯＯＯＨ及びそのアルカリ塩である。
特に好ましくは、またε−フタルイミドペルオキシヘキサノン酸及びそのアルカリ塩である。
ペルオキシ酸の代わりに、有機ペルオキシ酸前駆物質及びＨ2Ｏ2を使用することも可能である。そのような前駆物質は、ペルヒドロリシスによりペルオキシ酸を形成し得る、対応カルボキシ酸又は対応カルボキシ無水物又は塩化カルボニル、又はアミド、又はエステルである。そのような反応は一般に既知である。
【０１２０】
ペルオキシ酸は、また漂白活性剤のような前駆物質、すなわちペルヒドロリシス条件下、１ないし１０個の炭素原子、特に２ないし４個の炭素原子を有する未置換の又は置換したペルベンゾカルボン酸及び／又はペルオキソカルボン酸をもたらす化合物から作られ得る。適する漂白活性剤は、炭素原子及び／又は未置換の又は置換したベンゾイル基の示された数を有するＯ−及び／又はＮ−アシル基を有する初めに述べた通例の漂白活性剤を含む。好ましくは、ポリアシル化アルキレンジアミン、特にテトラアセチルエチレンジアミン（ＴＡＥＤ）、アシル化グリコールウリル、特にテトラアセチルグリコールウリル（ＴＡＧＵ）、Ｎ，Ｎ−ジアセチル−Ｎ，Ｎ−ジメチルウレア（ＤＤＵ）、アシル化トリアジン誘導体、特に１，５−ジアセチル−２，４−ジオキソヘキサヒドロ−１，３，５−トリアジン（ＤＡＤＨＴ）、式
【化１４０】
2008511764.tif 000141
（式中、Ｒ113は、スルホネート基、カルボン酸基又はカルボキシレート基を表し、及び
Ｒ114は、線状又は枝分かれした炭素原子数７ないし１５のアルキル基を表す。）で表さ
れる化合物、特にＳＮＯＢＳ、ＳＬＯＢＳ及びＤＯＢＡの名の下で知られる活性剤、アシル化多価アルコール、特にトリアセチン、エチレングリコールジアセテート及び２，５−ジアセトキシ−２，５−ジヒドロフラン、及びまたアセチル化ソルビトール及びマンニトール及びアシル化糖誘導体、特にペンタアセチルグルコース（ＰＡＧ）、スクロースポリアセテート（ＳＵＰＡ）、ペンタアセチルフルクトース、テトラアセチルキシロース及びオクタアセチルラクトース並びにアセチル化、所望によりＮ−アルキル化グルカミン及びグルコノラクトンである。独国特許出願公開第４４４３１７７号明細書から知られる慣用の漂白活性剤の組合せもまた使用可能である。ペルオキシドでペルイミン酸（ｐｅｒｉｍｉｎｅ  ａｃｉｄ）を形成するニトリル化合物もまた漂白活性剤として考慮される。
また適するのは、ジペルオキシ酸、例えば１，１２−ジペルオキシドデカンジオン酸（ＤＰＤＡ）、１，９−ジペルオキシアゼライン酸、ジペルオキシブラシリン酸（ｄｉｐｅｒｏｘｙｂｒａｓｓｉｌｉｃ  ａｃｉｄ）；ジペルオキシセバシン酸、ジペルオキシイソフタル酸、２−デシルジペルオキシブタン−１，４−ジオチン酸（２−ｄｅｃｙｌｄｉｐｅｒｏｘｙｂｕｔａｎｅ−１，４−ｄｉｏｔｉｃ  ａｃｉｄ）及び４，４’−スルホニルビスペルオキシ安息香酸である。
【０１２１】
しかしながら、好ましくは無機ペルオキシド、例えばペルスルフェート、ペルボレート、ペルカーボネート及び／又はペルシリケートが使用される。
適する無機ペルオキシドの例は、ナトリウム四水和物又はペルホウ酸ナトリウム一水和物、例えばモノペルスルフェートカリウム（ＭＰＳ）のような無機ペルオキシ酸化合物である。有機又は無機ペルオキシ酸が過酸素（ｐｅｒｏｘｙｇｅｎ）化合物として使用される場合、その量は通常２ないし１０質量％、好ましくは４ないし８質量％の範囲内である。
全てのそれらのペルオキシ化合物は、単独で又はペルオキシ酸漂白前駆物質及び／又は遷移金属を含有しない有機漂白触媒と併せて利用され得る。一般に、本発明の漂白組成物は、適切に配合されて２ないし３５質量％、好ましくは５ないし２５質量％のペルオキシ漂白剤を含有し得る。
ペルオキシ酸漂白前駆物質は、既知であり及び英国特許第８３６９８８号明細書；英国特許第８６４，７９８号明細書；英国特許第９０７，３５６号明細書；英国特許第１，００３，３１０号明細書及び英国特許第１，５１９，３５１号明細書；独国特許第３，３３７，９２１号明細書；欧州特許出願公開第０１８５５２２号明細書；欧州特許出願公開０１７４１３２号明細書；欧州特許出願公開第０１２０５９１号明細書；及び米国特許第１，２４６，３３９号明細書；米国特許第３，３３２，８８２号明細書；米国特許第４，１２８，４９４号明細書；米国特許第４，４１２，９３４号明細書及び米国特許第４，６７５，３９３号明細書のような文献において十分に記載される。好ましいものは、国際公開第０１／０５９２５号パンフレットに記載されるもの、特に好ましくは１：１のＭｎ（ＩＩＩ）錯体である。
ペルオキシ酸漂白前駆物質の他の有用な類は、カチオン性のもの、すなわち米国特許第４，７５１，０１５号明細書及び米国特許第４，３９７，７５７号明細書において、及び欧州特許出願公開第０２８４２９２号明細書及び欧州特許出願公開第３３１，２２９号明細書において開示されるような第四級アンモニウム置換されたペルオキシ酸前駆物質であ
る。
この類のペルオキシ酸漂白前駆物質の例は、２−（Ｎ，Ｎ，Ｎ−トリメチルアンモニウム）エチルナトリウム−４−スルホンフェニルカーボネートクロリド−（ＳＰＣＣ）、Ｎ−オクチル，Ｎ，Ｎ−ジメチル−Ｎ１０−カルボフェノキシデシルアンモニウムクロリド−（ＯＤＣ）、３−（Ｎ，Ｎ，Ｎ−トリメチルアンモニウム）プロピルナトリウム−４−スルホフェニルカルボキシレート及びＮ，Ｎ，Ｎ−トリメチルアンモニウムトルイルオキシベンゼンスルホネートである。
【０１２２】
漂白前駆物質の更なる特別な類は、欧州特許出願公開第３０３，５２０号明細書、国際公開第９６／４０６６１号パンフレットにおいて及び欧州特許第４５８，３９６号明細書、欧州特許第７９０２４４号明細書及び欧州特許第４６４，８８０号明細書において開示されるようなカチオン性ニトリルによって形成される。ニトリルクアッツ（ｎｉｔｒｉｌ
ｑｕａｔｓ）としても既知である、それらのカチオン性ニトリルは、式
【化１４１】
2008511764.tif 000142
（式中、Ｒ115は、炭素原子数１ないし２４のアルキル基；炭素原子数１ないし２４のア
ルケニル基；炭素原子数１ないし２４のアルキル基を有するアルカリール基；置換された炭素原子数１ないし２４のアルキル基；置換された炭素原子数１ないし２４のアルケニル基；置換されたアリール基を表し、
Ｒ116及びＲ117は、互いに独立して、炭素原子数１ないし３のアルキル基；１ないし３個の炭素原子を有するヒドロキシアルキル基、ｎが１ないし６を表す−（Ｃ2Ｈ4Ｏ）nＨ；
−ＣＨ2−ＣＮを表し、
Ｒ118は、炭素原子数１ないし２０のアルキル基；炭素原子数１ないし２０のアルケニル
基；置換された炭素原子数１ないし２０のアルキル基；置換された炭素原子数１ないし２０のアルケニル基；炭素原子数１ないし２４のアルキル基及び少なくとも１つの他の置換基を有するアルカリール基を表し、
Ｒ119、Ｒ120、Ｒ121、Ｒ122及びＲ123は、互いに独立して、水素原子、炭素原子数１な
いし１０のアルキル基、炭素原子数１ないし１０のアルケニル基、置換された炭素原子数１ないし１０のアルキル基、置換された炭素原子数１ないし１０のアルケニル基、カルボキシル基、スルホニル基又はシアノ基を表し、
Ｒ124、Ｒ125、Ｒ126及びＲ127は、互いに独立して、炭素原子数１ないし６のアルキル基を表し、
ｎ’は、１ないし３の整数を表し、
ｎ’’は、１ないし１６の整数を表し、及び
Ｘは、アニオンを表す。）を有する。
【０１２３】
他のニトリルクアッツは、下記の式
【化１４２】
2008511764.tif 000143
[式中、Ｒ128及びＲ129は、それらが結合する窒素原子と一緒になって、４ないし６個の
炭素原子を含む環を形成し、この環はまた炭素原子数１ないし５のアルキル基、炭素原子数１ないし５のアルコキシ基、炭素原子数１ないし５のアルカノイル基、フェニル基、アミノ基、アンモニウム基、シアノ基、シアンアミノ基又は塩素原子によって置換され得、及びこの環の１又は２個の炭素原子も、窒素原子によって、酸素原子によって、Ｎ−Ｒ133−基によって及び／又はＲ130−Ｎ−Ｒ133−基（ここで、Ｒ133は水素原子、炭素原子数１ないし５のアルキル基、炭素原子数２ないし５のアルケニル基、炭素原子数２ないし５のアルキニル基、フェニル基、炭素原子数７ないし９のアラルキル基、炭素原子数５ないし７のシクロアルキル基、炭素原子数１ないし５のアルカノイル基、シアノメチル基又はシアノ基を表す。）によって置換し得、
Ｒ130は、炭素原子数１ないし２４のアルキル基、好ましくは炭素原子数１ないし４のア
ルキル基、炭素原子数２ないし２４のアルケニル基、好ましくは炭素原子数２ないし４のアルケニル基、シアノメチル基又は炭素原子数１ないし４のアルコキシ−炭素原子数１ないし４のアルキル基を表し、
Ｒ131及びＲ132は、各々互いに独立して、水素原子、炭素原子数１ないし４のアルキル基、炭素原子数１ないし４のアルケニル基、炭素原子数１ないし４のアルコキシ−炭素原子数１ないし４のアルキル基、フェニル基又は炭素原子数１ないし３のアルキルフェニル基、好ましくは水素原子、メチル基又はフェニル基を表し、ここでＲ132が水素原子を表さ
ない場合、部分Ｒ131は水素原子を意味し、及び
Ｘ-は、アニオンを表す。]を有する。
【０１２４】
式（ε）で表されるニトリルクアッツの適する例は、
【化１４３】
2008511764.tif 000144
である。
【０１２５】
他のニトリルクアッツは、式
【化１４４】
2008511764.tif 000145
[式中、Ａは、Ｎ1原子に加えて複数の炭素原子によって形成される飽和環を表し、該飽和環原子はＮ1原子に加えて少なくとも１つの炭素原子及び少なくとも１つのヘテロ原子を
含み、前記１つのヘテロ原子はＯ、Ｓ及びＮ原子からなる群から選ばれ、式（φ）構造のＮ1原子に結合する置換基Ｒ133は、（ａ）炭素原子数１ないし８のアルキル基又はアルコキシ化アルキル基（ここで、アルコキシ基は炭素原子数２ないし４をである。）、（ｂ）炭素原子数４ないし２４のシクロアルキル基、（ｃ）炭素原子数７ないし２４のアルカリール基、（ｄ）繰返しもしくは非繰返しアルコキシ基又はアルコキシ化アルコール（ここでアルコキシ単位は炭素原子数２ないし４である。）、又は
【化１４５】
2008511764.tif 000146
[ここで、Ｒ136及びＲ137は、各々Ｈ、炭素原子数１ないし２４のアルキル基、シクロア
ルキル基、又はアルカリール基、又は繰返しもしくは非繰返しアルコキシ基又はアルコキシ化アルコール（ここでアルコキシ単位は炭素原子数２ないし４である。）を表す。]を
表し、
式（φ）中、Ｒ134及びＲ135のうち少なくとも一方はＨを表し、Ｒ134及びＲ135の他方はＨ、炭素原子１ないし２４のアルキル基、シクロアルキル基、又はアルカリール基、又は繰返しもしくは非繰返しアルコキシ基又はアルコキシ化アルコール（ここでアルコキシ単位は炭素原子数２ないし４である。）、及びＹは少なくとも１つの対イオンを表す。]を
有する。
【０１２６】
いくつかのペルオキシ漂白前駆物質は他のものよりより好ましいけれども、それらのペルオキシ漂白前駆物質のうちいずれか１つが本発明で使用され得る。
上記の類の漂白前駆物質のうち、好ましい類は、アシルフェノールスルホネート及びアシルアルキルフェノールスルホネートを含むエステル；アシルアミド；及びカチオン性ニトリルを含む第四級アンモニウムで置換されたペルオキシ酸前駆物質である。
前記好ましいペルオキシ酸漂白前駆物質又は活性剤の例は、４−ベンゾイルオキシベンゼンスルホン酸ナトリウム（ＳＢＯＢＳ）；Ｎ，Ｎ，Ｎ’，Ｎ’−テトラアセチルエチレンジアミン（ＴＡＥＤ）；１−メチル−２−ベンゾイルオキシベンゼン−４−スルホン酸ナトリウム；４−メチル−３−ベンゾールオキシ安息香酸ナトリウム；ＳＰＣＣ；トリメチルアンモニウムトルイルオキシ−ベンゼンスルホネート；ノナノイルオキシベンゼンスルホン酸ナトリウム（ＳＮＯＢＳ）；３，５，５−トリメチルヘキサノイル−オキシベンゼンスルホン酸ナトリウム（ＳＴＨＯＢＳ）；及び置換されたカチオン性ニトリルである。
前記前駆物質は、組成物の１２質量％まで、好ましくは２ないし１０質量％の量で使用し得る。
無機及び／又は有機ペルオキシドの混合物もまた使用され得ることが理解されるだろう。ペルオキシドは様々な結晶形態であり得及び異なる水分含有量を有し得、またそれらはそれらの貯蔵安定性を改善するために他の無機又は有機化合物とともに使用され得る。
ペルオキシドは、好ましくは成分を混合することによって、例えばスクリュー計量器（ｓｃｒｅｗ  ｍｅｔｅｒｉｎｇ  ｓｙｓｔｅｍ）及び／又は流動床ミキサーを使用して薬剤に添加される。
【０１２７】
薬剤は、本発明による組合せに加えて、例えばビス−トリアジニルアミノ−スチルベンジスルホン酸、ビス−トリアゾリル−スチルベンジスルホン酸、ビス−スチリル−ビフェニル又はビス−ベンゾフラニルビフェニル、ビス−ベンゾオキサリル誘導体、ビス−ベンズイミダゾリル誘導体又はクマリン誘導体又はピラゾリン誘導体の類から１種以上の蛍光増白剤を含み得る。
使用される洗剤は、通常、汚れ懸濁剤（ｓｏｉｌ  ｓｕｓｐｅｎｄｉｎｇ  ａｇｅｎｔｓ）のような１種以上の助剤、例えばカルボキシメチルセルロースナトリウム；ｐＨを調整するための塩、例えばアルカリ又はアルカリ土類金属シリケート；泡調整剤、例えば石けん；噴霧乾燥及び粒状性（ｇｒａｎｕｌａｔｉｎｇ  ｐｒｏｐｅｒｔｉｅｓ）を調整するための塩、例えば硫酸ナトリウム；香料：及びまた適切な場合、帯電防止剤及び柔軟剤；例えばスメクタイト粘土；光退色剤；顔料；及び／又はシェーディング剤を含有するだろう。それらの構成物質は、もちろん用いられた漂白系いずれにおいても安定であるべきである。そのような助剤は、洗剤の総質量に基づき、例えば０．１ないし２０質量％、好ましくは０．５ないし１０質量％、特に０．５ないし５質量％の量で存在し得る。
【０１２８】
さらに、前記洗剤は、所望より酵素を含有し得る。酵素は、染み抜きのために洗剤に加えられ得る。該酵素は通常、血液、牛乳、草又はフルーツジュースによってもたらされるもののようなタンパク質又はでんぷんに基づく染みに対する性能を改善する。好ましい酵素は、セルラーゼ、プロテアーゼ、アミラーゼ及びリパーゼである。好ましい酵素は、セルラーゼ及びプロテアーゼ、特にプロテアーゼである。セルラーゼは、セルロース及びその誘導体に作用し及びそれらをグルコース、セロビオース、セロオリゴサッカリドに加水分解する酵素である。セルラーゼは、汚れを除去し、また手触りの粗さを緩和する効果を有する。使用する酵素の例は、下記を含むがそれらに限られたものではない：
米国特許第６，２４２，４０５号明細書、１４欄、２１ないし３２行において与えられるようなプロテアーゼ；
米国特許第６，２４２，４０５号明細書、１４欄、３３ないし４６において与えられるような及び国際公開第００６００６３号パンフレットにおいて与えられるようなリパーゼ；米国特許第６，２４２，４０５号明細書、１４欄、４７ないし５６行において与えられるようなアミラーゼ；
米国特許第６，２４２，４０５号明細書、１４欄、５７ないし６４行において与えられるようなセルラーゼ。
アルカラーゼ（登録商標：Ａｌｃａｌａｓｅ）、エスペラーゼ（登録商標：Ｅｓｐｅｒａｓｅ）、エバラーゼ（登録商標：Ｅｖｅｒｌａｓｅ）、サビナーゼ（登録商標：Ｓａｖｉｎａｓｅ）、カンナーゼ（登録商標：Ｋａｎｎａｓｅ）及びデュラザイム（登録商標：Ｄｕｒａｚｙｍ）のような商業上入手可能な洗剤プロテアーゼは、例えばノボザイムズ  Ａ／Ｓによって販売される。
ターマミル（登録商標：Ｔｅｒｍａｍｙｌ）、デュラミル（登録商標：Ｄｕｒａｍｙｌ）、ステンザイム（登録商標：Ｓｔａｉｎｚｙｍｅ）、ナタラーゼ（登録商標：Ｎａｔａｌａｓｅ）、バン（登録商標：Ｂａｎ）及びファンガミル（登録商標：Ｆｕｎｇａｍｙｌ）のような商業上入手可能な洗剤アミラーゼは、例えばノボザイムズ  Ａ／Ｓによって販売される。
セルザイム（登録商標：Ｃｅｌｌｕｚｙｍｅ）、ケアザイム（登録商標：Ｃａｒｅｚｙｍｅ）及びエンドラーゼ（登録商標：Ｅｎｄｏｌａｓｅ）のような商業上入手可能な洗剤セルラーゼは、例えばノボザイムズ  Ａ／Ｓによって販売される。
リポラーゼ（登録商標：Ｌｉｐｏｌａｓｅ）、リポラーゼウルトラ（登録商標：Ｌｉｐｏｌａｓｅ  Ｕｌｔｒａ）及びリポライム（登録商標：Ｌｉｐｏｐｒｉｍｅ）のような商業上入手可能な洗剤リパーゼは、例えばノボザイムズ  Ａ／Ｓによって販売される。
マンナナウェイ（登録商標：Ｍａｎｎａｎａｗａｙ）のような適するマンナナーゼは、例えばノボザイムズ  Ａ／Ｓによって販売される。
酵素は、所望により洗剤中に存在し得る。使用する場合、該酵素は、通常洗剤の総質量に基づき０．０１ないし５質量％、好ましくは０．０５ないし５質量＆及びより好ましくは０．１ないし４質量％の量で存在し得る。
【０１２９】
本発明による薬剤に対する更に好ましい添加剤は、布地を洗浄する間、洗浄条件下で布地から放出されている洗浄液中の染料によって引き起こされる染みを防ぐ色止め剤及び／又はポリマーである。そのようなポリマーは好ましくは、アニオン性又はカチオン性置換基の組み込みによって改質されていても良い、ポリビニルピロリドン、ポリビニルイミダゾール又はポリビニルピリジン−Ｎ−オキシド、特に５０００ないし６００００、より特に５０００ないし５００００の範囲内の分子量を有するものである。そのようなポリマーは、通常、洗剤の総質量に基づき０．０１ないし５質量％、好ましくは０．０５ないし５質量％、特に０．１ないし２質量％の量で使用される。好ましいポリマーは、国際公開第０２／０２８６５号パンフレット（特に１頁の最終段落及び２頁の最初の段落参照。）において与えられるものである。
【０１３０】
本発明による好ましい洗浄剤配合物（ＷＡＦ’）は、
Ｉ）該洗浄剤配合物の総質量に基づき、５ないし７０質量％の
Ａ）アルキル基において９ないし１５の炭素原子を有するアルキルベンゼンスルホネート；当該アルキル基において６ないし１６個の炭素原子を有するアルキルナフタレンスルホネート；及び式Ｒ109ＣＯＮ（Ｒ110）ＣＨ2ＣＯＯＭ1（式中、Ｒ109は、アルキル基又は
アルケニル基において８ないし２０個の炭素原子を有するアルキル基又はアルケニル基を表し、Ｒ110は、炭素原子数１ないし４のアルキル基を表し、及びＭ1はアルカリ金属を表す。）で表されるアルカリ金属サルコシネートからなる群から少なくとも１種のアニオン性界面活性剤及び／又は
Ｂ）酸化エチレン３ないし８モルと９ないし２０個の炭素原子を含有する第一級アルコール１モルの縮合生成物からなる群からの少なくとも１種の非イオン性界面活性剤、
（ＩＩ）該洗浄剤配合物の総質量に基づき、５ないし６０質量％の
Ｃ）アルカリ金属ホスフェート；カーボネート；炭酸水素塩；シリケート；珪酸アルミニウム；ポリカルボキシレート；ポリカルボン酸；有機ホスホネート及びアミノアルキレンポリ（アルキレンホスホネート）からなる群からのビルダー物質、
（ＩＩＩ）該洗浄剤配合物の総質量に基づき、０ないし３０質量％の
Ｄ）有機モノ−又はポリ−ペルオキシド；有機過酸及びその塩；過硫酸塩；過ホウ酸塩；過炭酸塩及び過珪酸塩からなる群からのペルオキシド及び所望により漂白活性剤及び／又は漂白触媒、
（ＩＶ）該洗浄剤配合物の総質量に基づき、０．００１ないし１質量％の
Ｅ）少なくとも１種の粒質物（Ｇ）、（Ｇ’）及び／又は（Ｇ’’）、
（Ｖ）該洗浄剤配合物の総質量に基づき、０ないし６０質量％の
Ｆ）蛍光増白剤；汚れのための懸濁剤；ｐＨ調整剤；泡調整剤；噴霧乾燥及び粒状性を調整するための塩；香料；帯電防止剤；仕上げ剤；酵素；漂白剤；顔料；青味剤；布地を洗浄する間、洗浄条件下で布地から放出されている洗浄液中の染料によって引き起こされる染みを防ぐポリマー；過ホウ酸塩活性剤、及び
（ＶＩ）該洗浄剤配合物の総質量に基づき、０ないし５質量％の水
からなる。
【０１３１】
粒質物（Ｇ）、（Ｇ’）及び（Ｇ’’）は、既知の方法に従い調製される。いかなるの既知の方法も本発明の混合物を含む顆粒を製造するのに適する。連続又は不連続の方法が適する。噴霧乾燥又は流動床顆粒化プロセスのような連続方法が好ましい。
特に適するのは、有効成分溶液が循環熱空気とともにチャンバー内に噴霧される噴霧乾燥プロセスである。溶液の噴霧化は、１本又は２本のノズルを使用し行われるか、又は急速回転円板の回転効果によってもたらされる。粒径を大きくするために、噴霧乾燥プロセスは、チャンバーの不可欠な部分を形成する流動床において固体核を用いた液体粒子の追加凝集と組み合わされ得る（いわゆる流動噴霧）。従来の噴霧乾燥プロセスによって得られる微粒子（＜１００μｍ）は、必要ならば排気ガスの流れから分けられた後に、有効成分の液滴での凝集の目的のために、更なる処理なしで、噴霧乾燥機の噴霧器の噴霧コーン（ｃｏｎｅ）に直接、核として供給される。顆粒化工程の間、水はフタロシアニン化合物、適当ならば更なる添加剤を含む溶液から急速に除去され得、また噴霧コーンで形成する液滴の凝集、すなわち固体粒子を有する液滴の凝集が起こることを明確に目的とする。凝集プロセスは通常、高いバルク質量（ｂｕｌｋ  ｗｅｉｇｈｔ）を生じ、その結果粒質物が洗浄剤配合物とよい混和性を有するため、本発明による顆粒を製造するためにそのようなプロセスを使用することが好ましい。
【０１３２】
本発明の更なる態様は、粒質物を調製するために、膜分離法によって精製されたフタロシアニン溶液を使用することを含む。膜ろ過のようなそのような膜分離プロセスは、従来よく知られており、また例えば“Ｈａｎｄｂｕｃｈ  ｄｅｒ  ｉｎｄｕｓｔｒｉｅｌｌｅｎ  Ｆｅｓｔ／Ｆｌuｓｓｉｇ−Ｆｉｌｔｒａｔｉｏｎ”，  Ｗｅｉｎｈｅｉｍ：  Ｗｉ
ｌｅｙ−ＶＣＨ  ２０００又は“Ｅｎｃｙｃｌｏｐｅｄｉａ  ｏｆ  Ａｎａｌｙｔｉｃａｌ  Ｓｃｉｅｎｃｅ”，  Ｓ．  ３０３５ないし３０５０，  Ｎｅｗ  Ｙｏｒｋ：  Ａｃａｄｅｍｉｃ  Ｐｒｅｓｓ  １９９５又は“Ｕｌｌｍａｎｎ”（５．）Ａ１６，１８７−２５８に記載される。
必要ならば、噴霧乾燥において形成された顆粒は、連続プロセス、例えばふるい操作で除去される。微粒子及び過大な粒子は、直接プロセスに戻されるか（再溶解されることなく）又は液体有効成分配合物中に溶解され、そして次に再び顆粒化される。
粒質物（Ｇ）、（Ｇ’）及び（Ｇ’’）は、耐磨耗性、低粉じん性、易流動性であり、及び容易に計量され得る。それらは、特に水中での非常に早い溶解性によって特徴付けられる。
粒質物（Ｇ）、（Ｇ’）及び（Ｇ’’）は、好ましくは５００ないし９００ｇ／Ｌの範囲の密度を有し、水にすばやく溶解し、及び洗浄剤溶液の表面上に浮かない。それらは、望ましいフタロシアニン化合物の濃度で、洗浄剤配合物に直接加えられ得る。
本発明による配合物における本発明による粒質物（Ｇ）、（Ｇ’）及び（Ｇ’’）の含有量は、０．００１ないし１質量％、好ましくは０．００１ないし０．０５質量％及び極めて特に０．００５ないし０．０３質量％である。
【０１３３】
本発明による洗浄剤配合物は、一般に既知の方法において調製し得る。
粉末形態での配合物は、例えば成分Ｄ）及びＥ）を除く上述の成分全てを含む水性スラリーを噴霧乾燥することによって最初の粉末を初めに調製し、そして次に乾燥成分Ｄ）及びＥ）を加え、そして一緒にそれら全てを混合することによって調製され得る。成分Ａ）及びＣ）を含むが、成分Ｂ）は含まないか又は成分Ｂ）の一部だけ含む水性スラリーから始めることも可能である。前記スラリーは、噴霧乾燥され；成分Ｅ）が次に成分Ｂ）と混合されそして加えられ；そして次に成分Ｄ）が乾燥状態で混合される。前記成分は、好ましくは少なくとも５００ｇ／Ｌの比重量を有する、顆粒形態の固体圧縮洗浄剤組成物が得るられるような量で互いに混合される。
他の好ましい態様において、洗浄剤組成物の製造は３工程で行われる。最初の工程では、アニオン性界面活性剤（及び、適切ならば、少量の非イオン性界面活性剤）とビルダー物質の混合物が調製される。第２工程では、前記混合物が非イオン性界面活性剤の主要な部分とともに噴霧され、そして次に第３工程では、ペルオキシド及び、適切ならば触媒、及び本発明による粒質物が加えられる。前記方法は、通常流動床で行われる。更に好ましい態様において、それらの間に特定の量の重複があるために個々の工程は完全に別々には行われない。そのような方法は、通常“メガパール（ｍｅｇａｐｅａｒｌｓ）”の形態で粒質物を得るために押出機で行われる。
【０１３４】
その代わりの方法として、本発明による粒質物は、ポスト−ドーシング（ｐｏｓｔ  ｄｏｓｉｎｇ）工程における洗浄剤との混合を目的に、ホスフェート、ゼオライト、増白剤又は酵素のような他の洗浄剤成分と混合され得る。
粒質物のポスト−ドーシングのためにそのような種類の混合物は、混合物中で本発明による粒質物の均質分布によって特徴付けられ、また例えば５ないし５０％の粒質物及び９５ないし５０％のナトリウムトリポリホスフェートからなり得る。洗浄剤組成物中の粒質物の暗い外観を抑える場合には、例えば、これは白色糸の融解可能物質（“水溶性ワックス”）の液滴に顆粒を埋め込むことによって、又は好ましくは欧州特許第０３２３４０７号明細書において記載されるような水溶性ワックスからなる溶融物中に顆粒をカプセル化することによって達成され得、白色固体（例えば二酸化チタニウム）がカプセルのマスク効果を強化するために溶融物に加えられる。
洗剤は、また５ないし５０、好ましくは１０ないし３５質量％の水を含む水性液体として又は５以下、好ましくは０ないし１質量％の水を含有する非水性液体洗剤として配合され得る。非水性液体洗剤組成物は、キャリアとして他の溶媒を含有し得る。メタノール、エタノール、プロパノール及びイソプロパノールによって例示される低分子量第一級又は
第二級アルコールが適する。一価アルコールが界面活性剤を溶解するために好ましいが、２ないし約６個の炭素原子及び２ないし約６個のヒドロキシ基を含有するようなポリオール（例えば、１，３−プロパンジオール、エチレングリコール、グリセリン及び１，２−プロパンジオール）もまた使用され得る。組成物は、５質量％ないし９０質量％、典型的に１０質量％ないし５０質量％の前記キャリアを含有し得る。前記洗剤はまたいわゆる“ユニット  リキッド  ドース（ｕｎｉｔ  ｌｉｑｕｉｄ  ｄｏｓｅ）”形態でも存在し得る。
【０１３５】
本発明の更なる態様は、
（ａ）少なくとも１種の組成物（Ａ）、（Ａ’）及び／又は（Ａ’’）、
（ｂ）少なくとも１種の織物柔軟剤
を含む織物柔軟剤配合物（ＦＳＦ）である。
ここで使用するために適する織物柔軟剤、特に炭化水素織物柔軟剤は下記の化合物の類から選ばれる：
（ｉ）カチオン性第四級アンモニウム塩。そのようなカチオン性第四級アンモニウム塩の対イオンは、クロリド又はブロミドのようなハリド、メチルスルフェート、又は文献においてよく知られる他のイオンであり得る。好ましくは、前記対イオンは、メチルスルフェート又はいずれかのアルキルスルフェート又はいずれかのハリドであり、メチルスルフェートが本発明の乾燥機添加物品に対し最も好ましい。
カチオン性第四級アンモニウム塩の例は、以下のものを含むが、これらに限定されない：
（１）ジ牛脂ジメチルアンモニウムメチルスルフェート、ジ（水素化牛脂）ジメチルアンモニウムメチルスルフェート、ジ（水素化牛脂）ジメチルアンモニウムメチルクロリド、ジステアリルジメチルアンモニウムメチルスルフェート、ジココジメチルアンモニウムメチルスルフェートなどのような、少なくとも２つの炭素原子数８ないし３０、好ましくは炭素原子数１２ないし２２のアルキル鎖又はアルケニル鎖を有する非環式第四級アンモニウム塩。織物柔軟剤化合物が少なくとも１つのエステル結合によって分子に結合する２つの炭素原子数１２ないし１８のアルキル基又はアルケニル基を有する化合物を含む水溶性第四級アンモニウム物質である場合、それは特に好ましい。第四級アンモニウム物質が２つのエステル結合を有する場合、それはより好ましい。本発明において使用するための特に好ましいエステル結合第四級アンモニウム物質は、式
【化１４６】
2008511764.tif 000147
（式中、各々のＲ136基は、独立して、炭素原子数１ないし４のアルキル基、ヒドロキシ
アルキル基又は炭素原子数２ないし４のアルケニル基から選ばれ；Ｔは−Ｏ−Ｃ（Ｏ）−又は−Ｃ（Ｏ）−Ｏ−を表し、及び各々のＲ137基は、独立して、炭素原子数８ないし２
８のアルキル基又はアルケニル基から選ばれ；及びｅは、０ないし５の整数を表す。）によって表され得る。
２番目に好ましいタイプの第四級アンモニウム物質は、式
【化１４７】
2008511764.tif 000148
（式中、Ｒ136、ｅ及びＲ137は、上記で定義される通りである。）によって表され得る。
（２）ジ（水素化牛脂）ジメチルイミダゾリニウムメチルスルフェート、１−エチレン−ビス（２−牛脂−１−メチル）イミダゾリニウムメチルスルフェートなどのような環式第四級アンモニウム塩；
（３）メチル−ビス（水素化牛脂アミドエチル）−２−ヒドロキシエチルアンモニウムメチルスルフェート、メチルビ（牛脂アミドエチル）−２−ヒドロキシプロピルアンモニウムメチルスルフェートなどのようなジアミド第四級アンモニウム塩；
（４）Ｎ，Ｎ−ジ（タロウオイル（ｔａｌｌｏｗｏｙｌ）−オキシ−エチル）−Ｎ，Ｎ−ジメチルアンモニウムメチルスルフェート及びＮ，Ｎ−ジ（タロウオイル（ｔａｌｌｏｗｏｙｌ）−オキシ−プロピル）−Ｎ，Ｎ−ジメチルアンモニウムメチルスルフェートのような生分解性第四級アンモニウム塩。生分解性第四級アンモニウム塩は、参照することによりここに組み込まれる、例えば米国特許第４，１３７，１８０号明細書、米国特許第４，７６７，５４７号明細書及び米国特許第４，７８９，４９１号明細書において記載される。
好ましい生分解性第四級アンモニウム塩は、参照することによりここに組み込まれる米国特許第４，１３７，１８０号明細書において記載されるような生分解性カチオン性ジエステル化合物を含む。
【０１３６】
（ｉｉ）少なくとも１つ及び好ましくは２つの炭素原子数８ないし３０、好ましくは炭素原子数１２ないし２２のアルキル鎖を有する第三脂肪アミン。例は、１−（水素化牛脂）アミドエチル−２−（水素化牛脂）−イミダゾリンのような硬化牛脂−ジ−メチルアミン及び環式アミンを含む。ここで組成物に対して用いられ得る環式アミンは、参照することによりここに組み込まれる米国特許第４，８０６，２５５号明細書において記載される。
（ｉｉｉ）１分子当たり８ないし３０個の炭素原子及び１個のカルボン酸基を有するカルボン酸。アルキル部分は、８ないし３０個、好ましくは１２ないし２２個の炭素原子を有する。該アルキル部分は、線状又は枝分かれ状、飽和又は不飽和であり得、線状飽和アルキル基が好ましい。ステアリン酸は、ここで組成物に使用するための好ましい脂肪酸である。それらのカルボン酸の例は、少量の他の酸を含有し得る商業等級のステアリン酸及びパルミチン酸、及びそれらの混合物である。
（ｉｖ）ソルビタンエステル又はグリセロールエステルのような多価アルコールのエステル。ソルビタンエステルは、ソルビトール又はイソ−ソルビトールとステアリン酸のような脂肪酸との縮合生成物である。
好ましいソルビタンエステルは、モノアルキルである。ソルビタンエステルの一般的な例は、ソルビタンとイソソルビドステアレート（ｉｓｏｓｏｒｂｉｄｅ  ｓｔｅａｒａｔｅ）の混合物であるスパン６０（登録商標：ＳＰＡＮ）（ＩＣＩ）である。
（ｖ）脂肪アルコール、エトキシ化脂肪アルコール、アルキルフェノール、エトキシ化アルキルフェノール、エトキシ化脂肪アミン、エトキシ化モノグリセリド及びエトキシ化ジグリセリド。
（ｖｉ）鉱油、及びポリエチレングリコールのようなポリオール。
【０１３７】
これらの柔軟剤は、参照されることによりここに組み込まれる米国特許第４，１３４，８３８号明細書においてより明確に記載される。ここで使用する好ましい織物柔軟剤は、非環式第四級アンモニウム塩である。上述の織物柔軟剤の混合物もまた使用され得る。
本発明による織物柔軟剤配合物は、織物柔軟剤組成物の総質量に基づき、約０．００１ないし５質量％、好ましくは０．００１ないし３質量％のシェーディング組成物（Ａ）、（Ａ’）及び／又は（Ａ’’）を含む。
本発明で用いられる織物柔軟剤配合物は、好ましくは、織物柔軟剤組成物の総質量に基づき、約０．１ないし約９５質量％の織物柔軟剤配合物を含有する。好ましくは、０．５ないし５０質量％の量、特に２ないし５０質量％の量及び最も好ましくは２ないし３０質量％の量である。
織物柔軟剤組成物は、また標準の商業用織物柔軟剤組成物に対し慣例である添加剤、例えばエタノール、ｎ−プロパノール、ｉ−プロパノール、多価アルコールのようなアルコール、例えばグリセロール及びプロピレングリコール；両性及び非イオン性界面活性剤、例えばイミダゾールのカルボキシル誘導体、オキシエチル化脂肪アルコール、水素化及びエトキシ化ヒマシ油、アルキルポリグリコシド、例えばデシルポリグルコース及びドデシルポリグルコース、脂肪アルコール、脂肪酸エステル、脂肪酸、エトキシ化脂肪酸グリセリド又は脂肪酸部分グリセリド；また無機又は有機塩、例えば水溶性カリウム、ナトリウム又はマグネシウム塩、非水性溶媒、ｐＨ緩衝剤、香料、染料、ハイドロトロピー剤（ｈｙｄｒｏｒｏｐｉｃ  ａｇｅｎｔ）、消泡剤、再付着防止剤、酵素、蛍光増白剤、収縮防止剤（ａｎｔｉｓｈｒｉｎｋ  ａｇｅｎｔｓ）、染み抜き剤、殺菌剤、殺カビ剤、色止め剤又は転染防止剤（ｄｙｅ  ｔｒａｎｓｆｅｒ  ｉｎｈｉｂｉｔｏｒｓ）（国際公開第０２／０２８６５号パンフレットにおいて記載される）、酸化防止剤、腐食防止剤、しわ回復又はポリオルガノシロキサンのようなウェットソイリングリダクション剤（ｗｅｔ  ｓｏｉｌｉｎｇ  ｒｅｄｕｃｔｉｏｎ  ａｇｅｎｔ）も含み得る。後者２つの添加剤は、国際公開第０１／２５３８５号パンフレットに記載される。
そのような添加剤は、好ましくは織物柔軟剤組成物の総質量に基づき、０ないし３０質量％の量で使用される。好ましくは、織物柔軟剤組成物の総質量に基づき、０ないし２０質量％の量、特に０ないし１０質量％及び最も好ましくは０ないし５質量％の量である。
織物柔軟剤組成物は、好ましくは液体水性形態にあり得る。織物柔軟剤組成物は、好ましくは織物柔軟剤組成物の総質量に基づき、２５ないし９０質量％の水分含有量を含有し得る。より好ましくは水分含有量が５０ないし９０質量％、特に６０ないし９０質量％である。
【０１３８】
本発明の好ましい態様は、織物柔軟剤組成物（ＦＳＦ’）であって、
（ａ）該織物柔軟剤配合物の総質量に基づき、０．００１ないし５質量％のシェーディング組成物（Ａ）、（Ａ’）及び／又は（Ａ’’）、
（ｂ）該織物柔軟剤配合物の総質量に基づき、０．１ないし９５質量％の上記の（ｉ）ないし（ｖｉ）類から選ばれる少なくとも１種の織物柔軟剤、
（ｃ）該織物柔軟剤配合物の総質量に基づき、０ないし３０質量％の、アルコール；両性及び非イオン性界面活性剤；無機又は有機塩；非水性溶媒；ｐＨ緩衝剤；香料、染料；ハイドロトロピー剤（ｈｙｄｒｏｒｏｐｉｃ  ａｇｅｎｔ）；消泡剤；再付着防止剤；酵素；蛍光増白剤；収縮防止剤（ａｎｔｉｓｈｒｉｎｋ  ａｇｅｎｔｓ）；染み抜き剤；殺菌剤；殺カビ剤；色止め剤又は転染防止剤（ｄｙｅ  ｔｒａｎｓｆｅｒ  ｉｎｈｉｂｉｔｏｒｓ）；酸化防止剤、腐食防止剤、しわ回復又はウェットソイリングリダクション剤（ｗ
ｅｔ  ｓｏｉｌｉｎｇ  ｒｅｄｕｃｔｉｏｎ  ａｇｅｎｔ）からなる群から選ばれた少なくとも１種の添加剤、及び
（ｄ）該織物柔軟剤配合物の総質量に基づき、２５ないし９０質量％の水
を含む織物柔軟剤組成物である。
織物柔軟剤組成物は、好ましくはｐＨ値２．０ないし９．０、特に２．０ないし５．０を有する。
織物柔軟剤組成物は、例えば下記のように調製され得る：
最初に、カチオン性ポリマーの水性配合物が上述のように調製される。本発明による織物柔軟剤組成物は、通常、しかし他の場合を排除することなく、まず、水に溶融状態で、活性物質、すなわち炭化水素をベースとした織物柔軟剤成分を攪拌し、次に、必要であれば、さらに望ましい添加剤を添加し、そして最後にカチオンポリマーの配合物を添加することによって調製される。織物柔軟剤組成物は、例えば予備配合した織物柔軟剤とカチオン性ポリマーを混合することによっても調製し得る。
これらの織物柔軟剤組成物は、従来、例えば水において３０質量％までの活性物質を含有する分散液として調製される。それらは、通常混濁した外観を有する。しかしながら、溶媒に加えて５ないし４０質量％のレベルで活性成分を含有するまた別の配合物は、通常透明な外観を有するマイクロエマルションとして調製され得る（溶媒及び配合物については、例えば米国特許第５，５４３，０６７号明細書及び国際公開第９８／１７７５７号パンフレット参照）。
【０１３９】
本発明の更なる態様は、少なくとも１種の染料が共有結合によって結合している新規なＺｎ−、Ｃａ−、Ｍｇ−、Ｎａ−、Ｋ−、Ａｌ、Ｓｉ−、Ｔｉ−、Ｇｅ−，Ｇａ−、Ｚｒ−、Ｉｎ−又はＳｎ−フタロシアニン化合物に関する。
本発明は、また上述の式（１ａ）及び（１ｂ）で表される化合物に関する。
本発明は、また上述の式（２ａ）、（３）、（４）、（４ａ）、（５）、（６）及び（７）で表される化合物に関する。
【０１４０】
本発明の特に好ましい態様は、式（８）及び（９）
【化１４８】
2008511764.tif 000149
[式中、
Ｍｅは、Ｚｎ、ＡｌＺ1、Ｓｉ（ＩＶ）−（Ｚ1）2又はＴｉ（ＩＶ）−（Ｚ1）2（ここで
、Ｚ1は、塩素原子、フッ素原子、臭素原子又はヒドロキシル基を表す。）を表し、
各々のＱ1は、各々互いに独立して、スルホ基又はカルボキシル基；又は式
−ＳＯ2Ｘ2−Ｒ1−Ｘ3+；−Ｏ−Ｒ1−Ｘ3+又は−（ＣＨ2）t−Ｙ1+
[式中、Ｒ1は、枝分かれした又は枝分かれしてない炭素原子数１ないし４のアルキレン基；１，３−フェニレン基又は１，４−フェニレン基を表し、
Ｘ2は、−ＮＨ−又は−Ｎ（炭素原子数１ないし４のアルキル）−を表し、
Ｘ3+は、式
【化１４９】
2008511764.tif 000150
で表される基又は、Ｒ1＝炭素原子数１ないし４のアルキレン基の場合、また式
【化１５０】
2008511764.tif 000151
で表される基を表し、
Ｙ1+は、式
【化１５１】
2008511764.tif 000152
で表される基を表し、
ｔは、０又は１を表す
上記式中、
Ｒ2及びＲ3は、互いに独立して、炭素原子数１ないし６のアルキル基を表し、
Ｒ4は、炭素原子数１ないし４のアルキル基；ペンチル基；ヘキシル基又はＮＲ7Ｒ8を表
し、
Ｒ5及びＲ6は、互いに独立して、炭素原子数１ないし４のアルキル基を表し、
Ｒ7及びＲ8は、互いに独立して、水素原子又は炭素原子数１ないし４のアルキル基を表し、
Ｒ9及びＲ10は、互いに独立して、未置換の炭素原子数１ないし４のアルキル基又はヒド
ロキシル基、シアノ基、カルボキシル基、ＳＯ3Ｈ、−ＮＨ2、カルボ−炭素原子数１ないし４のアルコキシ基、炭素原子数１ないし４のアルコキシ基、フェニル基。ナフチル基又はピリジル基からなる群から選ばれた少なくとも１つの置換基によって置換した炭素原子数１ないし４のアルキル基を表し、
ｕは、１ないし６を表し、
Ａ1は、ピロール環；イミダゾール環；ピリジン環；ピラジン環；ピリミジン環；ピリダ
ジン環を完成する単位を表し、及び
Ｂ1は、モルホリノ環；ピロリジン環；ピペラジン環又はピペラジン環を表す。] で表さ
れる基を表し、
各々のＱ2は、各々互いに独立して、ヒドロキシル基；炭素原子数１ないし１０のアルキ
ル基；枝分かれした炭素原子数３ないし１０のアルキル基；炭素原子数２ないし１０のアルケニル基；枝分かれした炭素原子数３ないし１０のアルケニル基及びそれらの混合物；炭素原子数１ないし１０のアルコキシ基；スルホ基又はカルボキシル基；式
【化１５２】
2008511764.tif 000153
【化１５３】
2008511764.tif 000154
で表される基；式
【化１５４】
2008511764.tif 000155
で表される枝分かれしたアルコキシ基；
式−（Ｔ1）d−（ＣＨ2）b（ＯＣＨ2ＣＨ2）a−Ｂ3で表されるアルキルエチレンオキシ単位又は式ＣＯＯＲ18で表されるエステルを表し、
ここで、Ｂ2は、水素原子；ヒドロキシル基；炭素原子数１ないし１８のアルキル基；炭
素原子数１ないし１８のアルコキシ基；−ＣＯ2Ｈ；−ＣＨ2ＣＯＯＨ；−ＳＯ3-Ｍ1；−
ＯＳＯ3Ｍ1；−ＰＯ32-Ｍ1；−ＯＰＯ32-Ｍ1；及びそれらの混合物を表し、
Ｂ3は、水素原子；ヒドロキシル基；−ＣＯＯＨ；−ＳＯ3-Ｍ1；−ＯＳＯ3-Ｍ1又は炭素
原子数１ないし４のアルコキシ基を表し、
Ｍ1は、水素原子；アルカリ金属イオン又はアンモニウムイオンを表し、
Ｔ1は、−Ｏ−又は−ＮＨ−を表し、
Ｘ1及びＸ4は、互いに独立して、−Ｏ−；−ＮＨ−又は−Ｎ（炭素原子数１ないし４のアルキル）−を表し、
Ｒ11及びＲ12は、互いに独立して、水素原子；スルホ基及びその塩；カルボキシル基及びその塩又はヒドロキシル基を表し；基Ｒ11及びＲ12のうち少なくとも１つは、スルホ基又はカルボキシル基又はそれらの塩であり、
Ｙ2は、−Ｏ−；−Ｓ−；−ＮＨ−又は−Ｎ（炭素原子数１ないし４のアルキル）−を表
し、
Ｒ13及びＲ14は、互いに独立して、水素原子；炭素原子数１ないし４のアルキル基；ヒドロキシ−炭素原子数１ないし４のアルキル基；シアノ−炭素原子数１ないし４のアルキル基；スルホ−炭素原子数１ないし４のアルキル基；カルボキシ基又はハロゲン−炭素原子数１ないし４のアルキル基；未置換のフェニル基又はハロゲン原子、炭素原子数１ないし４のアルキル基及び炭素原子数１ないし４のアルコキシ基からなる群から選ばれた少なくとも１つの置換基によって置換されたフェニル基；スルホ基又はカルボキシル基を表し、又はＲ13及びＲ14は、それらが結合する窒素原子と一緒になってモルホリノ環、ピペラジン環又はピペリジン環を形成し、
Ｒ15及びＲ16は、互いに独立して、炭素原子数１ないし４のアルキル基又はアリール−炭素原子数１ないし４のアルキル基を表し、
Ｒ17は、水素原子；未置換の炭素原子数１ないし４のアルキル基又はハロゲン原子、ヒドロキシル基、シアノ基、ＳＯ3Ｈ、−ＮＨ2、フェニル基、カルボキシル基、カルボ−炭素原子数１ないし４のアルコキシ基又は炭素原子数１ないし６のアルコキシ基からなる群から選ばれた少なくとも１つの置換基によって置換された炭素原子数１ないし４のアルキル基を表し、
Ｒ18は、炭素原子数１ないし１０のアルキル基；枝分かれした炭素原子数３ないし１０のアルキル基；炭素原子数１ないし１０のアルケニル基又は枝分かれした炭素原子数３ないし１０のアルケニル基；炭素原子数３ないし２２のグリコール基；炭素原子数１ないし１０のアルコキシ基；枝分かれした炭素原子数３ないし１０のアルコキシ基；及びそれらの混合物を表し、
Ｍは、水素原子；Ｎａ+；Ｋ+又はアンモニウムイオンを表し、
Ｚ2-は、アルカノレート；ヒドロキシルイオン；Ｒ0ＣＯＯ-；ＣｌＯ4-；ＢＦ4-；ＰＦ6-；Ｒ0ＳＯ3-；ＳＯ4 2-；ＮＯ3-；Ｆ-；Ｃｌ-；Ｂｒ-；Ｉ-；シトレートイオン；タルトレートイオン又はオキサレートイオン（ここで、Ｒ0は、水素原子；又は未置換の炭素原
子数１ないし１８のアルキル基；又はヒドロキシ基、シアノ基、カルボキシル基、ＳＯ3
Ｈ、−ＮＨ2、カルボ−炭素原子数１ないし６のアルコキシ基、炭素原子数１ないし６の
アルコキシ基、フェニル基、ナフチル基及びピリジル基からなる群から選ばれた少なくとも１つの置換基によって置換された炭素原子数１ないし１８のアルキル基；未置換のアリール基又はヒドロキシル基、シアノ基、カルボキシル基、ＳＯ3Ｈ、−ＮＨ2、カルボ−炭素原子数１ないし６のアルコキシ基、炭素原子数１ないし６のアルコキシ基及び炭素原子数１ないし４のアルキル基からなる群から選ばれた少なくとも１つの置換基によって置換されたアリール基を表し、
ａは、０又は１を表し、
ｂは、０ないし６を表し、
ｃは、０ないし１００を表し、
ｄは、０；又は１を表し、
ｅは、０ないし２２を表し、
ｖは、２ないし１２の整数を表し、
ｗは、０又は１を表し、及び
Ａ-は、有機又は無機アニオンを表し、及び
ｓは、一価のアニオンＡ-の場合、ｒ2、ｒ3、ｒ4及びｒ5と等しく、及び多価アニオンの
場合、ｒ2、ｒ3、ｒ4及びｒ5以下であり、Ａs-は正の電荷を補う必要があり；ｒ2、ｒ3、ｒ4及びｒ5≠１の場合、基Ｑ1は同一又は異なり得、
各々のＬは、各々互いに独立して、直接結合；−ＳＯ2−；−Ｏ−；−ＯＲ19−；−Ｏ
Ｒ19Ｏ−；−ＯＲ19Ｎ（Ｒ20）−；−Ｎ（Ｒ20）−；−（ＣＨ2ＣＨ2Ｏ−）n−；−Ｃ（
Ｏ）−；−Ｃ（Ｏ）Ｎ（Ｒ20）−；−Ｎ（Ｒ20）Ｃ（Ｏ）−；−ＯＣ（Ｏ）−；−Ｃ（Ｏ）Ｏ−；−Ｓ−；未置換の、線状の又は枝分かれした炭素原子数１ないし１８のアルキレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；
未置換の炭素原子数５ないし１８のアリーレン基；
ヒドロキシル基、シアノ基、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；
未置換の、線状の又は枝分かれした炭素原子数１ないし１８のアルキレン−炭素原子数５ないし１８のアリーレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；
未置換の、線状の又は枝分かれした炭素原子数５ないし１８のアリーレン−炭素原子数１ないし１８のアルキル基又は
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し
ここで、Ｒ19は、未置換の、線状の又は枝分かれした炭素原子数１ないし１８のアルキレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキレン基；
未置換の炭素原子数５ないし１８のアリーレン基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリーレン基；
未置換の、線状の又は枝分かれした炭素原子数１ないし１８のアルキレン−炭素原子数５ないし１８のアリール基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルキレン−炭素原子数５ないし１８のアリール基；
未置換の、線状の又は枝分かれした炭素原子数５ないし１８のアリーレン−炭素原子数１
ないし１８のアルキル基又は
ヒドロキシル基、シアノ基、カルボキシル基、カルボ−炭素原子数１ないし４のアルコキシ基、炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数５ないし１８のアリーレン−炭素原子数１ないし１８のアルキル基を表し、
Ｒ20は、未置換の、線状の又は枝分かれした炭素原子数１ないし１８のアルキル基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基、フェニル基、ナフチル基及びピリジル基からなる群から選ばれた少なくとも１つの置換基によって置換された線状の又は枝分かれした炭素原子数１ないし１８のアルキル基；未置換の炭素原子数５ないし１８のアリール基；
ヒドロキシル基、シアノ基、ＳＯ3Ｈ、−ＮＨ2、カルボキシル基、カルボ−炭素原子数１ないし４のアルコキシ基、炭素原子数１ないし４のアルコキシ基及び炭素原子数１ないし４のアルキル基からなる群から選ばれた少なくとも１つの置換基によって置換された炭素原子数５ないし１８のアリール基；
未置換の、線状の又は枝分かれした炭素原子数１ないし１８のアルコキシ基又は
ヒドロキシル基、シアノ基、ＳＯ3Ｈ、−ＮＨ2、カルボキシル基、カルボ−炭素原子数１ないし４のアルコキシ基、炭素原子数１ないし４のアルキル基、フェニル基、ナフチル基及びピリジル基からなる群から選ばれた少なくとも１つの置換基によって置換された線状の又は枝分かれした炭素原子数１ないし１８のアルコキシ基を表す。）、
Ｎは、１；２；３又は４を表し、
各々のＤは、各々互いに独立して、式（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、（ＸＩ）、（ＸＩＩ）、（ＸＩＩＩ）、（ＸＩＶ）、（ＸＶ）、（ＸＶＩ）、（ＸＶＩＩ）、（ＸＶＩＩＩ）、（ＸＩＸ）、（ＸＸ）、（ＸＸＩ）、（ＸＸＩＩ）、（ＸＸＩＩＩ）、（ＸＸＩＶ）、（ＸＸＶ）、（ＸＸＶＩ）、（ＸＸＶＩＩａ）、（ＸＸＶＩＩｂ）、（ＸＸＶＩＩｃ）、（ＸＸＶＩＩｄ）、（ＸＸＶＩＩＩ）、（ＸＸＩＸ）、（ＸＸＸ）、（ＸＸＸＩ）、（ＸＸＸＩＩ）、（ＸＸＸＩＩＩ）、（ＸＸＸＩＶ）、（ＸＸＸＶ）、（Ｉ’）、（ＩＩ’）、（ＩＩＩ’）、（ＩＶ’）、（Ｖ’）、（ＶＩ’）、  （ＶＩＩａ’）、（ＶＩＩｂ’）、（ＶＩＩＩ’）、（ＩＸ’）、（Ｘ’）、（ＸＩ’）、（ＸＩＩ’）、  （ＸＩＩＩ’）、（ＸＩＶ’）、（ＸＶ’）、（ＸＶＩ’）、（ＸＶＩＩ’）、（ＸＶＩＩＩ’）、  （ＸＩＸ’）、（ＸＸ’）、（ＸＸＩ’）、（ＸＸＶＩＩａ’）、（ＸＸＶＩＩｂ’）、（ＸＸＶＩＩｃ’）、（ＸＸＶＩＩｄ’）、（ＸＸＶＩＩＩ’）、（ＸＸＩＸ’）、（ＸＸＸ’）、（ＸＸＸＩ’）、（ＸＸＸＩＩ’）で表される染料基を表し、
ｒ2は、０又は１を表し、
ｒ3は、０又は１を表し、及び
ｒ4は、０又は１を表す。]で表される化合物に関する。
【０１４１】
本発明の更なる態様は、式（１ａ）で表される化合物及び式（１ｂ）で表される化合物
【化１５５】
2008511764.tif 000156
（式中、Ｘ及びＸ’は、脱離基を表し、及び
全ての他の置換基は、上記で定義された通りの意味を有する。）の製造方法に関する。
【０１４２】
金属フタロシアニンの合成のための、２つの異なる方法を伴い得る：無金属フタロシアニン誘導体の初期合成及び続いて起こる金属塩との錯体形成か、又は金属イオンの同時配合による単一ベンゼノイド前駆物質からのフタロシアニン環系の合成。
置換基は、フタロシアニン環系の形成の前又は後に組み込まれ得る。前者の場合、全て４個の環において置換基を有する誘導体をもたらすのに対し、後者の場合、置換度が変わり得る。
適する置換基の組み込みによって、水溶性フタロシアニンは、既知の手順で得られ得る（独国特許第１５６９７８３号明細書、独国特許第１５６９７２９号明細書、独国特許第２０２１２５７号明細書、独国特許第１７９４２９８号明細書）。光活性剤として使用するためのそのような金属フタロシアニンの合成及び使用もまた既知である（独国特許第００８１４６２号明細書及びその中の文献）。
水溶性フタロシアニンを得るための適する方法は、スルホネート基の組み込みである。一般に、スルホン化フタロシアニンは、純物質ではなく、異なる位置異性体の錯体混合物である。スルホン化度もまた変わりやすく、また通常整数ではない。例えば、フタロシアニン亜鉛の四ナトリウム塩は、既知の手順で調製し得る［Ｊ．Ｇｒｉｆｆｉｔｈｓ等，Ｄｙｅｓ  ａｎｄ  Ｐｉｇｍｅｎｔｓ，第３３巻，６５−７８（１９９７）及びその中の文献］。
本願において、水溶性フタロシアニン分子は、染料分子との共有結合によって結合されている。この結合を実現するための都合のよい方法は、既知の手順の後のスルホ塩素化反応による金属フタロシアニンスルホニル塩化物の合成である[独国特許第２８１２２６１
号明細書、独国特許第０１５３２７８号明細書]。スルホ塩素化剤の量を変えることによ
って、望ましいスルホ塩化物含有度が調整され得る。フタロシアニンのスルホ塩素化反応は、一般に主要生成物をもたらすが、副生成物として少量の低度又は高度の塩化スルホニル基が検出される。
結果として生じる反応性フタロシアニン−塩化スルホニルは、次にアミノ基を有する適する染料と更に反応し得る。
【０１４３】
合成を説明するために、アミノ官能基を有するアゾ染料と結合した亜鉛及びアルミニウムフタロシアニンをもたらす下記の合成例が与えられる。該合成は、下記の図式に示されるように行われる。可能性のある位置異性体から、１つだけが示される。副生成物（ＳＯ
3Ｒ及びＳＯ2Ｃｌの程度）の形成は示されない。
【化１５６】
2008511764.tif 000157
下記の実施例は、本発明を説明する役割を果たすが本発明はそれらに限定されない。部及びパーセンテージは他に示されない限り質量に関する。温度は、他に示されない限り摂氏度を表す。
【実施例】
【０１４４】
合成例
基本手順
１）スルホン化亜鉛フタロシアニン塩化スルホニルの合成
通常、スルホン化亜鉛フタロシアニン四スルホン酸ナトリウム塩（ｓｕｌｆｏｎａｔｅｄ
Ｚｉｎｃ  ｐｈｔｈａｌｏｃｙａｎｉｎｅ  ｔｅｔｒａｓｕｌｆｏｎｉｃ  ａｃｉｄ  ｓｏｄｉｕｍ  ｓａｌｔ）は、平均スルホン化度約３．６ないし３．８を有する異なる異性体の混合物である。主成分は、四スルホン化及び三スルホン化亜鉛フタロシアニンの様々な異性体である。反応前に、前記物質を凍結乾燥又は噴霧乾燥することによって乾燥しなければならない。乾燥亜鉛フタロシアニン四スルホン化酸ナトリウム塩（１ｍｏｌ）を、室温で塩化スルフリル酸（３．５ｍｏｌ）に攪拌下ゆっくり加えた。該反応混合物を３０分間９０ないし９５℃で加熱した。この温度で、特定の量の塩化チオニル（１．５ｍｏｌ）を滴下し加えた。スルホン化亜鉛フタロシアニン四スルホン酸ナトリウム塩が相当な量の水（カール−フィッシャー法に従い測定）を含有する場合、さらに塩化チオニル（８
ｍｏｌまで）を加えなければならない。攪拌を９０℃で更に９０分間続けた。該反応混合物を室温まで冷却し、そして過剰量の氷を加えた。形成した緑色の沈殿物をろ過し、水性塩化ナトリウム（３％）で洗浄し、そして乾燥した。粗緑色中間体を直接、次の反応工程に使用した。
２）亜鉛フタロシアニン染料共役体の合成
対応する染料（０．３５ｍｏｌ）の水性攪拌溶液に、実施例１で調製した亜鉛フタロシアニン塩化スルホニルを加えた。添加の間、ｐＨを水酸化ナトリウムの水性溶液で７に調整した。反応混合物は、室温で、ｐH７にて８時間反応させた。反応調整をＴＬＣ（溶媒ピ
リジン２５ｍＬ／Ｎ，Ｎ−ジエチルアミン３３ｍＬ／３−メチルブタノール／水性アンモニア（２５％）２５ｍＬ）によって行った。出発染料が検出できなくなったとき、反応溶液を仕上げた。
仕上げ処理及び精製：
反応混合物を、適する膜を通す透析（セルロースチューブ）によって又はナノろ過によって脱塩した。該脱塩反応溶液は、共有結合したスルホン化亜鉛フタロシアニン染料共役体と出発物質（亜鉛フタロシアニン四スルホン酸）の異性混合物を含有する。得られた青色反応溶液は、液体又は固体配合物の合成に直接使用し得る。
固体亜鉛フタロシアニン染料共役体は、脱塩溶液を凍結乾燥することによって得られ得る。
スルホン酸基の位置及びスルホンアミド結合に関する多くの可能性のある異性体があるため、理想的な構造が与えられる。
スルホン酸官能基は、遊離酸の形態で又はナトリウム塩の形態で又はそれらの混合物として存在し得る。
【０１４５】
実施例１
１．ａ）亜鉛フタロシアニン塩化モノスルホニルの合成
【化１５７】
2008511764.tif 000158
亜鉛フタロシアニン四スルホン酸ナトリウム塩１３８．６ｇ、塩化スルフリル酸３３７ｍＬ及び塩化チオニル１６ｍＬを、基本手順において与えられるように反応させた。反応混合物を、氷３００ｇ上においた。沈殿物を上記で定義されるように単離した。
収率：６９６．５ｇ、緑色湿った固体。
ｂ）亜鉛フタロシアニンビスアゾ染料共役体の合成
【化１５８】
2008511764.tif 000159
蒸留水２５ｍＬ中、染料１．７ｇの溶液（商業上入手可能な４−アミノ−アゾベンゾル−４’−スルホン酸のジアゾ化、そしてその後に続くＪ酸とのカップリングによる既知の手順に従い調製した）に、攪拌下、実施例１ａの粗亜鉛フタロシアニン塩化モノスルホニル６．４ｇを加えた。反応混合物を蒸留水１５ｍLで希釈した。該反応混合物の６．１の
ｐH値を水酸化ナトリウム水溶液１Ｎを添加することによって調整した。反応系を室温で
１０時間攪拌した。反応が完了した後（溶媒混合ピリジン１２．５ｍＬ／Ｎ，Ｎ−ジエチルアミン１６．６ｍＬ／３−メチルブタノール８．３ｍＬ、２５％の水性アンモニア１２．５ｍＬでのＴＬＣ調整）、生成物を水性（１．５％）塩化ナトリウム溶液４００ｍＬとイソプロパノール３０ｍＬの混合物で沈殿させた。暗青色反応生成物をろ過し、そして室温で乾燥した。精製工程（塩化ナトリウム溶液／イソプロパノールで沈殿）を、純生成物を得るために２回繰り返した。
収率：スミレ色固体、１．２ｇ（４８％）。
もう１つの方法として、精製はクロマトグラフィによって行われ得る。反応混合物を、減圧で濃縮し、そして粗生成物を薄層クロマトグラフィによって清浄化した（シリカゲル、上記で与えられるような溶媒混合物）。
前記物質を、ＵＶ吸収試験（ＬＣ−ＵＶ）と質量分析と組み合わせて液体クロマトグラフィによって特性付けた。
ＵＶスペクトル：λ最大５２０及び６７０ｎｍ。
Ｍ+（ＭＡＬＤＩ−ＴＯＦ）：１４０９（Ｍ＋＋Ｈ+）。断片の割当は、下記の表に記載する。
【表１】
2008511764.tif 000160
【０１４６】
実施例２：
亜鉛フタロシアニンビスアゾ染料共役体の合成
【化１５９】
2008511764.tif 000161
１８４．８ｇの商業上入手可能なダイレクトバイオレット９９（商標名：ポンタミンブリリアントバイオレット、染料濃度約１０％）を、水１．５Ｌで希釈した。この染料溶液に、実施例１ａのスルホン化亜鉛フタロシアニン塩化モノスルホニル６９６．５ｇを添加し、そして基本手順に記載されるように反応した。室温で１２時間攪拌した後、反応を完了した。水性溶液を透析（セルロースチューブ、フィッシャーブランド、ＭＷＣＯ１２．０００−１４．０００）によって脱塩した。１２時間の透析後、塩化物及び硫酸塩の量を調べた。通常、透析が完了しているが、そうでない場合、別な透析を２０時間続けなければならない。得られた溶液を、青色固体を得るために凍結乾燥した。
ＵＶ−スペクトル  λ最大３４０、５４０、６７０ｎｍ
1Ｈ  ＮＭＲ（ＤＭＳＯ−ｄ6）δ＝１５．９９（Ａｒ−ＯＨ），１１．５０  （ＳＯ２−ＮＨ−染料），９．３−１０．０（芳香族水素（ａｒｏｍａｔｉｃ  ｈｙｄｒｏｇｅｎｓ）），８．０−９．０（芳香族水素），７．４５（芳香族水素），４．０２（ＯＣＨ3）
，２．６９  （ＡｒＣＨ3）ｐｐｍ。
分子式（上記で与えられる理想的な構造、遊離酸型）Ｃ60Ｈ37Ｎ13Ｏ22Ｓ7Ｚｎ  （１５
８１，９）。
ＭＳ  （ＥＳＩ）  ｍ／ｚ  ４４８  ［Ｍ−２Ｈ］2-，四スルホン化Ｚｎ  ｐｃ  （亜鉛フタロシアニン），８９７  ［Ｍ−Ｈ］1-，四スルホン化Ｚｎ  ｐｃ，８１７，４０７，１２２５（四スルホン化Ｚｎ  ｐｃ），７８９［Ｍ−２Ｈ］2-，  四スルホン化Ｚｎ  ｐｃ染料共役体，７４９（［Ｍ−２Ｈ］2-三スルホン化Ｚｎ  ｐｃ染料共役体）。
亜鉛フタロシアニン染料共役体は、相当な量の出発物質を含有し、それゆえにその結果生じる混合物は、下記の一般式で記載され得る：
【化１６０】
2008511764.tif 000162
結果として生じる混合物の式：Ｃ46Ｈ21.8Ｎ10.5ＺｎＮａ4.7Ｏ16.1Ｓ5.2 （１３１８．
３）
染料共役体は水１４．８％を含有した。
元素分析：Ｃ計算値３５．６％、Ｃ実測値３６．２０％。
【０１４７】
実施例３：亜鉛フタロシアニンビスアゾ染料共役体の合成
【化１６１】
2008511764.tif 000163
亜鉛フタロシアニン四スルホン酸ナトリウム塩６８７ｍｇ、塩化スルフリル塩１．６７ｍＬ及び塩化チオニル７８．５μＬを反応させ、そして基本手順に与えられるように仕上げた。染料成分を既知の手順によって合成した。最初の工程として、２−ナフチルアミノ−４，８−ジスルホン酸（Ｃ酸）を、２−（２  −アミノ−４−メチルフェノキシ）エタノールでジアゾ化及びカップリングした。この中間体を、２−アミノ−５−ナフトール−７−スルホン酸（Ｊ酸）で再びジアゾ化及びカップリングした。
前記スミレ色染料１２８ｇを水１５ｍＬで溶解し、そして基本手順に従い粗亜鉛フタロシアニン塩化スルホニルと反応させた。得られた溶液を凍結乾燥して、青色固体を得た。
【０１４８】
実施例４：亜鉛フタロシアニンビスアゾ染料共役体の合成
【化１６２】
2008511764.tif 000164
亜鉛フタロシアニン四スルホン酸ナトリウム塩６８７ｍｇを、基本手順に記載されるように亜鉛フタロシアニン塩化スルホニルに活性化させた。使用した染料は、スルファニル酸及び１−ナフチルアミン−６−スルホン酸（１，６−クレーブ酸）から出発するジアゾ化／カップリング手順によって調製した。この中間体を、Ｊ酸でジアゾ化及びカップリングした。
スミレ色染料１１５ｍｇを水１５ｍＬ中で溶解し、そして基本手順に従い粗亜鉛フタロシアニン塩化スルホニルと反応させた。得られた溶液を凍結乾燥して、青色固体を得た。
【０１４９】
実施例５：亜鉛フタロシアニンビスアゾ染料共役体の合成
【化１６３】
2008511764.tif 000165
亜鉛フタロシアニン四スルホン酸ナトリウム塩７．６ｇを、基本手順に記載されるよう
に亜鉛フタロシアニン塩化スルホニルへと活性化させた。
スミレ色染料を、２−ナフチルアミノ−６，８−ジスルホン酸（アミノＧ酸）から２−（２−アミノ−４−メチルフェノキシ）エタノールへのジアゾ化及びカップリングによる既知の手順にならい調製した。
該中間体を、次にＪ酸でカップリングした。
水４５ｍＬ中、染料１．５ｇの水性溶液に、粗亜鉛フタロシアニン塩化スルホニルを加え、そして基本手順に記載されるように反応させた。
仕上げ処理：粗染料亜鉛フタロシアニン染料共役体を、水性の塩化ナトリウム（１．５％）とイソプロパノールの混合物によって単離した。
収率：粗染料８ｇ、青色固体。
【０１５０】
実施例６：亜鉛フタロシアニンビスアゾ染料共役体の合成
【化１６４】
2008511764.tif 000166
亜鉛フタロシアニン四スルホン酸塩２．５ｇを、実施例３に記載されるように塩化スルホニルへと活性化させた。
スミレ色染料を、５−アミノ−サリチル酸の２−（２−アミノ−４−メチルフェノキシ）エタノールへのジアゾ化及びカップリングによる既知の方法に従い調製した。中間体を、続いてＪ酸でカップリングした。
水２５ｍＬ中染料４００ｍｇの溶液に、粗フタロシアニン塩化スルホニルを加え、そして基本手順に記載されるように反応させた。仕上げ処理を、実施例５に従い行った。
収率：亜鉛フタロシアニン染料共役体２ｇ、青色固体。
【０１５１】
実施例７：亜鉛フタロシアニンモノアゾ染料共役体の合成
【化１６５】
2008511764.tif 000167
亜鉛フタロシアニン四スルホン酸ナトリウム塩３．８４ｇを、塩化スルホニルへと活性化させ及び基本手順に記載されるように単離した。
水１５ｍＬ中染料成分５５５ｍｇの溶液（４−ニトロアニリン−２−スルホン酸とスルホ−γ−酸の反応及びその後に続く還元による既知の手順に従い調製した）に、粗亜鉛フタロシアニン塩化スルホニルを加え、そして基本手順に従い反応させた。得られた溶液を凍結乾燥して、青色固体を得た。
【０１５２】
実施例８：亜鉛フタロシアニンモノアゾ染料共役体の合成
【化１６６】
2008511764.tif 000168
亜鉛フタロシアニン四スルホン酸ナトリウム塩３．８４ｇを、亜鉛フタロシアニン塩化スルホニルへと活性化させ及び基本手順に記載されるように単離した。
粗亜鉛フタロシアニン塩化スルホニルを、水１５ｍＬ中染料４６９ｍｇの溶液（４−ニト
ロアニリン−２−スルホン酸とγ−酸の反応及びその後に続く還元による既知の手順に従い調製した）に加え、そして基本手順に記載されるように反応させた。得られた溶液を凍結乾燥して、青色固体を得た。
【０１５３】
実施例９：亜鉛フタロシアニンビスアゾ染料共役体の合成
【化１６７】
2008511764.tif 000169
亜鉛フタロシアニン四スルホン酸ナトリウム塩１．４４ｇを、亜鉛フタロシアニン塩化スルホニルに活性化させ及び基本手順に記載されるように単離した。粗亜鉛フタロシアニン塩化スルホニルを、水１５ｍＬ中染料７５１ｍｇの溶液（スルファニル酸と３−アミノ−アセトアニリド−４−スルホン酸からＨ酸へのジアゾ化及びカップリング反応、それに続く最終けん化工程による既知の方法によって調製した）に加えた。反応を、基本手順に従い行った。得られた溶液を凍結乾燥して、青色固体を得た。
【０１５４】
実施例１０；亜鉛フタロシアニンモノアゾ染料共役体の合成
【化１６８】
2008511764.tif 000170
亜鉛フタロシアニン四スルホン酸ナトリウム塩３．８４ｇを、亜鉛フタロシアニン塩化スルホニルへと活性化させ及び基本手順に記載されるように単離した。粗亜鉛フタロシアニン塩化スルホニルを、水１５ｍＬ中染料４８５ｍｇの溶液（４−メトキシ−アニリン−２−スルホン酸をＪ酸にジアゾ化及びカップリング反応による既知の方法によって調製した）に加えた。該溶液を、基本手順に記載されるように反応させ、そして仕上げた。得られた溶液を凍結乾燥して、青色固体を得た。
【０１５５】
実施例１１：亜鉛フタロシアニンモノアゾ染料共役体の合成
【化１６９】
2008511764.tif 000171
亜鉛フタロシアニン四スルホン酸ナトリウム塩３．８４ｇを、亜鉛フタロシアニン塩化スルホニルと活性化させ及び基本手順に記載されるように異性化した。
粗亜鉛フタロシアニン塩化スルホニルを、染料５３９ｍｇの溶液（アニリン−２，５−ジスルホン酸をＪ酸にジアゾ化及びカップリング化による既知の手順に従い調製した）に加え、基本手順に記載されるように反応させ、そして仕上げた。得られた溶液を凍結乾燥して、青色固体を得た。
【０１５６】
実施例１２：
ａ）アルミニウムフタロシアニン塩化モノスルホニルの合成
【化１７０】
2008511764.tif 000172
アルミニウムフタロシアニン四スルホン酸のナトリウム塩２．６３ｇを、室温でクロロ硫酸６．５ｍＬ（９５．６ｍｍｏｌ）に攪拌しながら加えた。該反応混合物を、２０分間９０℃で加熱した。３分以内で、塩化チオニル３１３．８μＬを注意深く滴下した。攪拌を９０℃で更に９０分間続けた。反応混合物を室温まで冷却し、そして力強く攪拌しながら氷２０ｇに加えた。形成した沈殿物をろ過し、１．５％の水性ＮａＣｌ溶液（２×５ｍＬ）で洗浄し、そして吸引ポンプで１０分間乾燥した。粗生成物（８．９ｇ、湿ったケーク）を、次の反応工程に直接使用した。
ｂ）アルミニウムフタロシアニンビスアゾ染料共役体の合成
【化１７１】
2008511764.tif 000173
蒸留水２５ｍＬ中ダイレクトレッド２５４染料１．７ｇの溶液に、攪拌下、実施例１２ａの粗アルミニウムフタロシアニン塩化モノスルホニル６．３６ｇを加えた。反応混合物を、蒸留水１５ｍＬで希釈した。反応混合物の１．７のｐＨ値を、１Ｎ水酸化ナトリウム溶液（１４ｍＬ）の添加によって９．６に調整した。反応系を室温で０．５時間攪拌した。ｐＨは、９．４だった。攪拌を室温で１７時間続けた。ＴＬＣを、ピリジン１２．５ｍ
Ｌ／Ｎ，Ｎ−ジエチルアミン１６．６ｍＬ／イソプロピルアルコール１０．８ｍＬ、２５％の水性アンモニア１０．１ｍＬの溶媒混合物で記録した。生成物を、水性（３％）塩化ナトリウム溶液１５ｍＬとイソプロパノール２００ｍＬの混合物で沈殿した。粗暗着色反応生成物を、１８００ｒｐｍで１０分間遠心分離した。得られた粘着性固体を、顆粒状固体を得るためにエチルアセテートで処理し、室温で減圧下乾燥した。
収率：２．１ｇ、暗色固体。
ＵＶスペクトル：λ最大２９５、３５５、５０９、６１０及び６７７ｎｍ。
【０１５７】
実施例１３：アルミニウムフタロシアニンビスアゾ染料共役体の合成
【化１７２】
2008511764.tif 000174
蒸留水１０ｍＬ中ポンタミンブリリアントＢＲＷ０．８ｇの溶液に、実施例１２ａのアルミニウムフタロシアニン塩化モノスルホニルを攪拌しながらゆっくり添加した。反応混合物の１．９のｐＨ値を、１Ｎ水酸化ナトリウム（６．５ｍＬ）を添加することによって７．６に調整した。反応系を、室温で０．５時間攪拌した。攪拌を室温で１７時間続けた。ＴＬＣを、ピリジン１２．５ｍＬ／Ｎ，Ｎ−ジエチルアミン１６．６ｍＬ／イソプロピルアルコール８．３ｍＬ、２５％の水性アンモニア１２．５ｍＬの溶媒混合物で記録した。仕上げ処理及び精製（塩化ナトリウム／イソプロパノールで沈殿）を、実施例３ｂに記載されるように行った。
収率：0．６２ｇ、暗青色固体。
ＵＶスペクトル：λ最大２９６、３５３、６０９及び６７６ｎｍ。（６０９でのピークは、ポンタミン吸収量最大におおよそ等しい４６０ｎｍから始まるハンプ（ｈｕｍｐ）中に埋め込まれた。）
【０１５８】
適用例
劣化試験
光触媒の水性溶液を、密閉した５０ｍＬのガラス瓶中与えられた濃度で、光学ランプキセノフォト（ｐｈｏｔｏｏｐｔｉｃ  ｌａｍｐ  Ｘｅｎｏｐｈｏｔ）（オスラム  ＨＬＸ
６４６２５）を備える光学照明機器（ライツ）で露光した。瓶の前でローリンＲＯ−１３２２デジタルルクスメーター（Ｒｏｌｉｎｅ  ＲＯ−１３２２  Ｄｉｇｉｔａｌ  Ｌｕ
ｘ  ｍｅｔｅｒ）で測定した強度は、１１１０００ないし１２００００ルクスの範囲内だった。
光触媒の劣化を、ＨＰ８４５２ダイオードアレー分光光度計で得られた分光光度データから測定した。吸収量を、光触媒の発色成分の代表波長で測定した。（６７０ｎｍ、５４０ｎｍ）。結合した染料発色団の吸収による光触媒のフタロシアニン部分（６７０ｎｍ）に由来する吸収最大で小さな重複しかない一方、フタロシアニン部分による結合した染料発色団それ自体の吸収最大では、その構造次第でかなりの重複があり得る。該吸収量を、最初に及びそれから２時間まで各々５分毎の照射後に測定した。選ばれた波長での初期吸収についてパーセンテージで損失として与えられる光触媒の標準化された光化学破壊を、２時間までの照射時間を対象とし、表１に纏めた。
【０１５９】
実施例１４：
実施例２から得られる青色光触媒６０ｍｇ／Ｌ含有水性溶液を、上記に概説した手順に従い照射した。照射で光触媒は、両方の発色部分について高程度に劣化した。
【表２】
2008511764.tif 000175
【０１６０】
実施例１５：
実施例１から得られる青色光触媒を１００ｍｇ／Ｌ含有する水性溶液を、中性のｐＨで上記に概説した手順に従い照射した。照射で光触媒は、高程度に劣化した。
【表３】
2008511764.tif 000176
【０１６１】
実施例１６：
実施例２から得られる青色光触媒３１ｍｇ／Ｌを含有するｐＨ１１に調整した水性溶液を、上記に概説した手順に従い照射した。照射で光触媒は、両方の発色部分について非常に高程度に劣化した。
【表４】
2008511764.tif 000177
【０１６２】
実施例１７：
実施例２から得られる青色光触媒６０ｍｇ／Ｌを含有する水性溶液を、上記に概説した手順に従い中性のｐＨで照射した。中性のｐＨで該化合物は、部分的に凝集した。それにもかかわらず照射で光触媒は、両方の発色部分について高程度に劣化した。
【表５】
2008511764.tif 000178
【表６】
2008511764.tif 000179
【表７】
2008511764.tif 000180
【表８】
2008511764.tif 000181
【表９】
2008511764.tif 000182
【表１０】
2008511764.tif 000183
【表１１】
2008511764.tif 000184
【表１２】
2008511764.tif 000185
【０１６３】
実施例１８：
比較として、青色光触媒のアゾ染料部分だけを含有する水性溶液を、上記に概説した手順に従い中性のｐＨで照射した。発色団の劣化は、２時間以内の露光で観察されなかった。
【０１６４】
織物での試験
実施例１９：
漂白した綿の織物を水性溶液で処理し、その結果青色になった。この織物を、タングステン電球に９０分までの間、湿った状態でさらした。織物上でローリンＲＯ−１３２２デジタルルクスメーターを用いて測定した光強度は、１７０００ルクスの範囲内であった。織物の青色強度は、露光で連続的に減少した。
【０１６５】
洗浄試験
漂白した綿を、３０℃、１５分間、異なる濃度で、実施例２から得られる光触媒含有洗剤で洗浄した。
洗剤４０グラム／Ｋｇ−織物
液体比１：１０
洗浄した後、織物の一部を２時間タングステン光にさらし（織物上でローリンＲＯ−１３２２デジタルルクスメーターを用いて測定した光強度は、１７０００ルクスの範囲内であった。）、一部を暗所で乾燥した。
この洗浄サイクルを５回繰返し、そして各々の洗浄サイクル後、その白色度（Ｇａｎｚ
）及び色彩値（ｔｉｎｔ  ｖａｌｕｅ）を測定した。
【０１６６】
実施例２０：
参考として１組の織物を、市販の光触媒チノルクスＢＭＣ（Ｔｉｎｏｌｕｘ  ＢＭＣ）含有洗剤で洗浄した。
洗剤中光触媒の濃度は、０．０４％だった。
【０１６７】
実施例２１：
洗浄試験に使用された洗剤は、実施例２から得られた青色光触媒０．０１％当量を含有した。
【０１６８】
実施例２２：
洗浄試験に使用された洗剤は、実施例２から得られた青色光触媒０．０１５％当量を含有した。
【０１６９】
実施例２３
洗浄試験に使用された洗剤は、実施例２から得られた青色光触媒０．００９％当量を含有した。
織物を、光に中間照射せずに５回洗浄した。５回洗浄後、該織物を乾燥或いは湿った状態で２時間タングステン光に露光した。
【０１７０】
実施例２４
洗浄試験に使用された洗剤は、実施例２から得られた青色光触媒０．００９％当量及び加えて０．０１％チノパルＣＢＳ（Ｔｉｎｏｐａｌ  ＣＢＳ）（チバ  スペシャルティ  ケミカルズ社製のＦＷＡ）を含有した。
織物を、光に中間照射せずに５回洗浄した。５回洗浄後、該織物を乾燥或いは湿った状態で２時間タングステン光に露光した。
【０１７１】
織物への光の照射有り及び無しでのシェード及び白色度の結果を、表１２に纏めた。
反射スペクトルから実施例２から得られた光触媒ＢＣＦの増加は、ターコイズ色の参照光触媒チノルクスＢＭＣよりも高いことを導き出し得る。
表１２中の値は、参照光触媒と比較して実施例２から得られる青色のものにより得られた増加白色度を示し、また、白色度の供給にかなりの程度の増加を保持する一方、光の照射による過度の着色（ｏｖｅｒｈｕｅｉｎｇ）を防ぐための調整をする。
【表１３】
2008511764.tif 000186
【表１４】
2008511764.tif 000187
【０１７２】
汚れた織物に対する光退色試験
洗浄手順、露光量
赤ワインで汚れた綿とバラストとしての漂白した綿との混合物を、洗浄試験下で概説したような条件下で洗浄した。５洗浄サイクル後、織物を実施例１９で概説したような照射条件下、湿った状態で露光した。該織物の明度を露光時間の関数として求めた。
洗浄後の織物と露光後の織物との間の明度の差は、光触媒含有洗剤の光退色性能の尺度である。その結果を、表１３に纏めた。
【０１７３】
実施例２５：
参考として１組の織物を、市販の光触媒チノルクスＢＭＣを０．０４％含有する洗剤で洗浄した。
【０１７４】
実施例２６：
１組の織物を、実施例２の光触媒を０．００７％含有する洗剤で洗浄した。
【０１７５】
実施例２７：
１組の織物を、実施例６の光触媒を０．００７９％含有する洗剤で洗浄した。
【０１７６】
実施例２８：
１組の織物を、実施例５の光触媒を０．０１１％含有する洗剤で洗浄した。
【表１５】
2008511764.tif 000188
【国際調査報告】
2008511764.tif 000266
2008511764.tif 000267
2008511764.tif 000268